(57)【要約】【課題】警告または誘導パネルを利用することによって、単一の目的のみを有する従来の公共のセッティングで、新しい広告の方法を提供する。【解決手段】本発明は、検知可能な警告パネルに関し、特に、広告メッセージ、商標、ロゴ、道案内、スローガン、画像、名前、製品イラスト、エンブレム、製品またはサービスに関する販売促進情報、クイックレスポンスコード、マトリクスコード、２次元バーコード、光学機械読み取り可能なラベル、およびそれらの組み合わせのような、テキストおよび／または他のグラフィック情報を表示する検知可能な警告パネルに関する。【選択図】図２８
2018022168.tif 000002
【特許請求の範囲】
【請求項１】
地方の法規に従った、歩道上に表示をするための物品であって、
触覚で検知することが可能なようにパターン形状に配置された空間的に盛り上がった複数の特徴部を有する、上面および底面を有する基板体を備える導電性基板と、
上記基板体の上記上面全体にベース色を提供する顔料または染料の粒子を含んだ第１の粉体塗装レイヤーと、
染料を浸透可能な少なくとも１つの追加的な粉体塗装レイヤーであって、上記第１の粉体塗装レイヤー上に連続的に積層された追加的な粉体塗装レイヤーと、を備え、
上記追加的なレイヤーの各々は、１つまたは複数の染料で、連続的に、パターン形状に覆われることによって、グラフィックデザインを与えることを特徴とする物品。
【請求項２】
上記レイヤーの一部または全部は、滑り抵抗および耐久性を提供するために、凹凸にする構成要素を含んでいることを特徴とする請求項１に記載の物品。
【請求項３】
上記グラフィックデザインは、製品、ビジネス、またはサービスについての情報を伝えることを特徴とする請求項１に記載の物品。
【請求項４】
上記グラフィックデザインは、クイックレスポンスコード、マトリクスコード、２次元バーコード、光学機器で読み取り可能なラベル、または他の読み取り可能なコードを含むことを特徴とする請求項１に記載の物品。
【請求項５】
上記空間的に盛り上がった特徴部は、盛り上がった複数の切頭ドームまたは円錐台を有する注意パターンを含み、
上記盛り上がった複数の切頭ドームまたは円錐台は、円形であり、かつ／または、配列状に配置されていることを特徴とする請求項１に記載の物品。
【請求項６】
上記空間的に盛り上がった特徴部は、複数の盛り上がったバーを有する誘導パターンを含み、
上記盛り上がったバーは、平坦な上部を有する、細長い形状の、互いに平行なバーあるいはシヌソイド型のリブであり、かつ／または、上記盛り上がったバーは、配列状に配置されていることを特徴とする請求項１に記載の物品。
【請求項７】
上記グラフィックデザインは、ロゴ、スローガン、レタリング、絵画、名前、製品のイラスト、エンブレム、製品またはサービスに関する販売促進情報、道案内、およびシンボルを含むグループから選択されることを特徴とする請求項１に記載の物品。
【発明の詳細な説明】
【発明の詳細な説明】
【０００１】
（関連するＵＳ出願のデータ）
本願は、２０１２年２月９日にファイルされたＵＳ仮出願６１／５９６９４０の恩恵を請求し、上記ＵＳ仮出願の内容全体が、参照によって、ここに結合される。
（発明の分野）
本発明は、検知可能な警告パネルに関し、特に、テキストおよび／または他の図面情報（例えば、広告メッセージ、商標、ロゴ、道案内、スローガン、絵画、名前、製品のイラスト、エンブレム、製品またはサービスに関する販売促進情報、クイックレスポンスコード、マトリクスコード、２次元バーコード、光学機器で読み取り可能なラベル、およびそれらの組み合わせ）を表示する、検知可能な警告パネルに関する。
（背景技術）
屋外広告の分野では、（特に、先進的なメディア技術を利用することによって）現存する広告地を拡大し、新しい広告地を発見するための挑戦が進行中である。そのような広告の主題は、純粋な広告メッセージ、商標、ロゴ、およびそれに類似するものから、公共サービスのメッセージ、指示（命令）、および警告にまで広がる。公共の空間における全ての面が、事実上、広告表示を貼付または装飾するための背景幕になり得る。背景幕は、木または岩構造物等の自然物であってもよいし、あるいは、ビルや橋の外壁、よくある広告掲示板、自立式サイン、および店の窓にあるポスター等の人工物であってもよい。屋外バスの車庫、電車の車庫、および他の屋外備品など、人々が集まる地点で広告することに特化した会社が存在する。しかし、背景幕は、公共の快適および安全の目的のためにも利用される。
【０００２】
このような２つの目的を持つ構造物の興味深くかつ新規な構成が、米国特許６４８１９２１および６６９２１８２に開示されている。この構成は、一般的なコンクリート製の駐車場用縁石バリア（パーキングカーブバリア；parking curb barrier）に関する。発明は、上記バリアに適合し、かつその形状に整合する縁石カバーである。上記カバーの表面は、広告によって装飾されているので、その構造は、車両の位置を駐車エリア内で制御するとともに、車両が駐車スペースに入ってきたとき、運転手に見えるメッセージを提供する。米国特許７２１５３００は、衛星電波受信用アンテナ（サテライトディッシュ；satellite dish）用のカバーを開示している。このカバーは、アンテナの内面を、素子による損傷から保護する機能と、機能的または装飾的な価値を有する一覧画像を有するデザイン素子としての機能と、の２つの機能を有する。このような２つの機能を有する装置の第３の例は、米国特許６７７５９３７に開示されたレールカバーである。このレールカバーは、外面上に広告を生み出す着脱可能な被覆膜で構成されている。これにより、このレールカバーは、ハンドサポートと、製品またはサービスの情報との両者を提供する。
【０００３】
広告車両の中には、“システム”として特徴づけられ、共通のテーマ、パターン、または分類法に従って組織された複数の構成要素を有するものもある。米国特許６７６９５３０は、コンベアのベルトに印刷された一連の広告素子を開示している。このベルトは、ベルト全体よりも短く製作されており、ベルト全体を交換せずに、各広告パネルを別のものに変えることができるように最適化されている。米国特許７０５１４６５は、２つの部分からなるパネルセットを開示している。このパネルセットは、トラック（荷車）の後部にある荷物室（カーゴベイ；cargo bay）の入口を構成する２つのドアに対して、ほぼ平行に取り付けられている。その発明は、広告表示を平行に配置する複数のスペーサを提供する。米国特許７６３１４５０には、可動する囲い（例えば、ポータブルトイレ、ごみ箱、トレーラ、および、一時的な基点で多くの人に使用される他の持ち運び可能な設備）の円い縁に適応した複数の広告パネルを取り付け可能にする専用フレーム組み立て品が開示されている。
【０００４】
公共で使用される屋外または屋内の備品の他の種類は、４２ＵＳＣ１２１０１およびその他に基づいて、補正として、そしてその後に公表された限定で、米国で請求された検知可能な警告パネルである。あるいは、触覚で検知可能な歩行面指示器（“ＴＷＳＩ”）（国際ＩＳＯ２３５９９）である。これらの備品の目的は、公共の空間および歩道において、視覚障害者を危険から保護することである。米国において、備品は、歩道上の危険な点（例えば、道の交差点、および、公共交通機関の利用者が交差する領域）に設置される、正方形または長方形のパネルとして特徴づけられる。これらは、一般的に、検知可能な警告パネルまたは検知可能な警告面と呼ばれる。米国外（欧州およびその他の地域）において主流な他のタイプのパネルは、ある点から別の点へと人を誘導するための誘導パネルであって、道に沿って移動する方向に平行な方向に向かって細長い形状の、盛り上がったバーで構成された誘導パネルである。このような誘導パネルの一種が、米国特許８０８２８７２および米国特許６９６４２４４に記載されている。
【０００５】
一般的に、上記パネルは、コンクリートまたは瓦の面に貼付された、金属または他の物質で作製されており、靴またはステッキとの接触等の触覚によって検知することが可能な、複数の特徴部を生じる。発明の限定の範囲内において、上記特徴部の形状、大きさ、および間隔には、望ましい範囲が存在する。米国特許出願２００６／００３９７５２は、先端を切り取られた半球のアレイを含んだ特徴部を有する警告パネルを開示している。 特徴部のバリエーションの多くは、米国特許６９６０９８９に記載されているように、先端を切り取られたドーム（切頭ドーム）型の構造である。他のバリエーションは、コンクリート製の歩道に予め開口された孔に挿入され、その後で上記孔に固定された、ピンの組を使用するものである。米国特許６９７１８１８と同様に、米国特許４７１５７４３は、複数のタイル上にある丸いドームを開示している。このタイルは、隣接するタイルの間に、拡張用のジョイントを備えている。米国特許５２７１６９０および米国特許７１８９０２５は、中心に窪みを備えた、６つの面を有する高架ドーム型を示している。
【０００６】
検知可能な警告および誘導パネルの多くは、頑丈に構成されているものの、経年によって、磨滅したり汚れたりする可能性がある。また、パネルの表面に、交換が必要となるような損傷を受ける可能性もある。除雪機は、特に、警告および誘導パネルを破壊する可能性が高い。横たわった状態でコンクリートまたは瓦の歩道に埋め込まれるベースを形成する下部フレームのパネルのいくつかの例が存在する。その歩行面は、上部を取り外すことが可能な、重ね合わされたパネルであり、ベースとなるパネルの内部またはその上に、適合するように取り付けることが可能である。その例が、米国特許出願２０１０／０１２９１５０に示されている。交換可能なパネルの他の構成例が、米国特許７７７９５８１に開示されている。その構成例は、パネルを迅速に取り外して交換するためのアンカー手段を有する。
【０００７】
パネルの色付けを定める規則は、周囲の歩道の色から区別可能なコントラストを提供することのみを規定する。鋳鉄の場合、パネルは裸のままであってよい。なぜならば、鋳鉄は、錆びることによって、自然な赤茶色を示すからである。ステンレス鋼および他の物質については、一様な色が一般的に選択される。最も一般的なのは、赤および黄の無地である。黄色が選択される理由は、視覚障害者が最後まで見ることができる波長であるからである。
（発明の概要）
本発明は、警告または誘導パネルを利用することによって、単一の目的のみを有する従来の公共のセッティングで、新しい広告の方法を提供する。米国および他の多くの国では、検知可能な警告および誘導パネルは、視覚障害者に対して、警告または指示信号を与えるために利用される。これらの数平方フィートのパネルは、危険が迫っている人に対して注意喚起するために、歩道内または歩道上における所定の位置（例えば、交差点、縁、電車のプラットフォーム、およびそれに類似する場所）に配置される。典型的には、このようなパネルは、歩道の表面に取り付けられるか、またはその内部に埋め込まれる。パネルの実質的に平坦な上面は、その上面上に、ステッキ、靴、または車両を通じて、触覚で検知することが可能であるように、注意喚起するパターンまたはアレイ状に配置され、空間的に盛り上がった特徴部を有する。好ましい実施例では、パネルは、その上面に、少なくとも２〜４色、またはより多くの色を表示するグラフィックデザインをさらに備える。好ましい実施例は、２〜４、またはより多くの染料または顔料を受け付けることができる基板である。そのため、本発明の物品は、これで、以下の２つの目的を有することになる。（ｉ）従来のパネルと同様に、視覚障害者に警告または誘導を提供すること。また、（ｉｉ）視覚が健全である人に、グラフィックメッセージを提供すること。従って、好ましい実施例では、本発明は、テキストおよび／または他のグラフィック情報（例えば、広告メッセージ、商標、ロゴ、道案内、スローガン、絵画、名前、製品のイラスト、エンブレム、製品またはサービスに関する販売促進情報、クイックレスポンスコード、マトリクスコード、２次元バーコード、光学機器で読み取り可能なラベル、およびそれらの組み合わせ）を表示する、検知可能な誘導パネルを提供する。
【０００８】
本発明のパネルは、金属、重合体物質、コンクリート、レンガ、自然石、セラミック、タイル、または複合材料（コンポジット；composite）で形成されてよい。歩行者の足とパネルの歩く面との間における摩擦抵抗を増大させるために、基板の表面は、含有物を注入するか、または、様々な重合粒子または無機粒子を被覆することによって、滑り難く、かつ、より高い耐久性を有するように製作されてもよい。パネルの構成要素のうち、金属基板は、鋳鉄、延性を有する鉄、ステンレス鋼、アルミニウム、および合金であってよい。適合する重合体物質は、プラスティック、熱硬化性プラスティック、熱可塑性プラスティック、プラスティックコンポジット、ファイバーコンポジット、または、ファイバー混入プラスティック（カーボンナノチューブ、カーボンブラック、グラファイト、またはそれらの組み合わせを注入されたファイバー混入プラスティック）であり得る。パネルは、位置を固定するために、留め具によって、取り外し可能なように、接地底面に取り付けられることが好ましい。あるいは、その底面内に直接埋め込まれてもよい。選択的に、グラフィックデザインは、クイックレスポンスコードまたは他の読み取り可能なコードを含んでいてもよい。
【０００９】
好ましい実施例では、パネルの物品は、空間的に盛り上がった特徴部を有する。警告パネル（注意喚起パネル）は、典型的には、法律、規則、および地方の法規で規定されるような、基板パネルの表面から上方向に盛り上がった丸いドーム型の構造である。上記規定は、特徴部の大きさ、形状、高さ、および間隔を規定するであろう。それらは、通常、注意喚起のパターンまたはアレイ状に配置された、丸い切頭ドームまたは円錐台の変化形（バリエーション）である。
【００１０】
空間的に盛り上がった特徴部の他のカテゴリは、誘導指示器（誘導パターン）であり、典型的には、互いに平行に延伸し、平坦な上面を有する、３次元のバーまたはシヌソイド型の柱で構成される。これらのバーまたは柱は、歩道の横側またはその中心に沿って、アレイ状に挿入されている。ステッキを持つ視覚障害者は、ステッキで上記バーまたは柱の上を撫でることによって、誘導用のバーまたは柱を検知する。誘導指示器は、米国外で、より一般的に使用されている。
【００１１】
歩道上に表示される物品は、上述した特徴的な特徴部を有する基板体を備えた導電性基板（例えば、パネル）であってよい。この物品は、プラスティック粉体塗装レイヤーで粉体被覆されている。プラスティックは、染料が浸透可能なタイプであることが好ましく、また、その表面に染料が吸収されるように、十分な小孔を有していることが望ましい。正に帯電した、未硬化プラスティックの先駆物質は、電気的に接地された金属基板に引き寄せられて付着するので、導電性基板は、粉体被覆工程において必要となる。このように準備された基板は、次に、少なくとも２色を含むグラフィックデザインを形成する染料によって覆われる。このようなグラフィックデザインは、ロゴ、スローガン、レタリング、絵画、名前、製品のイラスト、エンブレム、製品またはサービスに関する販売促進情報、道案内、およびシンボルであってよい。実際には、触覚によって得られた情報から分離され区別される少なくとも１つの意味を与えるどのような画像も、安全の問題に全く関係していなくてよい。このように装飾された物品は、アレイ状に配置された切頭ドームまたは円錐台の滑り止めの円環のような、追加の特性を有していてもよい。
【００１２】
表示や歩道上の機能的な警告または誘導を意図した物品は、導電性基板の上に、積み重ねられた粉体塗装レイヤーをさらに有していてもよい。パネルの上面全体に亘って拡がるベースの色を提供するために、第１のレイヤーは、粉体塗装レイヤー全体に一様に分散された染料、顔料、またはペンキ粒子を既に有していてもよい。追加的な浸透可能な粉体塗装レイヤーが、第１の粉体塗装レイヤー上に続けて適用されてもよい。複合材料にグラフィックデザインを付与するために、このような追加的な浸透可能な粉体塗装レイヤーの各々は、続いて色素で覆われる。パネルは、選択的に、滑り止め、クイックレスポンスコード、およびその類似物を付与されてもよい。
【００１３】
しかし、非導電性基板が、粉体被覆工程をサポートするのに十分な導電性を有するようにすることができる。基板のマトリクスは、導電性基板と一体化していてもよい。このことは、カーボンブラック、カーボンナノチューブ、グラファイト、またはその組み合わせで実験された。導電性の下塗り用原料が、基板の表面上に塗装されてもよい。流通していて使用可能な下塗り用原料の１つは、「Ｓｐｒａｙｌａｔ」の導電被覆技術である。
【００１４】
ところが、本願の発明者は、粉体塗装レイヤーを初めに使用しない、熱硬化性ポリエステルベースの複合材料へと、昇華染料が直接的に熱遷移することを検知した。その複合材料とは、シート成形複合材料（シートモールディングコンパウンド；Sheet Molding Compound）である。ガラスのファイバーまたは破片を２０〜５５％含んだ、ポリエステルベースの重合体が存在する。本発明では、注意喚起するパターンまたはアレイ状に配置され、空間的に盛り上がった複数の特徴部のアレイを有する成形基板は、浸透性を有する昇華染料を含んでいる。染料は、基板に熱遷移することによって、グラフィックデザインを表示する。しかしながら、このシート成形複合材料が、幅広く様々な形状および大きさを有する多くの物品に成形され、その後、昇華染料によって直接的に装飾され得ることは明らかである。
【００１５】
従って、いくつかの実施形態では、本発明は、実質的に平坦な上面および底面を有するパネルで構成された歩道上に表示をする物品を提供する。上面は、その上に、触覚によって検知することが可能なように、パターン状に配置され、空間的に盛り上がった特徴部を有する。平坦な上面は、すくなくとも２〜１０色（好ましくは、２〜１０、３〜１０、４〜１０、５〜１０、２〜２０、３〜２０、４〜２０、または５〜２０色）で構成されているグラフィックデザインを表示するかまたは含むグラフィックデザインを備えている。ある実施形態では、色は互いに異なる原色である。ある実施形態では、色は、色調が異なる同じ色である。ある実施形態では、グラフィックデザインは、３００×３００ドット／インチ（ＤＰＩ）の解像度を有する。また、好ましくは、少なくとも７２０×７２０ＤＰＩに等しい解像度を有し、かつ１４４０×７２０ＤＰＩまたは１４４０×１４４０ＤＰＩまでの解像度を有する。ある実施形態では、グラフィックデザインは、少なくとも２〜１０の昇華染料で構成された、昇華法による高解像度のグラフィックデザインである。また、好ましくは、２〜１０、３〜１０、４〜１０、５〜１０、２〜２０、３〜２０、４〜２０、５〜２０の昇華染料で構成された、昇華法による高解像度のグラフィックデザインである。ある実施形態では、昇華染料は、上面を１０から２００マイクロメートル（好ましくは２０から１００マイクロメートル、最も好ましくは４０から８０マイクロメートル）まで浸透する。また、昇華染料は、引っ掻きおよび／または摩擦に耐性を有する高解像度なグラフィックデザインを提供することが好ましい。ある実施形態では、グラフィックデザインは、製品、ビジネス、またはサービスの情報を伝える。ある実施形態では、平坦な上面は、滑り止めまたは耐久性を提供するための凹凸加工されている。ある実施形態では、パネルは、金属、重合体、コンクリート、レンガ、自然石、セラミック、タイル、およびその組み合わせを含むグループから選択された物質で構成されている。ある実施形態では、金属は、鋳鉄、延性を有する鉄、鋼、アルミニウム、およびその合金を含むグループから選択される。ある実施形態では、重合体は、プラスティック、熱硬化性プラスティック、熱可塑性プラスティック、プラスティックコンポジット、および、ファイバー混入プラスティック（カーボンナノチューブまたはカーボンブラックまたはその組み合わせを注入されたファイバー混入プラスティック）のグループから選択される。ある実施形態では、物品は、歩道内の所定の位置、または、実質的に視認可能な程度には歩道に近い位置において、地面に対し、取り外し可能に取り付けることができる。ある実施形態では、物品は、留め具によって底面に固く留められているか、または底面に直接的に埋め込まれている。ある実施形態では、グラフィックデザインは、クイックレスポンスコード、マトリクスコード、２次元バーコード、光学機器で読み取り可能なラベル、または他の読み取り可能なラベルを含んでいる。ある実施形態では、空間的に盛り上がった特徴部は、盛り上がった複数の切頭ドームまたは円錐台によって、注意パターンを構成する。ある実施形態では、盛り上がった���頭ドームまたは円錐台は円形である。ある実施形態では、切頭ドームまたは円錐台は、アレイ状に配置されている。ある実施形態では、空間的に盛り上がった特徴部は、盛り上がった複数のバーによって、誘導パターンを構成する。ある実施形態では、盛り上がったバーは、平らな上面を有する、細長い（引き伸ばされた）形状の平行なバーまたはシヌソイド型の柱である。ある実施形態では、盛り上がったバーは、アレイ状に配置されている。ある実施形態では、グラフィックデザインは、ロゴ、スローガン、レタリング、絵画、名前、製品のイラスト、エンブレム、製品またはサービスに関する販売促進情報、道案内、およびシンボルを含むグループから選択される。
【００１６】
さらなる実施例では、本発明は、歩道上に、地方の法規に従う表示をするための物品であって、以下の構成要素を備える物品を提供する。
（ｉ）空間的に盛り上がった特徴部を有する基板体を有する導電性基板。ここで、特徴部は、触覚によって検知することが可能なパターン状に配置されている。
（ｉｉ）基板の上面に積層され、染料が浸透する粉体塗装レイヤー（粉体被覆層）。
ある実施形態では、染料が浸透する粉体塗装レイヤーは、凹凸にする１つまたは複数の構成要素を含む。ある実施形態では、粉体塗装レイヤーは、少なくとも２つの色を含むグラフィックデザインを形成する染料で覆われている。ある実施形態では、グラフィックデザインは、少なくとも２〜１０色の色（好ましくは、２〜１０、３〜１０、４〜１０、５〜１０、２〜２０、３〜２０、４〜２０、５〜２０色）を表示するかまたは含む。ある実施形態では、色は互いに異なる原色である。ある実施形態では、色は、色調が異なる同じ色である。ある実施形態では、グラフィックデザインは、３００×３００ドット／インチ（ＤＰＩ）の解像度を有する。また、好ましくは、少なくとも７２０×７２０ＤＰＩに等しい解像度を有し、かつ１４４０×７２０ＤＰＩまたは１４４０×１４４０ＤＰＩまでの解像度を有する。ある実施形態では、グラフィックデザインは、少なくとも２〜１０の昇華染料で構成された、昇華法による高解像度のグラフィックデザインである。また、好ましくは、２〜１０、３〜１０、４〜１０、５〜１０、２〜２０、３〜２０、４〜２０、５〜２０の昇華染料で構成された、昇華法による高解像度のグラフィックデザインである。ある実施形態では、昇華染料は、上面を１０から２００マイクロメートル（好ましくは２０から１００マイクロメートル、最も好ましくは４０から８０マイクロメートル）まで浸透する。また、昇華染料は、引っ掻きおよび／または摩擦に耐性を有する高解像度なグラフィックデザインを提供することが好ましい。ある実施形態では、グラフィックデザインは、製品、ビジネス、またはサービスの情報を伝える。ある実施形態では、平坦な上面は、滑り止めまたは耐久性を提供するための凹凸加工されている。ある実施形態では、グラフィックデザインは、クイックレスポンスコード、マトリクスコード、２次元バーコード、光学機器で読み取り可能なラベル、または他の読み取り可能なラベルを含む。ある実施形態では、空間的に盛り上がった特徴部は、盛り上がった複数の切頭ドームまたは円錐台によって、注意パターンを構成する。ある実施形態では、盛り上がった切頭ドームまたは円錐台は円形である。ある実施形態では、切頭ドームまたは円錐台は、アレイ状に配置されている。ある実施形態では、空間的に盛り上がった特徴部は、盛り上がった複数のバーによって、誘導パターンを構成する。ある実施形態では、盛り上がったバーは、平らな上面を有する細長い形状の平行なバーまたはシヌソイド型の柱である。ある実施形態では、盛り上がったバーは、アレイ状に配置されている。ある実施形態では、グラフィックデザインは、ロゴ、スローガン、レタリング、絵画、名前、製品のイラスト、エンブレム、製品またはサービスに関する販売促進情報、道案内、およびシンボルを含むグループから選択される。
【００１７】
ある実施形態では、本発明は、歩道上に、地方の法規に従う表示をするための物品であって、以下の構成要素を備える物品を提供する。
（ｉ）空間的に盛り上がった特徴部を有する上面および底面を有する導電性基板。上面および底面は、触覚によって検知することが可能なパターンで配置されている。
（ｉｉ）基板体の上面全体に対してベースとなる色を与える顔料または染料の粒子を含んでいる第１の粉体塗装レイヤー。
（ｉｉｉ）染料が浸透する、少なくとも１つの追加的な粉体塗装レイヤー。追加的な粉体塗装レイヤーは、第１の粉体塗装レイヤー上に連続して積層され、続いて、グラフィックデザインを付与するためのパターンを有する１つ以上の染料で覆われている。
ある実施形態では、各レイヤーは、滑り止めおよび耐久性を提供するテクスチャ構造の構成要素を含んでいる。ある実施形態では、グラフィックデザインは、すくなくとも２〜１０色（好ましくは、２〜１０、３〜１０、４〜１０、５〜１０、２〜２０、３〜２０、４〜２０、または５〜２０色）を表示するかまたは含む。ある実施形態では、色は異なる原色である。ある実施形態では、色は同じ色の異なる色調である。ある実施形態では、グラフィックデザインは、少なくとも２〜１０の昇華染料で構成された、昇華法による高解像度のグラフィックデザインである。また、好ましくは、２〜１０、３〜１０、４〜１０、５〜１０、２〜２０、３〜２０、４〜２０、５〜２０の昇華染料で構成された、昇華法による高解像度のグラフィックデザインである。ある実施形態では、昇華染料は、上面を１０から２００マイクロメートル（好ましくは２０から１００マイクロメートル、最も好ましくは４０から８０マイクロメートル）まで浸透する。また、昇華染料は、引っ掻きおよび／または摩擦に耐性を有する高解像度なグラフィックデザインを提供することが好ましい。ある実施形態では、グラフィックデザインは、３００×３００ドット／インチ（ＤＰＩ）の解像度を有する。また、好ましくは、少なくとも７２０×７２０ＤＰＩに等しい解像度を有し、かつ１４４０×７２０ＤＰＩまたは１４４０×１４４０ＤＰＩまでの解像度を有する。ある実施形態では、グラフィックデザインは、製品、ビジネス、またはサービスの情報を伝える。ある実施形態では、グラフィックデザインは、クイックレスポンスコード、マトリクスコード、２次元バーコード、光学機器で読み取り可能なラベル、または他の読み取り可能なラベルを含む。ある実施形態では、空間的に盛り上がった特徴部は、盛り上がった複数の切頭ドームまたは円錐台によって注意パターンを構成する。ある実施形態では、盛り上がった切頭ドームまたは円錐台は円形である。ある実施形態では、切頭ドームまたは円錐台は、アレイ状に配置されている。ある実施形態では、空間的に盛り上がった特徴部は、盛り上がった複数のバーによって、誘導パターンを構成する。ある実施形態では、盛り上がったバーは、平らな上面を有する細長い形状の平行なバーまたはシヌソイド型の柱である。ある実施形態では、盛り上がったバーは、アレイ状に配置されている。ある実施形態では、グラフィックデザインは、ロゴ、スローガン、レタリング、絵画、名前、製品のイラスト、エンブレム、製品またはサービスに関する販売促進情報、道案内、およびシンボルを含むグループから選択される。
【００１８】
ある実施形態では、本発明は、実質的に平坦な上面および底面を有する圧縮成形基板を備えた歩道上に表示をするための検知可能な警告または誘導パネルとして使用される、非導電性ポリエステルベースの物品を提供する。物品は、上面上に、空間的に盛り上がった複数の特徴部を含んでおり、そのようなパネルに関する地方の法規に従うパターンで配置されている。また、物品は、染料が浸透可能な、非導電性の熱硬化性ポリエステルベースの重合体をさらに備えており、成形されたシート成形複合材料の上面内へ直接的に昇華されたグラフィックデザインによって装飾することが可能である。さらに、成形基板の上面上に色を表示するグラフィックデザインを備える。ある実施形態では、非導電性ポリエステル重合体は、重量比で、１５〜６０パーセントのガラス成分を有する。ある実施形態では、グラフィックデザインは、すくなくとも２〜１０色（好ましくは、２〜１０、３〜１０、４〜１０、５〜１０、２〜２０、３〜２０、４〜２０、または５〜２０色）を表示するかまたは含む。ある実施形態では、色は異なる原色である。ある実施形態では、色は同じ色の異なる色調である。ある実施形態では、グラフィックデザインは、３００×３００ドット／インチ（ＤＰＩ）の解像度を有する。また、好ましくは、少なくとも７２０×７２０ＤＰＩに等しい解像度を有し、かつ１４４０×７２０ＤＰＩまたは１４４０×１４４０ＤＰＩまでの解像度を有する。ある実施形態では、グラフィックデザインは、少なくとも２〜１０の昇華染料で構成された、昇華法による高解像度のグラフィックデザインである。また、好ましくは、２〜１０、３〜１０、４〜１０、５〜１０、２〜２０、３〜２０、４〜２０、５〜２０の昇華染料で構成された、昇華法による高解像度のグラフィックデザインである。ある実施形態では、昇華染料は、上面を１０から２００マイクロメートル（好ましくは２０から１００マイクロメートル、最も好ましくは４０から８０マイクロメートル）まで浸透する。また、昇華染料は、引っ掻きおよび／または摩擦に耐性を有する高解像度なグラフィックデザインを提供することが好ましい。ある実施形態では、グラフィックデザインは、製品、ビジネス、またはサービスの情報を伝える。ある実施形態では、グラフィックデザインは、クイックレスポンスコード、マトリクスコード、２次元バーコード、光学機器で読み取り可能なラベル、または他の読み取り可能なラベルを含んでいる。ある実施形態では、空間的に盛り上がった特徴部は、盛り上がった複数の切頭ドームまたは円錐台によって、注意パターンを構成する。ある実施形態では、盛り上がった切頭ドームまたは円錐台は円形である。ある実施形態では、切頭ドームまたは円錐台は、アレイ状に配置されている。ある実施形態では、空間的に盛り上がった特徴部は、盛り上がった複数のバーによって、誘導パターンを構成する。ある実施形態では、盛り上がったバーは、平らな上面を有する、細長い形状の平行なバーまたはシヌソイド型の柱である。ある実施形態では、盛り上がったバーは、アレイ状に配置されている。ある実施形態では、グラフィックデザインは、ロゴ、スローガン、レタリング、絵画、名前、製品のイラスト、エンブレム、製���またはサービスに関する販売促進情報、道案内、およびシンボルを含むグループから選択される。ある実施形態では、成形基板は、少なくとも上面上に、粉体塗装レイヤーをさらに備える。粉体塗装レイヤーは、インモールド粉体塗装されることによって塗布されることが好ましい。
【００１９】
ある実施形態では、本発明は、その内部またはその上の導電性物質の含有物によって導電性を与えられた、歩道上に表示をするための検知可能な警告または誘導パネルとして使用される、非導電性の物品を提供する。ある実施形態では、導電性物質は、カーボンナノチューブ、カーボンブラック、グラファイト、またはその組み合わせである。ある実施形態では、導電性物質は、下塗り用の液体塗料である。
【００２０】
本発明は、特徴部を有する１つまたは複数の検知可能な警告または誘導パネルを備える広告システムも提供する。特徴部は、パターンまたはアレイ状に配列され、地方の法規に従うように、歩道に配置されている。加えて、システムは、１つまたは複数の装飾された付随パネル（好ましくは、平坦であり、かつ、特徴部を備えない）を備える。付随パネルは、歩道上における、警告または誘導パネルに隣接する位置、または、警告または誘導パネルの視認可能な近傍の位置に配置される。“視認可能”とは、モチーフが、テーマに従う集合または集団として視界に入ることを意味する。一例は、近辺のまたは隣接する店で利用することが可能な商品またはサービスのカテゴリーを示す、平坦なパネルのグループである。モチーフの焦点は、注意喚起パネルである。注意喚起パネルは、装飾されていてもよい。
【００２１】
本発明は、以下のステップを含む方法をさらに提供する。
（ｉ）１つまたは複数の警告パネルを、地方の法規に従って、歩道上の所定の位置に配置するステップ。
（ｉｉ）そこに表示されるグラフィックデザインを生成するステップ。ビジネス、サービス、または製品の宣伝運動を提供するために、注意喚起パネルのグラフィックの内容は、広告の方法と同様、１つまたは複数の平坦な付随パネルに表示された情報と一体化されている。
上記の方法は、ある期間（例えば、１週間、２週間、１か月、および他の期間）が経過した後、ビジネス、サービス、または製品に関する別の広告を表示するステップをさらに含む。広告の方法は、歩道上に表示された１つまたは複数の平坦なパネルのスペースを賃借するステップをさらに提供する。
【００２２】
さらに、広告の方法は、特徴部を有し、かつ法規に従うように歩道上に配置された警告または誘導パネルに隣接する位置、または、警告または誘導パネルの視認可能な近傍の位置に配置されたグラフィックデザインを有する１つまたは複数の平坦な付随パネルを、表示するステップを含む。１つまたは複数の付随パネルは、歩道上において、視認可能な範囲で離れた位置に配置されてもよい。広告システムでは、警告、道案内、または誘導パネルに隣接するように、またはパネルから視認可能な範囲で離れるように構成されている１つまたは複数の付随パネルが、グラフィックデザインによって装飾されている。一例は、製品のグループを広告するグラフィックデザインを生成する警告または誘導パネルである。また、思い出させるためのパネルか、あるいは、警告または誘導パネルのグラフィックデザインに含まれる言葉またはシンボルを繰り返す、離れた場所にあるパネルである。歩行者が通ると考えられる位置に、その離れた場所にあるパネルが配置されるた場合、この構成は最も効果的である。
【００２３】
ある実施形態では、本発明は、以下の構成要素を備えた広告システムである。
（ｉ）１つまたは複数の検知可能な警告または誘導パネル。警告または誘導パネルは、特徴部を有しており、法規に従うように、歩道上に配置されている。
（ｉｉ）警告または誘導パネルに隣接する位置、または、警告または誘導パネルの視認可能な近傍の位置に配置され、グラフィックデザインで装飾された１つまたは複数の付随パネル。
ある実施形態では、グラフィックデザインは、すくなくとも２〜１０色（好ましくは、２〜１０、３〜１０、４〜１０、５〜１０、２〜２０、３〜２０、４〜２０、または５〜２０色）を表示するかまたは含む。ある実施形態では、色は互いに異なる原色である。ある実施形態では、色は、色調が異なる同じ色である。ある実施形態では、グラフィックデザインは、３００×３００ドット／インチ（ＤＰＩ）の解像度を有する。また、好ましくは、少なくとも７２０×７２０ＤＰＩに等しい解像度を有し、かつ１４４０×７２０ＤＰＩまたは１４４０×１４４０ＤＰＩまでの解像度を有する。ある実施形態では、グラフィックデザインは、少なくとも２〜１０の昇華染料で構成された、昇華法による高解像度のグラフィックデザインである。また、好ましくは、２〜１０、３〜１０、４〜１０、５〜１０、２〜２０、３〜２０、４〜２０、５〜２０の昇華染料で構成された、昇華法による高解像度のグラフィックデザインである。ある実施形態では、昇華染料は、上面を１０から２００マイクロメートル（好ましくは２０から１００マイクロメートル、最も好ましくは４０から８０マイクロメートル）まで浸透する。また、昇華染料は、引っ掻きおよび／または摩擦に耐性を有する高解像度なグラフィックデザインを提供することが好ましい。
ある実施形態では、グラフィックデザインは、製品、ビジネス、またはサービスの情報を伝える。ある実施形態では、グラフィックデザインは、クイックレスポンスコード、マトリクスコード、２次元バーコード、光学機器で読み取り可能なラベル、または他の読み取り可能なラベルを含む。ある実施形態では、空間的に盛り上がった特徴部は、盛り上がった複数の切頭ドームまたは円錐台によって、注意パターンを構成する。ある実施形態では、盛り上がった切頭ドームまたは円錐台は円形である。ある実施形態では、切頭ドームまたは円錐台は、アレイ状に配置されている。ある実施形態では、空間的に盛り上がった特徴部は、盛り上がった複数のバーによって、誘導パターンを構成する。ある実施形態では、盛り上がったバーは、平らな上面を有する、細長い形状の平行なバーまたはシヌソイド型の柱である。ある実施形態では、盛り上がったバーは、アレイ状に配置されている。ある実施形態では、グラフィックデザインは、ロゴ、スローガン、レタリング、絵画、名前、製品のイラスト、エンブレム、製品またはサービスに関する販売促進情報、およびシンボルを含むグループから選択される。
【００２４】
ある実施形態では、本発明は、歩道上における所定の位置に、１つまたは複数の第１の物品を表示するステップを含む。１つまたは複数の物品は、実質的に平坦な上面および底面を有しており、触覚によって検知することが可能なように、パターン状に配置され、空間的に盛り上がった複数の特徴部を上面上に有する。平坦な上面は、少なくとも２色を表示するグラフィックデザインをさらに含む。ある実施形態では、グラフィックデザインは、すくなくとも２〜１０色（好ましくは、２〜１０、３〜１０、４〜１０、５〜１０、２〜２０、３〜２０、４〜２０、または５〜２０色）で構成されているグラフィックデザインを表示するかまたは含む。ある実施形態では、色は互いに異なる原色である。ある実施形態では、色は、色調が異なる同じ色である。ある実施形態では、グラフィックデザインは、３００×３００ドット／インチ（ＤＰＩ）の解像度を有する。また、好ましくは、少なくとも７２０×７２０ＤＰＩに等しい解像度を有し、かつ１４４０×７２０ＤＰＩまたは１４４０×１４４０ＤＰＩまでの解像度を有する。ある実施形態では、グラフィックデザインは、少なくとも２〜１０の昇華染料で構成された、昇華法による高解像度のグラフィックデザインである。また、好ましくは、２〜１０、３〜１０、４〜１０、５〜１０、２〜２０、３〜２０、４〜２０、５〜２０の昇華染料で構成された、昇華法による高解像度のグラフィックデザインである。ある実施形態では、昇華染料は、上面を１０から２００マイクロメートル（好ましくは２０から１００マイクロメートル、最も好ましくは４０から８０マイクロメートル）まで浸透する。また、昇華染料は、引っ掻きおよび／または摩擦に耐性を有する高解像度なグラフィックデザインを提供することが好ましい。ある実施形態では、グラフィックデザインは、製品、ビジネス、またはサービスの情報を伝える。ある実施形態では、物品は、所定の位置に、取り外し可能なように取り付けられている。ある実施形態では、方法は、複数の記事を所定の位置に貼付するステップをさらに含む。ある実施形態では、第１の物品は、少なくとも１週間、２週間、３週間、１か月、２か月、３か月、６か月、および１年を含むグループから選択された期間が経過した後、第２の物品に交換される。ある実施形態では、平坦な上面は、滑り止めまたは耐久性を提供するための凹凸加工されている。ある実施形態では、物品は、金属、重合体物質、コンクリート、レンガ、自然石、セラミック、およびタイルのグループから選択された物質を備える。ある実施形態では、金属は、鋳鉄、延性を有する鉄、鋼、アルミニウム、およびその合金のグループから選択された物質を備える。ある実施形態では、重合体物質は、プラスティック、熱硬化性プラスティック、熱可塑性プラスティック、および、ファイバー混入プラスティック（カーボンナノチューブ、カーボンブラック、グラファイト、またはそれらの組み合わせを注入されたファイバー混入プラスティック）のグループから選択される。ある実施形態では、物品は、歩道内の所定の位置、または、実質的に視認可能な程度には歩道に近い位置で、地面に対して、取り外し可能に取り付けることができる。ある実施形態では、留め���によって固く底面に留められているか、または底面に直接的に埋め込まれている。ある実施形態では、グラフィックデザインは、クイックレスポンスコード、マトリクスコード、２次元バーコード、光学機器で読み取り可能なラベル、または他の読み取り可能なラベルを含んでいる。ある実施形態では、空間的に盛り上がった特徴部は、盛り上がった複数の切頭ドームまたは円錐台によって、注意パターンを構成する。ある実施形態では、盛り上がった切頭ドームまたは円錐台は円形である。ある実施形態では、切頭ドームまたは円錐台は、アレイ状に配置されている。ある実施形態では、空間的に盛り上がった特徴部は、盛り上がった複数のバーで構成される誘導パターンを構成する。
【００２５】
ある実施形態では、盛り上がったバーは、平らな上面を有する細長い形状の平行なバーまたはシヌソイド型の柱である。ある実施形態では、盛り上がったバーは、アレイ状に配置されている。ある実施形態では、グラフィックデザインは、ロゴ、スローガン、レタリング、絵画、名前、製品のイラスト、エンブレム、製品またはサービスに関する販売促進情報、道案内、およびシンボルを含むグループから選択される。ある実施形態では、方法は、連携した広告キャンペーンと組み合わせて物品を表示するステップをさらに含む。宣伝運動は、印刷メディア（例えば、雑誌および新聞）、電子メディア（例えば、ウェブ）、ラジオ広告、テレビのコマーシャル、店内広告メディア、屋外広告メディア（例えば、ビルボード）、ポスター、キオスク、プラカード、屋外家具（例えば、バスの車庫）、ニューススタンド、新聞立て、自転車立て、運送メディア（例えば、バス停留所の表示）、電車の駅および空港、携帯のビルボード、バスの外装、タクシー、バスの内装、および他のメディアのグループから選択された異なる広告用メディア内で、製品、ビジネス、またはサービスの情報を提供する。
【００２６】
ある実施形態では、本発明は、歩道上の所定の位置に１つまたは複数のパネルを表示するステップを含む広告の方法を提供する。各パネルは実質的に平坦な上面および底面を有する。各物品のパネルの上面は、その上に、触覚で検知可能なように、パターン状に配置され、空間的に盛り上がった、複数の特徴部を有する。各物品のパネルの平坦な上面は、少なくとも２色を表示するグラフィックデザインをさらに備える。ここで、複数の物品のパネル上にあるグラフィックデザインは、ビジネス、サービス、または製品についての連携した広告キャンペーンを提供する。ある実施形態では、方法は、複数のパネルを、少なくとも１週間、２週間、３週間、１か月、２か月、３か月、６か月、および１年のグループから選択される期間が経過した後、ビジネス、サービス、または製品に関する別の広告を表示するパネルに交換するステップをさらに含む。ある実施形態では、グラフィックデザインは、少なくとも２〜１０色の色（好ましくは、２〜１０、３〜１０、４〜１０、５〜１０、２〜２０、３〜２０、４〜２０、５〜２０色）を表示するかまたは含む。ある実施形態では、色は互いに異なる原色である。ある実施形態では、色は、色調が異なる同じ色である。ある実施形態では、グラフィックデザインは、３００×３００ドット／インチ（ＤＰＩ）の解像度を有する。また、好ましくは、少なくとも７２０×７２０ＤＰＩに等しい解像度を有し、かつ１４４０×７２０ＤＰＩまたは１４４０×１４４０ＤＰＩまでの解像度を有する。ある実施形態では、グラフィックデザインは、少なくとも２〜１０の昇華染料で構成された、昇華法による高解像度のグラフィックデザインである。また、好ましくは、２〜１０、３〜１０、４〜１０、５〜１０、２〜２０、３〜２０、４〜２０、５〜２０の昇華染料で構成された、昇華法による高解像度のグラフィックデザインである。ある実施形態では、昇華染料は、上面を１０から２００マイクロメートル（好ましくは２０から１００マイクロメートル、最も好ましくは４０から８０マイクロメートル）まで浸透する。また、昇華染料は、引っ掻きおよび／または摩擦に耐性を有する高解像度なグラフィックデザインを提供することが好ましい。ある実施形態では、グラフィックデザインは、製品、ビジネス、またはサービスの情報を伝える。ある実施形態では、物品は、所定の位置に、取り外し可能なように可能に取り付けられている。ある実施形態では、グラフィックデザインは、クイックレスポンスコード、マトリクスコード、２次元バーコード、光学機器で読み取り可能なラベル、または他の読み取り可能なラベルを含んでいる。ある実施形態では、盛り上がったバーは、アレイ状に配置されている。ある実施形態では、グラフィックデザインは、ロゴ、スローガン、レタリング、絵画、名前、製品のイラスト、エンブレム、製品またはサービスに関する販売促進情報、道案内、およびシンボルを含むグループから選択される。ある実施形態では、方法は、連携した広告キャンペーンと組み合わせてパネルを表示するステップをさらに含む。宣伝運動は、印刷メディア（例えば、雑誌および新聞）、電子メディア（例えば、ウェブ）、ラジオ広告、テレビのコマーシャル、店内広告メ���ィア、屋外広告メディア（例えば、ビルボード）、ポスター、キオスク、プラカード、屋外家具（例えば、バスの車庫）、ニューススタンド、新聞立て、自転車立て、輸送メディア（例えば、バス停留所の表示）、電車の駅および空港、携帯のビルボード、バスの外装、タクシー、バスの内装、および他のメディアのグループから選択された異なる広告用メディア内で、製品、ビジネス、またはサービスの情報を提供する。
【００２７】
ある実施形態では、本発明は、以下のステップを含んだ、ビジネス、製品、またはサービスに関する広告を提供する方法を提供する。
（ｉ）表示をするために、１つまたは複数の歩道上における１つまたは複数のスペースを賃借するステップ。
（ｉｉ）実質的に平坦何上面および底面を有する基板を備えた１つまたは複数のパネル上に、広告を表示するステップ。上面は、触覚によって検知することが可能なように、パターン状に配置され、空間的に盛り上がった複数の特徴部を有する。上面は、広告をさらに備える。
ある実施形態では、少なくとも１週間、２週間、３週間、１か月、２か月、３か月、６か月、および１年のグループから選択される期間の後、パネルは、同一のまたは異なるビジネス、製品、またはサービスの広告を表示する物品と交換される。ある実施形態では、グラフィックデザインは、少なくとも２〜１０色の色（好ましくは、２〜１０、３〜１０、４〜１０、５〜１０、２〜２０、３〜２０、４〜２０、５〜２０色）を表示するかまたは含む。ある実施形態では、色は互いに異なる原色である。ある実施形態では、色は、色調が異なる同じ色である。ある実施形態では、グラフィックデザインは、３００×３００ドット／インチ（ＤＰＩ）の解像度を有する。また、好ましくは、少なくとも７２０×７２０ＤＰＩに等しい解像度を有し、かつ１４４０×７２０ＤＰＩまたは１４４０×１４４０ＤＰＩまでの解像度を有する。ある実施形態では、グラフィックデザインは、少なくとも２〜１０の昇華染料で構成された、昇華法による高解像度のグラフィックデザインである。また、好ましくは、２〜１０、３〜１０、４〜１０、５〜１０、２〜２０、３〜２０、４〜２０、５〜２０の昇華染料で構成された、昇華法による高解像度のグラフィックデザインである。ある実施形態では、昇華染料は、上面を１０から２００マイクロメートル（好ましくは２０から１００マイクロメートル、最も好ましくは４０から８０マイクロメートル）まで浸透する。また、昇華染料は、引っ掻きおよび／または摩擦に耐性を有する高解像度なグラフィックデザインを提供することが好ましい。ある実施形態では、グラフィックデザインは、製品、ビジネス、またはサービスの情報を伝える。ある実施形態では、物品は、所定の位置に、取り外し可能なように取り付けられている。ある実施形態では、グラフィックデザインは、クイックレスポンスコード、マトリクスコード、２次元バーコード、光学機器で読み取り可能なラベル、または他の読み取り可能なラベルを含む。ある実施形態では、盛り上がったバーは、アレイ状に配置されている。ある実施形態では、グラフィックデザインは、ロゴ、スローガン、レタリング、絵画、名前、製品のイラスト、エンブレム、製品またはサービスに関する販売促進情報、道案内、およびシンボルを含むグループから選択される。ある実施形態では、方法は、連携した広告キャンペーンと組み合わせてパネルを表示するステップをさらに含む。宣伝運動は、印刷メディア（例えば、雑誌および新聞）、電子メディア（例えば、ウェブ）、ラジオ広告、テレビのコマーシャル、店内広告メディア、屋外広告メディア（例えば、ビルボード）、ポスター、キオスク、プラカード、屋外家具（例えば、バスの車庫）、ニューススタンド、新聞立て、自転車立て、運送メディア（例えば、バス停留所の表示）、電車の駅および空港、携帯のビルボード、バスの外装、タクシー、バスの内装、および他のメディアのグループから選択された異なる広告用メディア内で、製品、ビジネス、またはサービスの情報を提供する。
【００２８】
ある実施形態では、本発明は、以下の構成要素を備えた広告システムである。
（ｉ）１つまたは複数の検知可能な警告または誘導パネル。警告または誘導パネルは、特徴部を有しており、法規に従うように、歩道上に配置されている。
（ｉｉ）グラフィックデザインで装飾された１つまたは複数の付随パネル。付随パネルは、警告または誘導パネルに隣接する位置、または、警告または誘導パネルの視認可能な近傍の位置に配置される。
ある実施形態では、グラフィックデザインは、すくなくとも２〜１０色（好ましくは、２〜１０、３〜１０、４〜１０、５〜１０、２〜２０、３〜２０、４〜２０、または５〜２０色）を表示するかまたは含む。１つまたは複数のパネルの各々は、実質的に平坦な上面および底面を有する。各物品のパネルの上面は、その上に、触覚で検知可能なように、パターン状に配置され、空間的に盛り上がった、複数の特徴部を有する。各物品のパネルの平坦な上面は、少なくとも２色を表示するグラフィックデザインをさらに備える。ここで、複数の物品のパネル上にあるグラフィックデザインは、ビジネス、サービス、または製品に関する連携した広告キャンペーンを提供する。ある実施形態では、グラフィックデザインは、少なくとも２〜１０色の色（好ましくは、２〜１０、３〜１０、４〜１０、５〜１０、２〜２０、３〜２０、４〜２０、５〜２０色）を表示するかまたは含む。ある実施形態では、色は互いに異なる原色である。ある実施形態では、色は、色調が異なる同じ色である。ある実施形態では、グラフィックデザインは、３００×３００ドット／インチ（ＤＰＩ）の解像度を有する。また、好ましくは、少なくとも７２０×７２０ＤＰＩに等しい解像度を有し、かつ１４４０×７２０ＤＰＩまたは１４４０×１４４０ＤＰＩまでの解像度を有する。ある実施形態では、グラフィックデザインは、少なくとも２〜１０の昇華染料で構成された、昇華法による高解像度のグラフィックデザインである。また、好ましくは、２〜１０、３〜１０、４〜１０、５〜１０、２〜２０、３〜２０、４〜２０、５〜２０の昇華染料で構成された、昇華法による高解像度のグラフィックデザインである。ある実施形態では、昇華染料は、上面を１０から２００マイクロメートル（好ましくは２０から１００マイクロメートル、最も好ましくは４０から８０マイクロメートル）まで浸透する。また、昇華染料は、引っ掻きおよび／または摩擦に耐性を有する高解像度なグラフィックデザインを提供することが好ましい。ある実施形態では、物品は、所定の位置に、取り外し可能なように取り付けられている。ある実施形態では、グラフィックデザインは、クイックレスポンスコード、マトリクスコード、２次元バーコード、光学機器で読み取り可能なラベル、または他の読み取り可能なラベルを含む。ある実施形態では、盛り上がったバーは、アレイ状に配置されている。ある実施形態では、グラフィックデザインは、ロゴ、スローガン、レタリング、絵画、名前、製品のイラスト、エンブレム、製品またはサービスに関する販売促進情報、道案内、およびシンボルを含むグループから選択される。ある実施形態では、方法は、連携した広告キャンペーンと組み合わせてパネルを表示するステップをさらに含む。ある実施形態では、方法は、連携した広告キャンペーンと組み合わせて物品を表示するステップをさらに含む。宣伝運動は、印刷メディア（例えば、雑誌および新聞）、電子メディア（例えば、ウェブ）、ラジオ広告、テレビのコマーシャル、店内広告メディア、屋外広告メディア（例えば、ビルボード）、ポスター、キオスク、プラカード、屋外家具（例えば、バスの車庫）、ニューススタンド、新聞立て、自転車立て、運送メデ���ア（例えば、バス停留所の表示）、電車の駅および空港、携帯のビルボード、バスの外装、タクシー、バスの内装、および他のメディアのグループから選択された異なる広告用メディア内で、製品、ビジネス、またはサービスの情報を提供する。
【００２９】
ある実施形態では、本発明は、グラフィックデザインで装飾された、平坦な、１つまたは複数の付随パネルを表示するステップと、そのパネルが、特徴部を有し、また法規に従うように歩道上に配置された警告または誘導パネルに隣接する位置、または警告または誘導パネルの視認可能な近傍の位置に配置されるステップとを含む広告の方法を提供する。ある実施形態では、方法は、グラフィックデザインで装飾されており、特徴部を有するパネルから、視認可能な範囲で離れた、１つまたは複数の遠隔付随パネルをさらに備える。
【００３０】
ある実施形態では、本発明は、グラフィックデザインで装飾された１つまたは複数の付随パネルを備えた広告システムを提供する。上記パネルは、警告または誘導パネルに隣接する位置、または、警告または誘導パネルの視認可能な近傍の位置に配置される。警告または誘導パネルは、特徴部を有しており、法規に従うように、歩道上に配置されている。ある実施形態では、システムは、グラフィックデザインで装飾された、１つまたは複数の遠隔付随パネルをさらに備える。遠隔付随パネルは、特徴部を有する警告または誘導パネルから、視認可能な範囲で離れている。
【００３１】
ある実施形態では、本発明は、以下のステップを含んだ、シート成形複合材料の基板を昇華法により装飾する方法を提供する。
（ｉ）１５％から６５％（好ましくは５％から６５％）未満のガラスファイバーを含んだシート成形複合材料から、物品を形成するステップ。
（ｉｉ）１つまたは複数の昇華染料を印加することによって、上記物品の少なくとも１つの面上に、画像またはグラフィックデザインを印刷するステップ。
ある実施形態では、物品は、およそ５％から１５％のガラスファイバーを含む少なくとも一層のシート成形複合材料を含んだ、少なくとも１つの面を備える。そして、１つまたは複数の昇華染料は、およそ５％から１５％のガラスファイバーを含む少なくとも一層のシート成形複合材料を含んだ、少なくとも１つの面に印加される。ある実施形態では、およそ５％から１５％のガラスファイバーを含んだ少なくとも一層のシート成形複合材料は、より高い割合（例えば、２０％から６５％、または３０％から５０％）のガラスを含んだシート成形複合材料の底面の一番上に配置されている。ある実施形態では、グラフィックデザインは、少なくとも２〜１０色の色（好ましくは、２〜１０、３〜１０、４〜１０、５〜１０、２〜２０、３〜２０、４〜２０、５〜２０色）を表示するかまたは含む。ある実施形態では、色は互いに異なる原色である。ある実施形態では、色は、色調が異なる同じ色である。ある実施形態では、グラフィックデザインは、３００×３００ドット／インチ（ＤＰＩ）の解像度を有する。また、好ましくは、少なくとも７２０×７２０ＤＰＩに等しい解像度を有し、かつ１４４０×７２０ＤＰＩまたは１４４０×１４４０ＤＰＩまでの解像度を有する。ある実施形態では、グラフィックデザインは、少なくとも２〜１０の昇華染料で構成された、昇華法による高解像度のグラフィックデザインである。また、好ましくは、２〜１０、３〜１０、４〜１０、５〜１０、２〜２０、３〜２０、４〜２０、５〜２０の昇華染料で構成された、昇華法による高解像度のグラフィックデザインである。ある実施形態では、昇華染料は、上面を１０から２００マイクロメートル（好ましくは２０から１００マイクロメートル、最も好ましくは４０から８０マイクロメートル）まで浸透する。また、昇華染料は、引っ掻きおよび／または摩擦に耐性を有する高解像度なグラフィックデザインを提供することが好ましい。
（図面の簡単な説明）
本発明の理解を深めるために、以下の添付図面を参照してもよい。
【００３２】
図１Ａは、触覚警告面指示器（Tactile Warning Surface Indicators；ＴＷＳＩ）の“注意パターン”を示す。この“注意パターン”は、主な移動の方向に平行に、切頭ドームまたは円錐台を示している。
【００３３】
図１Ｂは、ＴＷＳＩの“注意パターン”を示す。この“注意パターン”は、主な移動の方向に対して４５°傾いた方向に、切頭ドームまたは円錐台を示している。
【００３４】
図２Ａは、ＴＷＳＩの“誘導パターン”を示す。この“誘導パターン”は、平坦な上面を有する引き伸ばされた長円形のバーのパターンを有する。
【００３５】
図２Ｂは、ＴＷＳＩの“誘導パターン”を示す。この“誘導パターン”は、平坦な上面を有する引き伸ばされた矩形のバーのパターンを有する。
【００３６】
図２Ｃは、ＴＷＳＩの“誘導パターン”を示す。この“誘導パターン”は、シヌソイド型のリブ（畝）のパターンを有する。
【００３７】
図２Ｄは、ＴＷＳＩの“誘導パターン”を示す。この“誘導パターン”は、平坦な上面を有する引き伸ばされた長円形のリブのパターンを有する。
【００３８】
図３Ａは、「ＭｅｔａＤｏｍｅ」によって製造された、隆起（リッジ）を有する切頭ドームの側面を示す。
【００３９】
図３Ｂは、「ＭｅｔａＤｏｍｅ」によって製造された、隆起を有する切頭ドームの上面を示す。
【００４０】
図４Ａは、ＡＤＡに準拠する２４”×４８”の面に搭載／貼付／事後設置される検知可能警告パネルの上面を示す。この検知可能警告パネルは、直線状に並んだドームの注意パターンを有する。
【００４１】
図４Ｂは、ＡＤＡに準拠する２４”×４８”面に搭載／貼付／事後設置される検知可能警告パネルの端面を示す。この検知可能警告パネルは、直線状に並んだドームの注意パターンを有する。
【００４２】
図４Ｃは、ＡＤＡに準拠する２４”×４８”の面に搭載／貼付／事後設置される検知可能警告パネルの側面を示す。この検知可能警告パネルは、直線状に並んだドームの注意パターンを有する。
【００４３】
図５Ａは、ＡＤＡに準拠する２４”×４８”の現場打ちされる検知可能警告パネルの上面を示す。この検知可能警告パネルは、直線状に並んだドームの注意パターンを有する。
【００４４】
図５Ｂは、ＡＤＡに準拠する２４”×４８”の現場打ちされる検知可能警告パネルの端面を示す。この検知可能警告パネルは、直線状に並んだドームの注意パターンを有する。
【００４５】
図５Ｃは、ＡＤＡに準拠する２４”×４８”の現場打ちされる検知可能警告パネルの側面を示す。この検知可能警告パネルは、直線状に並んだドームの注意パターンを有する。
【００４６】
図６Ａは、ＡＤＡに準拠する２４”×４８”の改修可能な検知可能警告パネルの上面を示す。この検知可能警告パネルは、直線状に並んだドームの注意パターンを有する。
【００４７】
図６Ｂは、ＡＤＡに準拠する２４”×４８”の改修可能な検知可能警告パネルの端面を示す。この検知可能警告パネルは、直線状に並んだドームの注意パターンを有する。
【００４８】
図６Ｃは、ＡＤＡに準拠する２４”×４８”の改修可能な検知可能警告パネルの端面を示す。この検知可能な警告パネルは、直線状に並んだドームの注意パターンを有する。
【００４９】
図６Ｄは、ＡＤＡに準拠する２４”×４８”の改修可能な検知可能警告パネルの上部の側面を示す。この検知可能な警告パネルは、直線状に並んだドームの注意パターンを有する。
【００５０】
図６Ｅは、ＡＤＡに準拠する２４”×４８”の改修可能な検知可能警告パネルの底部の側面を示す。この検知可能な警告パネルは、直線状に並んだドームの注意パターンを有する。
【００５１】
図７は、改修可能なパネルの外皮切断図上に、切頭ドームの３次元図を示す。
【００５２】
図８Ａは、改修可能な検知可能警告パネルの３次元上面図を示す。この検知可能警告パネルは、該パネルの上部に現れた、直線状のドームの注意パターンを有する。
【００５３】
図８Ｂは、改修可能な検知可能警告パネルの３次元上面図を示す。この検知可能警告パネルは、該パネルの底部に現れた、直線状のドームの注意パターンを有する。
【００５４】
図９Ａは、改修可能な検知可能警告パネルの３次元底面図を示す。この検知可能警告パネルは、該パネルの上部に現れた、直線状のドームの注意パターンを有する。
【００５５】
図９Ｂは、改修可能な検知可能警告パネルの３次元底面図を示す。この検知可能警告パネルは、該パネルの底部に現れた、直線状のドームの注意パターンを有する。
【００５６】
図１０Ａは、プラスティック複合材料面に搭載される検知可能警告パネルの上面を示す。この検知可能警告パネルは、直線状のドームの注意パターンを有する。
【００５７】
図１０Ｂは、プラスティック複合材料面に搭載される検知可能警告パネルの側面を示す。この検知可能警告パネルは、直線状のドームの注意パターンを有する。
【００５８】
図１０Ｃは、プラスティック複合材料面に搭載される検知可能警告パネルの側面の拡大詳細を示す。この検知可能警告パネルは、直線状のドームの注意パターンを有する。
【００５９】
図１０Ｄは、プラスティック複合材料の検知可能警告パネルの拡大詳細を示す。
【００６０】
図１１は、１層の粉体塗装用塗料５で塗装された導電性基板１を示す。粉体塗装用塗料層５は、白くて凹凸のある粉体塗装用塗料である（ＡＤＡ１１０４／０６−Ｗケミカルテクスチャ）。
【００６１】
図１２は、１層の粉体塗装用塗料３で塗装された導電性基板１２を示す。粉体塗装用塗料層３は、白くて凹凸のある粉体塗装用塗料である（ＡＤＡ１１０４／０４−Ｗラバーテクスチャ）。
【００６２】
図１３は、１層の粉体塗装用塗料４で塗装された導電性基板１を示す。粉体塗装用塗料層４は、白くて凹凸のある粉体塗装用塗料である（ＡＤＡ１１０４／０５−Ｗラバーテクスチャ）。
【００６３】
図１４は、１層の粉体塗装用塗料１０で塗装された導電性基板１を示す。粉体塗装用塗料層１０は、澄んだ色の／透明な、つやのない、凹凸のある、ポリウレタンの、粉体塗装用塗料である（ＤＳ７０７テクスチャ）。
【００６４】
図１５は、１層の粉体塗装用塗料９で塗装された導電性基板１を示す。粉体塗装用塗料層９は、澄んだ色の／透明な、つやのない、凹凸のある、高耐久性ポリウレタンの、粉体塗装用塗料である（ＡＤＡ１１０４／０６ケミカルテクスチャ）。
【００６５】
図１６は、１層の粉体塗装用塗料１１で塗装された導電性基板１を示す。粉体塗装用塗料層１１は、澄んだ色の／透明な、粉体塗装用塗料である（テクスチャなし）。
【００６６】
図１７は、２層の粉体塗装用塗料で塗装された導電性基板１を示す。第１層６は、白いポリエステル粉体塗装用塗料（テクスチャなし）であり、第２層９は、澄んだ色の／透明な、つやのない、凹凸のある、ポリウレタンの、超耐久性粉体塗装用塗料である（ＡＤＡ１１０４／０６ケミカルテクスチャ）。
【００６７】
図１８は、２層の粉体塗装用塗料で塗装された導電性基板１を示す。第１層７は、白くて凹凸のある粉体塗装用塗料（ＭＤＰＣ９０テクスチャ）であり、第２層９は、澄んだ色の／透明な、つやのない、凹凸のある、ポリウレタンの、超耐久性粉体塗装用塗料である（ＡＤＡ１１０４／０６ケミカルテクスチャ）。
【００６８】
図１９は、２層の粉体塗装用塗料で塗装された導電性基板１を示す。第１層８は、白くて凹凸のある粉体塗装用塗料（ＭＤＰＣ６０Ａケミカルテクスチャ）であり、第２層１０は、澄んだ色の／透明な、つやのない、凹凸のある、ポリウレタンの、粉体塗装用塗料である（ＤＳ７０７テクスチャ）。
【００６９】
図２０は、２層の粉体塗装用塗料で塗装された導電性基板１を示す。第１層７は、白くて凹凸のある粉体塗装用塗料（ＭＤＰＣ９０テクスチャ）であり、第２層１０は、澄んだ色の／透明な、つやのない、凹凸のある、ポリウレタンの、粉体塗装用塗料である（ＤＳ７０７テクスチャ）。
【００７０】
図２１は、２層の粉体塗装用塗料で塗装された導電性基板１を示す。第１層８は、白くて凹凸のある粉体塗装用塗料（ＭＤＰＣ６０Ａケミカルテクスチャ）であり、第２層９は、澄んだ色の／透明な、つやのない、凹凸のある、ポリウレタンの、超耐久性粉体塗装用塗料である（ＡＤＡ１１０４／０６ケミカルテクスチャ）。
【００７１】
図２２は、２層の粉体塗装用塗料で塗装された導電性基板１を示す。第１層６は、白いポリエステル粉体塗装用塗料（テクスチャなし）であり、第２層１１は、澄んだ色の／透明な粉体塗装用塗料である（テクスチャなし）。
【００７２】
図２３は、２層の粉体塗装用塗料で塗装された導電性基板１を示す。第１層６は、白いポリエステル粉体塗装用塗料（テクスチャなし）であり、第２層１０は、澄んだ色の／透明な、つやのない、凹凸のある、ポリウレタンの、粉体塗装用塗料である（ＤＳ７０７テクスチャ）。
【００７３】
図２４は、２層の粉体塗装用塗料で塗装された導電性基板１を示す。第１層６は、白いポリエステル粉体塗装用塗料（テクスチャなし）であり、第２層９は、澄んだ色の／透明な、つやのない、凹凸のある、ポリウレタンの、超耐久性粉体塗装用塗料である（ＡＤＡ１１０４／０６ケミカルテクスチャ）。
【００７４】
図２５は、昇華法を用いて非導電性基板２を装飾する処理を示す（シート成形複合材料）。
【００７５】
図２６は、昇華法を用いて、以下（３、４、５、９、１０、および１１）から選択される１層の粉体塗装用塗料で導電性基板１を装飾する処理を示す。図は、粉体塗装用塗料の上記１層への染料の熱遷移を示す。
【００７６】
図２７は、昇華法を用いて、２層の粉体塗装用塗料で導電性基板１を装飾する処理を示す。粉体塗装用塗料の第１層は以下（６、７、８）から選択される。粉体塗装用塗料の第２層は以下（９、１０、および１１）から選択される。図は、粉体塗装用塗料の上記２上面層への染料の熱遷移を示す。
【００７７】
図２８は、基板上に会社のロゴまたはグラフィックデザインを有する注意パターンＴＷＳＩを示す。
【００７８】
図２９は、クイックレスポンスコード（ＱＲコード（登録商標））の例を示す。
【００７９】
図３０は、会社のロゴまたはグラフィックデザインと、クイックレスポンスコードと、を基板上に有する注意パターンのＴＷＳＩを示す。
【００８０】
図３１は、会社のロゴまたはグラフィックデザインを基板上に有する注意パターンのＴＷＳＩを示す。
【００８１】
図３２は、互いに隣接する２つの注意パターンのＴＷＳＩを示す。これらの２つの注意パターンのＴＷＳＩは、第１のＴＷＳＩから第２のＴＷＳＩまでつながる会社のロゴを有する。
【００８２】
図３３は、互いに隣接する２つの注意パターンのＴＷＳＩを示す。これらの２つの注意パターンのＴＷＳＩは、第１のＴＷＳＩから第２のＴＷＳＩまでつながった、販売促進のためのウェルカムメッセージを有する。
【００８３】
図３４は、縁に配置された２つの注意パターンのＴＷＳＩを示す。これらの２つの注意パターンのＴＷＳＩは、第１のＴＷＳＩから第２のＴＷＳＩまでつながった、販売促進のためのウェルカムメッセージを有する。
【００８４】
図３５は、２つの注意パターンのＴＷＳＩの包括的な例を示す。これらの２つの注意パターンのＴＷＳＩは、互いに隣接しているかまたは同じ仮想領域内に存在するＴＷＳＩの各々の上に、異なるグラフィックデザインを有する。
【００８５】
図３６は、第１のＴＷＳＩから第２のＴＷＳＩまでつながったグラフィックデザイン（販売促進のためのウェルカムメッセージ）を有する、縁に配置された２つの注意パターンのＴＷＳＩを示す。グラフィックデザインを有さない誘導パターンのＴＷＳＩも示す。
【００８６】
図３７は、第１のＴＷＳＩから第２のＴＷＳＩまでつながったグラフィックデザイン（販売促進のためのウェルカムメッセージ）を有する、縁に配置された２つの注意パターンのＴＷＳＩを示す。グラフィックデザインを有する誘導パターンのＴＷＳＩも示す。
【００８７】
図３８は、２つの注意パターンのＴＷＳＩと、１つの誘導パターンのＴＷＳＩと、平坦なパネルと、を含んだ広告システムの一例を示す。２つの注意パターンは、縁に配置されており、第１のＴＷＳＩから第２のＴＷＳＩにつながるグラフィックデザイン（販売促進のためのウェルカムメッセージ）を有する。誘導パターンのＴＷＳＩは、グラフィックデザインを有する。平坦なパネルは、ＴＷＳＩの視認可能な近傍に存在する。
【００８８】
図３９は、２つの注意パターンのＴＷＳＩと、３つの平坦な基板パネルとを含んだ広告システムの一例を示す。２つの注意パターンのＴＷＳＩは、縁に配置されており、グラフィックデザインを有する。３つの平坦な基板パネルは、ＴＷＳＩの視認可能な近傍に配置されている。
【００８９】
図４０は、２つの注意パターンのＴＷＳＩと、１つの誘導パターンのＴＷＳＩと、４つの平坦な基板パネルとを含んだ広告システムの一例を示す。２つの注意パターンは、縁に配置されており、第１のＴＷＳＩから第２のＴＷＳＩにつながるグラフィックデザイン（販売促進のためのウェルカムメッセージ）を有する。誘導パターンのＴＷＳＩは、グラフィックデザインを有する。４つの平坦な基板パネルは、ＴＷＳＩの視認可能な近傍に配置されている。
【００９０】
図４１は、「Ａｌｂｅｓｔｅｒ６５２０」の光沢の変化関係を示す。
【００９１】
本技術の理解を容易にするために、多数の用語および語句を以下で定義する。追加的な定義が詳細な説明の全体で与えられる。
【００９２】
“アクセス可能”は、障害を有する者が到達可能であり使用可能である、公的または私的に正当な方法の範囲内で、容易であることを示すために使用される。
【００９３】
“代替歩行者アクセスルート”は、工事、変質、メンテナンス、または他の一時的な条件によって歩行者アクセスルートが閉鎖されているときに、一時的にアクセス可能であるルートを示すために使用される。
【００９４】
“代替歩行者道路”は、工事、変質、メンテナンス、または他の一時的な条件によって歩行者道路が閉鎖されているときに、一時的にアクセス可能であるルートを示すために使用される。
【００９５】
“注意パターン”は、１つまたは複数の危険や判定点に対する注意を呼びかけるＴＷＳＩデザインを示すために使用される。注意パターンは、歩行者の近辺（交差点、傾斜のある縁石、鉄道のプラットフォーム、階段、斜面、エスカレーター、動く歩道、エレベーター等）に設置され得る。
【００９６】
“判定点”は、ＴＷＳＩによって定められる移動経路に沿った方向が交差または変化する所を示すために使用される。
【００９７】
“グラフィックデザイン”は、グラフィックアートの製品を示すために使用される。グラフィックアートは、テキストおよび／またはグラフィック、効果的なメッセージまたは楽しいデザインの通信を含み、ロゴ、広告、ブランディング、販売促進（プロモーション）、絵画、グラフィック、ポスター、サイン、および他の種類の視覚的なコミュニケーションを含むが、これに限定されない。グラフィックデザインは、選択され、整列された視覚的な要素（例えば、タイポグラフィ、画像、シンボル、および色）を含むことが好ましい。この視覚的な要素は、観客に対するメッセージを示したり、効果を生み出したりする。
【００９８】
“高解像度”は、約３００×３００ドット／インチ（ＤＰＩ）から、約１４４０×１４４０ＤＰＩまでの解像度（好ましくは、約７２０×７２０ＤＰＩから約１４４０×１４４０）を有するグラフィックデザインを示すために使用される。
【００９９】
“昇華法による高解像度のグラフィックデザイン”は、１つまたは複数の昇華染料を用いて基板に印刷されたグラフィックデザインを示すために使用される。このグラフィックデザインは、昇華染料が基板の表面を１０から２００マイクロメートル（好ましくは２０から１００マイクロメートル、最も好ましくは４０から８０マイクロメートル）まで浸透し、かつ、約３００×３００ドット／インチ（ＤＰＩ）から、約１４４０×１４４０ＤＰＩまでの解像度（好ましくは、約７２０×７２０ＤＰＩから約１４４０×１４４０）を有するように、基板に印刷される。
【０１００】
“誘導パターン”は、移動の方向またはランドマークを指し示すＴＷＳＩデザインを示すために使用される。
【０１０１】
“危険”は、人を傷害のリスクにさらす領域または要素が、移動の方向に含まれるか、または近傍にあることを示すために使用される。
【０１０２】
“歩行者道路（歩道）”は、歩行者が使用するために設計された道、歩くための小道、歩くため以外の小道、建物に接続する小道または道、または小道または道（特に、舗装されているか地面から盛り上がっているもの）を示すために使用される。“歩行者道路（歩道）”という用語は、以下のものを包含する。舗装された歩道または舗装路、歩行者の小道、歩行者の道、共用道路、細道、多目的道路、縁石斜面、階段、斜面、通行路、分離された歩行者の道、踏切、プラットフォーム、歩行者の橋、踏み越し段、トンネル、歩行者道路、歩行者通行帯、歩行者アクセス可能ルート、代替歩行者アクセスルート、代替歩行者道路、一時的な歩行者道路、陸橋、他の道路と交差するための歩行者地下道、歩行者高架道、エスカレーター、トラベレーター（travelator）、横断歩道、動く歩道、路線交通機関のプラットフォーム、架橋（スカイブリッジ；skybridge）、およびその類似物。
【０１０３】
“歩行者アクセスルート”は、公的に正当な方法の範囲に含まれる歩行者通路の中にいるか、または行き当たった障害者のために提供される、妨害なく連続する道を意味する。公的に正当な方法の範囲内の歩行者アクセスルートは、歩行者によって使用される交通ネットワークが障害者にアクセス可能であることを確実にする。 
【０１０４】
“一時的な歩行者道路”は、工事、変質、メンテナンス、または他の一時的な条件によって歩行者道路が閉鎖されているときに使用される、歩行者の一時的な道路を意味する。
【０１０５】
“触覚歩行面指示器（ＴＷＳＩ）は、盲人または視覚障害者によって情報として利用される標準的な歩行面を意味する。
【０１０６】
“切頭ドームまたは円錐台”は、注意パターンの一種を意味し、また、平坦な上面を有するドームまたは円錐も意味する。“道発見”は、物理的な空間において、人が方向を見定め、場所から場所へと案内する方法の全体を含む。都市計画において、それは、常に役立ち、また、外界からの限定的な感覚の手がかり（特別なニーズのあるユーザのための触知物および設備）の集まりである。
（発明を実施するための形態）
本発明は、好ましくは広告システムとして用いられる、２つの目的のグラフィックデザインを有する触覚歩行面指示器（ＴＷＳＩ：Tactile Walking Surface Indicator）を提供する。歩行者用の歩道におけるこの新しい広告場所は、視力障害を有する歩行者への注意と案内という安全面、および、見ることができる歩行者への広告／宣伝／ブランドのメッセージを含むグラフィックデザインを合わせた２つの目的のＴＷＳＩを利用する。本発明は、特許されたおよび特許出願中の両方のＴＷＳＩパネル構成を含み、凹凸加工の粉体塗装およびインク／染料・昇華方法／装置だけでなく、導電および非導電の基板の両方に適用可能な全ての、粉体塗装プロセス／システム、ならびに公知になった全ての従来の変形を含む。
【０１０７】
（Ａ．触覚歩行面指示器）
触覚歩行面指示器（ＴＷＳＩ）は、視覚障害を有する歩行者に道案内情報を提供するために、多くの先進国およびいくつかの途上国において広く使われている。ＴＷＳＩはまた、視覚障害者がプラットフォームの端、階段、エスカレーター、または、舗装道路の終わりおよび通りの始まりのような危険に近づいているときに、彼らに警告するためにも使用される。ＴＷＳＩは、視覚障害者にとって周囲のまたは隣接する面からすぐに区別可能かつ検知可能であるべきである。これらは、屋外だけでなく、屋内でも使用される。安全性および道探しのために触覚情報を提供することにより、ＴＷＳＩは視覚障害者の制限、独立性、および生活の質を向上する。これは、彼らに、雇用、社会、レクリエーション、教育、文化、および宗教の活動に参加することを可能にすることにより達成される。
【０１０８】
道探しおよび安全に関する情報を視覚障害者に提供する他のシステムおよび装置がある。これらは、歩行者用信号機で交差点（横断歩道）の情報を提供するための音および／または振動を使用する、利用しやすい信号（シグナル）を含む。視覚障害者がＧＰＳに基づく、リアルタイムの道探し情報および公共の建物のいくつかの電子情報システムの両方を使用することも現在では可能である。このような電子システムは、触覚情報の要求を補完（ただし置き換えられない）することができる。
【０１０９】
それらの有利性のうちで、ＴＷＳＩは、目的地にユーザを正確に導くことができ、屋内および屋外の両方の情報を提供するために使用され、電力を必要とせず、ユーザは特別な道具を購入または維持する必要も無い。ＴＷＳＩは、日本に住む三宅精一によって１９６５年に初めて開発された。２つの一般的な凹凸パターンがＴＷＳＩのために使用される（注意パターンおよび誘導パターン）。これらのＴＷＳＩパターンの使用法は、国毎に幾分異なる。「注意パターン」（先端が切られた半球体または円錐）および「誘導パターン」（盛り上がったバー）の両方は、典型的な歩行面に使用されたとき、検出性が高く、かつ、それらは互いに区別可能であることが、様々な国における長年に渡る広範囲の調査で証明されてきた。１９６５年から、ＴＷＳＩ表面の凹凸は修正されてきており、設置のシステムは、複数の国の間だけでなく、各国の中でも、世界中で変化した。現在では、複数の、パターン、大きさ、色、ならびに、材質および設置のシステムの仕様が見られる。しかしながら、視覚障害者に触覚情報を提供するとき、一貫性は重要である。各国は、いくつかの独自の態様を持っているかもしれないが、大まかに言えば、複数のＴＷＳＩは多くの類似した特徴を有している。国際標準が発展している（ＩＳＯ２３５９９、０３／０１／１２）。この標準の範囲は、「国の標準、規則およびガイドライン…に含まれる要件および推奨を置き換えることを意図するものではない」しかしながら、「国の設計標準は、１つの国の中で一貫したＴＷＳＩシステムを提供するだけでなく、各国の異なる自然、天候、および社会的状況を考慮した高い品質の製品を提供する」と述べている。このＩＳＯ標準は、形状、寸法、配列、輝度の方式および設置方法のようなパラメータの違いを許容する。これは、異なる国の事情を考慮して柔軟性を与えるためである。
【０１１０】
「注意パターン」は、先端が切られた半球体または円錐（また、検知可能な警告システム、検知可能な警告、検知可能な警告面、検知可能なパネル、触覚警告面、盛り上がった触覚形状、触覚タイル、触覚検知可能な警告、触覚警告面、触覚、切頭半球体、切頭半球体面、埋め込みタイル装置、点字（ブライユ）ブロック、ブリスター（発泡）舗装、注意パターン、とも一般に呼ばれる）を含み、危険、判定点、目的施設を示すために主に使用される。判定点は、交差点、または案内通路に沿って方向が変わる点であってもよい。この「注意パターン」は、主な進行方向に対して平行にまたは４５°斜めに、四角格子に配置される。図１Ａは、四角またはインライン格子を有する「注意パターン」パネル１００を示す。「注意パターン」パネル１００は、歩行者の主な進行方向に対して好ましくは平行である。先端が切られた複数の半球体または円錐は、基板パネルの表面から上に突き出た丸みのある／円錐状のドーム構造１０７である。先端が切られた半球体または円錐の頂上の領域１０５は、平らな面である。図１Ｂは、歩行者の主な進行方向に対して４５°斜めの、先端が切られた半球体または円錐を有する「注意パターン」パネル１００を示す。先端が切られた複数の半球体または円錐は、基板パネルの表面から上に突き出た丸みのある／円錐状のドーム構造１０７である。先端が切られた半球体または円錐の頂上の領域１０５は、平らな面である。半球体の大きさおよび間隔は、具体的な国、政府、地方自治体の規格に応じて変わる。全てを含んではいないが、例として、国際標準（ＩＳＯ２３５９９）は、先端が切られた半球体または円錐の高さは好ましくは４ｍｍから５ｍｍと規定している。先端が切られた半球体または円錐の頂上の直径は、好ましくは１２ｍｍから２５ｍｍの範囲であり、先端が切られた半球体または円錐の底の直径は、好ましくは頂上の直径より（１０±１）ｍｍ大きい。スペーシング（間隔）は、進行方向に平行または４５°斜めである、隣接する２つの、先端が切られた半球体または円錐の中心の最短距離である。このスペーシングは、好ましくは表１（頂上の直径、および、対応する先端が切られた半球体または円錐のスペーシング）の頂上の直径に関連して示される範囲内である。頂上の直径の許容誤差は好ましくは±１ｍｍである。
【０１１１】
【表１】
2018022168.tif 000003
【０１１２】
これらの先端が切られた半球体のパネルは、周囲のコンクリートまたは舗装に対して対照的な色でありさえすれば、どのような色でもよい。一般的な色は、赤、黄、黒、茶、緑青、グレー、および白である。「注意パターン」は、歩行者横断歩道、傾斜のある縁石、鉄道のプラットフォーム、階段、斜面、エスカレーター、動く歩道、エレベーター等の周辺に設置されてもよい。
【０１１３】
「誘導パターン」は、盛り上がった複数のバー（また、細長いバー（棒）、方向指示ブロック、細長い楕円形のバー、細長い楕円形のリブ、細長い矩形のリブ、薄い線状突起、盛り上がった楕円形、シヌソイド、リブ付きタイル、誘導パターン、とも一般に呼ばれる）を含み、歩行者横断歩道、建物の入口、リフトおよび他の施設（アメニティ）のような特定の場所に視覚障害者を誘導するために使用される。頂点が平らな細長いバーが主流であるが、「誘導パターン」として異なるデザインが発展してきた。図２Ａは、複数の細長い楕円形のバーを有する「誘導パターン」基板１１３である。細長い楕円形のバーは、丸い上端１１５と平らな頂上１１７とを有する。図２Ｂは、複数の細長い矩形のバーを有する「誘導パターン」基板１１３を示す。細長い矩形のバーは、丸い上端１２１と平らな頂上１１７とを有する。図２Ｃは、シヌソイドのリブのデザインを有する「誘導パターン」基板１１３である。シヌソイドのリブは、高い稜線１２５および低い谷の点１２３を有する。シヌソイドのパターンは、平らな頂上のバーよりも、除雪によって容易にはダメージを受けにくい。図２Ｄは、細長い楕円形のリブのデザインを有する「誘導パターン」基板１１３である。この細長い楕円形のリブは、丸い上端１２９と平らな頂上１３１とを有する。これらの盛り上がったバーは、たいていの場合、歩行者の進行方向と平行に走っている。盛り上がったバーのスペーシングおよび大きさは、特定の国、政府、または地方自治体の規格に応じて変わる。例えば、国際標準（ＩＳＯ２３５９９）は、平らな頂上の細長いバーの高さは好ましくは４ｍｍから５ｍｍ、と規定している。平らな頂上の細いバーの頂上の幅は、好ましくは１７ｍｍから３０ｍｍの範囲である。底の幅は、頂上より好ましくは（１０±１）ｍｍ広い。スペーシングは、隣接する平らな頂上の細長いバーの軸の間の距離である。この距離は、表２（頂上の幅、および、対応する平らな頂上の細長いバーの軸のスペーシング）に示すように、好ましくは頂上の幅に関連している。頂上の幅の許容誤差は好ましくは±１ｍｍである。
【０１１４】
【表２】
2018022168.tif 000004
【０１１５】
平らな頂上の細長いバーの頂上の長さは、好ましくは２７０ｍｍより大きく、底の長さは、頂上より好ましくは（１０±１）ｍｍ長い。平らな頂上の細長いバーの端部の間の距離は、３０ｍｍ以下であるべきである。国際標準（ＩＳＯ２３５９９）は、シヌソイドのリブのパターンの波高点と波の谷との間の高さの差は、好ましくは４ｍｍから５ｍｍと規定している。シヌソイドのリブのパターンの隣接する２つの波高点の軸の間の距離は、好ましくは４０ｍｍから５２ｍｍである。シヌソイドのリブの長さは、少なくとも２７０ｍｍであるべきである。平らな細長いバーまたはシヌソイドのリブは、周囲のコンクリートまたは舗装に対して対照的な色でありさえすれば、どのような色でもよい。
【０１１６】
「誘導パターン」は、ある場所から別の場所への歩行経路を示すために、単独で用いられても、「注意パターン」と合わせて用いられてもよい。先端が切られた半球体または円錐、および、細長いバーまたはシヌソイドのリブは、つまずく可能性を減らすため、および、移動障害を有する人々のための安全性と通行可能性とを高めるために、斜めの端部または丸い端部を有することが好ましい。
【０１１７】
米国では、視覚障害者のためのこれらのＴＷＳＩ製品は、検知可能な警告または先端が切られた半球体（切頭ドーム）（検知可能な警告面／パネル）と呼ばれる。検知可能な警告は、アメリカ身体障害者法令（ＡＤＡ）によって１９９１年に命じられた。ＡＤＡは、身体障害者の市民権を認め保護し、人種および性別に基づく差別を禁止する先立つ画期的な法律の後のモデルである。ＡＤＡは、多くの地方自治体、行政体、商用の／公用の建物、ショッピングセンター、交通のプラットフォーム、船積みドック、等に検知可能な警告パネルを利用するように命じている。検知可能な警告パネルは、杖または足底によって検知可能な、複数の半球体の特殊な表面パターン（３次元基板）であり、道路および危険な崖に近づく視覚障害者に警告するために使用される。視覚障害者は、これらの危険なエリアを特定するために、視覚の合図（色のコントラスト）、触覚の合図（走査杖、靴の足底、車椅子および歩行器）、および音声の合図（音）の組み合わせに頼る。表３は、公道、州および地方行政施設、ならびに商用施設に関するいくつかの重要なＡＤＡガイドライン文書を示す。
【０１１８】
【表３】
2018022168.tif 000005
【０１１９】
建物および施設が視覚障害者にとってアクセス可能かつ使用可能であることを保証するために、ＡＤＡはまた、州および地方行政施設、宿泊場所、および商用施設に関するアクセス可能な要件を定めている。ＡＤＡ下において、米国アクセス委員会は、アメリカ身体障害者アクセス性ガイドライン（ＡＤＡＡＧ）として知られる、アクセス可能な建物および施設に関する設計ガイドラインを発展させ、その整備を続けてきた。ＡＤＡＡＧは、縁の斜面、横断歩道、乗り換え施設、商用アプリケーション（ホテル、レストランおよび小売店）、駐車場、階段、エスカレーター入口、およびアクセス可能な建物の道を含む、歩行者道路が車道と混在している場所における検知可能な警告に関するあるタイプの規則／応用を、発展させ／規定している。
【０１２０】
アクセス可能なデザインに関するＡＤＡＡＧ２０１０ＡＤＡ標準は、検知可能な警告は、切頭ドームの表面から構成されるのが好ましいと規定されている。検知可能な警告面におけるこれらの切頭ドームに関するＡＤＡ標準は、最小０．９インチ〜最大１．４インチの基部の直径と、基部の直径の最小５０％〜最大６５％の頂上の直径と、０．２インチの高さとを有する。検知可能な警告面における切頭ドームは、最小１．６インチ〜最大２．４インチの中心から中心のスペーシングと、四角格子上に最隣接したドームの間を測定した、最小０．６５インチの基部から基部のスペーシングとを有する。図３Ａは、メタドーム（MetaDome）によって製造された平らな表面の搭載基板１３４上にデザインされた切頭ドーム１３３の側面図を示す。この切頭ドーム１３３のデザインは、ドームを補強する、かつ追加的に表面コーティングを摩耗から保護するよう機能する、ドームの上の補強リッジ（山）１３５のために独特である。図３Ｂは、メタドーム切頭ドーム１３７の上面図である。この切頭ドームは、平らな頂上１３６と基板に向かって降りる傾斜した側面１３８とを有する。加えて、検知可能な警告面は、隣接する歩行面とは視覚的に、暗い中明るいか、明るい中暗いかの一方で、視覚的に対照的であることが好ましい。
【０１２１】
検知可能な警告パネル解決法に必要なのは、地方自治体、政府、および民間企業が、ＡＤＡの資金のない命令を満たすことを可能にする費用効果である。検知可能な警告パネルを購入、導入、保全、および置き換えのために、公共および民間団体の両方について、資金補助／費用分担を提供する創造的な方法を提供することが必要である。
【０１２２】
多数の企業が、ＡＤＡに準拠したＴＷＳＩを米国で製造および販売している。検知可能な警告パネル基板の材質タイプは、鋼（スティール）、ステンレス鋼、アルミニウム、金属、鋳鉄、ダクタイル鉄、セラミック、コンクリート、ＨＤＰＥ、プラスティック、プラスティック複合材料、ガラス化ポリマー複合材料、ハーキュライトポリマー複合材料（herculite polymer composite）、ナイロン６、ナイロン６／６、グラスファイバー、ゴム、ＦＲＰ、ＰＶＣ、ポリマー、シート成形コンパウンド、熱硬化性プラスティック、熱可塑性プラスティック、ゴム、および、他の繊維状物質等を含む。さらに、パネル基板は、場所の設置要件だけではなく、ＴＷＳＩの仕様に応じて異なるパネルデザインになる。これらのデザインは、現場打ち、改修可能、置換可能、被せ、面実装、面適用、後付、半径区域等を含む。図４Ａは、メタドームによって製造された、インラインドーム注意パターンを有する、ＡＤＡに準拠した２４”ｘ４８”の面実装／被せ／後付の検知可能な警告パネルの上面１４９を示す。本図は、コンクリートまたは舗装に安全に固定される検知可能な警告パネルの中にある切頭ドームまたは円錐台１５１と、丸い穴１５３との両方を示す。図４Ｂは、この面実装／被せ／後付の検知可能な警告パネルの端面図を示し、図４Ｃは、その側面図を示す。図５Ａは、メタドームによって製造された、インラインドーム注意パターンを有する、ＡＤＡに準拠した２４”ｘ４８”の現場打ちの検知可能な警告パネルの上面１５５を示す。このタイプのパネルは、建設時にコンクリートまたは舗装の中に直接組み込まれる。本図は、検知可能な警告パネル上の切頭ドームまたは円錐台１５１を示す。図５Ｂは、このタイプのパネルの端面図を示す。図５Ｃは、この現場打ちの検知可能な警告パネルの側面図を示し、また、コンクリートまたは舗装面の材料の中に組み込まれるフレーム１５９も示す。図６Ａは、メタドームによって製造された、インラインドーム注意パターンを有する、ＡＤＡに準拠した２４”ｘ４８”の改修可能な検知可能な警告パネルの上面１６１を示す。このタイプの検知可能な警告パネルは、コンクリートまたは舗装の中に恒久的に組み込まれる底部と、置換できる取り外し可能な上端部とを有する。このパネルの底パネル部は、表面が流し込まれたときにコンクリートまたは舗装の中に直接組み込まれる。上端部は、パネルに設けられた複数の穴１６５を利用する留め具で取り付けられる。本図は、検知可能な警告パネル上の切頭ドームまたは円錐台１５１を示す。図６Ｂおよび図６Ｃは、このタイプのパネルの端面図を示す。図６Ｄおよび図６Ｅは、この改修可能な検知可能な警告パネルの側面図であり、また、コンクリートまたは舗装面の材料の中に組み込まれるフレーム１５９も示す。図７は、メタドームによって製造された改修可能な検知可能な警告パネルの上端部１３９上および底部１４１上の両方にある切頭ドームの３次元図を示す。この図は、切頭ドームの２つの異なるスタイルを示す。上端パネルは、ドームの周りの盛り上がったリッジ１４７と共に平らな頂上１４３を持つ切頭ドームを有する。切り取られた底部パネルは、盛り上がったリッジを持たず平らな頂上１４５を持つ切頭ドームを有する。図８Ａは、パネルの上端部を示す、メタドームによって製造された、インラインドーム注意パターンを有する、ＡＤＡに準拠した改修可能な検知可能な警告パネルの３次元の上面を示す。図８Ｂは、このタイプのパネルの底部の上面を示す。図９Ａは、このタイプのパネルの上端部を示す、メタドームによって製造された、インラインドーム注意パターンを有する、ＡＤＡに準拠した改修可能な検知可能な警告パネルの３次元の底面を示す。図９Ｂは、このタイプのパネルの底部の底面を示す。図１０Ａは、インラインドーム注意パターンを有する、プラスティック混合材料のＡＤＡに準拠した面実装の検知可能な警告パネルの上面１６７を示す。図１０Ｂは、このパネルの側面図を示す。図１０Ｃは、必要な滑り抵抗を与えるためにパネルの中に成型されたマイクロテクスチャと切頭ドームとを示すこのパネルの断面図である。図１０Ｄは、コンクリートまたは舗装にパネルを固定するために留め具のためのパネルに設けられた複数の穴１７１を示す。この面実装パネルはまた、つまずきの危険性を生じないよう、またプラスティック基板に必要な強度を与えるために、パネルの端部に傾斜した角１７２を有する。製造会社は、また、彼らの顧客（州、地方自治体、運輸会社、エンジニア、建築家および団体）によって指定された種々のソリッドカラー（無地の色）の検知可能な警告パネルを提供している。米国において使用されている最も一般的な色は、フェデラルイエロー(federal yellow)、および赤レンガ色（brick red）である。典型的には、これらのパネルは、使用されている最も大きいもので２’×２’、２’×３’、２’×４’、または２’×５’（小さい半径の区分もまたいくつかの場所で使用される）の様々なサイズである。
【０１２３】
（Ｂ．グラフィックデザインを含むＴＷＳＩ）
本発明は、広告、商標、ロゴ、道案内（方向）、スローガン、絵、名前、製品イラスト、エンブレム（紋章）、製品またはサービスに関する販売促進情報、クイックレスポンスコード、マトリクスコード、２次元バーコード、光学的に機械読み取り可能なラベル、およびこれらの組み合わせのような、テキストおよび／または他の図形情報を表示するＴＷＳＩを提供する。ある実施形態では、グラフィックデザインは、少なくとも２、３、４、５、６、７、８、９、または１０色を、好ましくは、２から１０、３から１０、４から１０、５から１０、２から２０、３から２０、４から２０、または５から２０の色を表示する。ある実施形態では、複数の色は、異なる複数のプライマリカラーであり、最も好ましくは、少なくとも３つの異なるプライマリカラー、例えば、赤と緑と青；シアンとマゼンタとイエロー；赤と黄と青；シアンとマゼンタとイエローと黒；および、赤と黄と青と白と黒である。ある実施形態では、複数の色は、同じ色の濃淡が異なるものである。ある実施形態では、グラフィックデザインは、３００×３００ドット・パー・インチ（ＤＰＩ）の解像度を有し、好ましくは、少なくともおよそ７２０×７２０ＤＰＩ、最大で約１４４０×７２０ＤＰＩまたは１４４０×１４４０ＤＰＩ、またはそれに等しい解像度を有する。ある実施形態では、グラフィックデザインは、複数の昇華染料、好ましくは２、３、４、５、６、７、８、９、または１０の昇華染料、および好ましくは２から１０、３から１０、４から１０、５から１０、２から２０、３から２０、４から２０、または５から２０の昇華染料を含む、高解像度の昇華されたグラフィックデザインであってもよい。ある実施形態では、昇華染料は、約１０から２００μｍ、好ましくは約２０から１００μｍ、最も好ましくは約４０から８０μｍ、上面に浸透し、好ましくはひっかきおよび／または摩擦耐性を有する高解像度グラフィックデザインを提供する。ある実施形態では、グラフィックデザインは、製品、ビジネスまたはサービスについての情報を伝達する。ある実施形態では、グラフィックデザインは、画像、例えば、製品、人物、または場所の写真であり、あるいは、木、木目、マーブル、花崗岩、石等のような繰り返し画像を提供する。本発明は、さらに、ＴＷＳＩ上のグラフィックデザインを実現する方法も提供する。
【０１２４】
好ましい実施形態では、多層の粉体塗装だけでなく、ＴＷＳＩ基板の中へのダイレクト昇華デコレーション、およびその時のデコレーションが、様々な基板に適用される。好ましくは、パネルを形成する基板材料は、鋼、鋳鉄、シート成形コンパウンド、熱硬化性プラスティック、熱可塑性プラスティック、および他のプラスティック複合材料のＴＷＳＩ基板から選択される。特許されたおよび特許出願中の検知可能な警告パネル、装飾された鋼の検知可能な警告パネルは、好ましくはメタドームによって製造される。基板デザインおよび製造工程に関する特許および／または特許出願（それらの全体は参照によって含まれる）は、米国特許007001103 (02/21/06), 米国特許007845122 (12//04/10), 米国特許008146302 (04/03/12), 米国特許008261497 (09/11/12), 特許出願20050031415 (02/10/05), 特許出願20050066623 (03/31/05), 特許出願20060174567 (08/10/06), 特許出願20080236064 (10/02/08), 特許出願20100129150 (05/27/10), 特許出願20120207543 (08/16/12)である。
【０１２５】
他の製造者の鋼パネルもまた、この発明にとって有用である。鋳鉄、シート成形コンパウンド、および他のプラスティック複合材料の基板タイプは、多数の競合製造会社から選択することができる。
【０１２６】
多段階の製造工程は、基板表面の前処理および前準備、鋳鉄のような錆から不安定な成分を保護するための可能な電気塗装ステップ、下地塗装ステップ、１つまたは２つの粉体塗装ステップ、染料／インク昇華ステップ（これは、真空袋詰め技術による輸送補助と一体で基板の包装または強固な被覆、および、続く基板表面材料の装飾／グラフィックデザインの適用にある）、およびトップコート保護シールドステップを含む。
【０１２７】
本発明は、従来のＴＷＳＩ準拠の基板パネル上に、視覚イメージ／図形を表示するために使用されるグラフィックデザイン／印刷媒体／装飾システムを利用する。本発明のグラフィックデザイン／印刷媒体／装飾システムは、それぞれがその表面材料の中にグラフィックイメージを導入する、複数の個々の３次元（前もって成形された複雑な形状のオブジェクト）基板を含む。この装飾工程は、利用される染色方法および基板材料によって変わる多段階の製造工程である。この発明は、凹凸（テクスチャ）粉体塗装、液体塗装、特別な染料／インク、昇華装置および異なる材質の基板上への装飾方法を利用する製造工程を含む。
【０１２８】
本発明では、基板の塗装および基板表面上を装飾する方法の必要性は、基板材質のタイプによって変わりうる。第１の方法は、粉体塗装される導電および非導電の両方のＴＷＳＩ基板を装飾することを含む。この粉体塗装は、透明または着色された粉体塗装の１つまたは複数のレイヤーを含んでもよい。１つ以上の粉体塗装レイヤーは、凹凸粉体塗装を含んでもよい。基板が塗装された後、インク／染料昇華工程が、基板の頂上の粉体塗装レイヤーの中に装飾／グラフィックデザインを転写する。第２の方法は、基板上に粉体塗装または液体塗装がされていない非導電ＴＷＳＩ基板の両方に装飾することを含む。この場合、インク／染料昇華工程は、基板（例えば、シート成形コンパウンドまたはガラス化ポリマー複合材料のようなプラスティック複合材料基板）の中に直接装飾／グラフィックデザインを転写する。さらに、上記２つの方法の両方において、その後基板は、基板およびそこに導入されたグラフィックを保護するために、透明コーティング（保護シールド）が適用されてもよい。このようなコーティングは、例えば、増強された耐候性、ＵＶ保護、摩耗耐性、滑り抵抗、化学的腐食耐性、および落書き抵抗性等を付与することができる。
【０１２９】
グラフィックデザインを有するＴＷＳＩの装飾は、複数段階の製造工程である。この工程は、一般に、基板材料タイプおよび製品の使用法の因子に依存した複数のステップを含む。
【０１３０】
本発明に関する製造工程（粉体塗装および染料／インク昇華工程）の第１のステップは、粉体塗装および染料／インク昇華工程のための基板を準備することである。機械的および化学的洗浄法の両方が、基板の材料タイプに応じて使用されてもよい。ある実施形態では、基板は、表面処理の少なくとも１つのステップ（機械的および化学的処理の両方のリストから選択される）によって、前処理がされる。表面処理は、脱脂、洗浄、陽極酸化、中和、クロメート処理、ホスホクロメート処理、リン酸塩処理、ニトロコバルト処理、クロムフリー製品を用いた処理、および、機械的研磨またはサンドブラストからなるグループから選択される。洗浄が完了した後、塗装および／または昇華工程の前に基板は乾かされる。
【０１３１】
次のステップは、好ましくは鋳鉄、ダクタイル鉄、およびある場合は鋼の基板のための粉体塗装工程の前に使用される、プライマーエレクトロコート工程である。このプライマーエレクトロコート工程は、もし設置された基板が粉体塗装レイヤーを通して材料表面まで擦られ／引っかかれた場合に、鉄または鋼の材料が経年変化する／錆びることを防ぐ。一度材料表面が擦られ／引っかかれると、鉄または鋼製品は、錆びるまたは錆びた色になる。エレクトロコート工程は、最初の引っかきが最初に引っかかれた箇所から移るのを防止し、さらにパネルの見た目が傷付くのを防止する。仕上げは、好ましくは陰極エポキシエレクトロコート製品である。ＰＰＧ ＰＯＷＥＲＣＲＯＮ ６０００ＣＸ―黒陰極エポキシ仕上げは、この工程に使用可能な製品の一例である。陰極エポキシコーティングは、腐食耐性および化学耐性を与え、下地の性能に関する尺度としての役割をする。Ｅコートの適用は、一般に４つのステップの工程である。（１）エレクトロコート工程において、基板は、洗浄、および、エレクトロコートのための部品の準備のためにリン酸塩変換コーティングを用いて前処理される。（２）それから、部品は、部品と「対向」電極との間に直流電流が加えられているエレクトロコート塗装槽の中に浸される。塗料は、電界によって引きつけられ、基板上に付着（析出）する。（３）コーティングされた基板は、槽から取り出され、付着していない塗料の塊を回収するため洗い流される（２−３槽の後で対向する流れが洗い流す）。（４）その後、基板は、塗料を硬化するために焼成される（標準的なベイクは３５０°華氏メタル温度で２０分である）。鋳鉄、ダクタイル鉄、および鋼パネルは、その後、粉体塗装のために準備される。
【０１３２】
製造工程の次のステップは、粉体塗装されるためにさらなる塗装工程を必要とする、プラスティック、ナイロン、グラスファイバー、コンクリートおよびプラスティック複合材料等のような非導電の基板に用いられる。これは、（導電性基板にするような、成型前の原料のプラスティック材料に導電性添加剤が含まれない限り）これらのタイプの材料の非導電性のせいであり、静電的方法を利用する粉体塗装を適用する必要性のためである。非導電プラスティック基板は、ポリアミド材料、ポリプロピレン材料、ポリカーボネート・アクリロニトリル・ブタジエン・スチレン材料、アクリロニトリル・ブタジエン・スチレン材料、およびその混合物からなるグループから選択される。非導電性基板を粉体塗装のために十分な導電性にさせる既知の数多くの生産方法がある。例えば、基板を粉体塗装するときに、金属導電性ダミープレートを非導電性プラスティック複合材料の背後に配置することができる。別の方法では、基板を導電性にする液体塗装の接着剤／下塗剤を適用する。この液体塗装工程は、基板を洗浄するステップ、水性の接着剤／下塗剤を塗布するステップ、接着剤／下塗剤を硬化させるステップ、そしてそれから、熱硬化性の粉体の所望のコーティングを塗り、硬化させるステップとを含む。商用で利用可能なそのような接着剤／下塗剤の一つは、スプレーラット（Spraylat）の導電性コーティング技術である。
【０１３３】
製造工程の次のステップは、ある基板材料のタイプについての粉体塗装に関する。道探しに使用され地面に配置された製品の滑り抵抗性の仕様を満たすだけでなく、装飾のための昇華法を使用するために、導電性基板は粉体塗装されていることが好ましい。粉体塗装選択工程において最初に決定することは、最終製品の要件を規定することである。導電性および非導電性基板の両方に関する本発明は、好ましくは、超耐久性、最大の接着性、滑り抵抗性（テクスチャ）、紫外線（ＵＶ）保護、高い化学的／腐食耐性、および優れた耐候性の検知可能な警告パネルを提供する。ほとんどの場合、それは過酷な屋外環境にさらされ、地面（コンクリートまたはアスファルト舗装）の表面に配置されることになるので、この発明は、好ましくは、以下に詳述および例示する特定の粉体塗装を使用する。加えて、ほとんどの場合、パネルは、地上にあり、多数の歩行および天候条件（雨、氷、雪、塩、紫外線、高温および低温の変動、基板の収縮および膨張）に耐えなければならない。粉体塗装の最上層は、ＴＷＳＩ製品に要求される滑り抵抗性を提供するために、テクスチャ（凹凸物）を含みうる。さらに、この最上層の凹凸粉体塗装は、好ましくは、ＴＷＳＩ基板上の装飾および／またはグラフィックアートのために昇華染料／インクを受け入れる。
【０１３４】
粉体塗装は、熱可塑性プラスティックまたは熱硬化性ポリマーであってもよい。本発明は、熱硬化性粉体塗装を使用しうる。熱硬化性粉体塗装は、乾燥した粉体をフリーフローで塗布するタイプのコーティングである。コーティングは、静電的に塗布され、それから粉体が流れ表皮を形成するように熱によって硬化される。熱硬化性粉体が高温にさらされたとき、粉体は溶け始め、流れ出し、そして、ネットワークのような構造のより高分子量のポリマーを形成するよう化学反応を起こす。クロスリンクと呼ばれるこの硬化工程は、粉体塗装材料が設計された十分なフィルムの特性を構築し、十分な硬化に到達するために、ある長さの時間、ある温度を必要とする。
【０１３５】
導電性基板に粉体塗装を塗布する最も一般的な方法は、静電銃を用いて粉体をスプレーすることである。銃は、粉体に正電荷を与え、それから粉体は、接地した対象物に向かって、機械的または圧縮空気スプレーによってスプレーされ、それから、強力な帯電によってワークに向かって加速される。それから対象物は熱せられ、粉体は溶けて均一なフィルムになり、それから硬い塗料コーティングを形成するために冷やされる。本発明では、導電性基板は最初に熱せられ、それから厚い基板上に粉体塗料がスプレーされる。
【０１３６】
他の任意の塗装と同様に、形成の変数は、工程および性能の特性にとって重要である。粉体塗装法は、ほとんどの成分が溶融処理可能な形の固体であることを除き、液体塗装法に非常に似ている。粉体塗装に使用される主な生の材料成分は、樹脂、硬化剤、硬化促進剤、顔料、フィラー（充填剤）、増量剤、脱泡剤、ドライフロー剤、流動剤、つや消し剤、テクスチャ剤、流体力学的添加剤およびワックスである。
【０１３７】
熱硬化粉体の方法に使用される主要な樹脂は、エポキシ、ポリエステル、およびアクリルである。これらの主要な樹脂は、種々の粉体材料を生産するために、異なるクロスリンカーと共に使用される。多くのクロスリンカーまたは硬化剤が、粉体塗装において使用され、アミン、無水物、メラミン、ブロックまたは非ブロックのイソシアネートが含まれる。ある材料はまた、ハイブリッド方法における１つのレジンよりも使用される。硬化サイクルにおける化学反応は、コーティングの破壊に対する優れた耐性を提供するポリマーネットワークを作り出す。硬化しクロスリンクされた熱硬化性粉体は、２回目熱せられても再び溶けたり流れたりしないだろう。
【０１３８】
エポキシ粉体は最初の商業的に利用可能な熱硬化材料であった。それらは、最も一般的に使用されている熱硬化性粉体である。この発明に関するエポキシ粉体の主な欠点は、紫外線にさらされたとき、白く（チョーク）なるだろうということである。この理由のため、屋外環境にありおよび継続的に紫外線にさらされる本発明にこの粉体塗装法は適用できない。
【０１３９】
ヒドロキシル基を末端に持つポリエステル樹脂は、ウレタンポリエステルの形成に使用され、カルボキシル基を末端に持つポリエステル樹脂は、典型的に、トリグリシジル・イソシアヌレート（ＴＧＩＣ）またはＨＡＡ、ヒドロキシアルキル・アミド材料によって硬化されうる。ウレタンポリエステルは、優れた屋外環境耐性、丈夫さ、および非常によい外観特性を有する。滑らかな、天候および物理的な酷使に耐える薄いフィルムにより、ウレタンポリエステルは屋外環境に関してよい選択になる。ウレタンポリエステルの中のクロスリンカーをｅ−カプロラクタムでブロックするのが普通である。クロスリンクプロセスが始まると、材料は、好ましくは、ブロック剤の閾値辺りの温度に到達する。ｅ−カプロラクタムにより、およそ１８２℃で非ブロッキングが生じる。他の硬化のオプションは、硬化／クロスリンクのヒドロキシル官能基ポリエステルのための自己ブロックポリイソシアネート、ウレトジオン（uretdione）を含む。ポリエステルＴＧＩＣコーティングは、エポキシ官能性クロスリンカー・トリグリシジル・イソシアヌレート（ＴＧＩＣ）を使用する。これらのコーティングでは、低分子量グリシジル、エポキシ官能性硬化剤が、ポリエステルと共反応（co-react）するのに使用される。この方法では、ポリエステルは、高い割合で樹脂を構成し、ウレタン硬化ポリエステルとは比べものにならない耐候性および耐腐食性を提供する。ＴＧＩＣは、非常によい接着性、腐食耐性、外部耐久性を有する。それらは、典型的には、ウレタンより低い温度で硬化し、かつ／または、より短い硬化サイクルを有する。全ての上記粉体塗装は、適切な触媒と共に適切な樹脂を選択すると、より低い温度で硬化できる。２１２Ｆ以下での硬化も、ＵＶ硬化粉体塗装と一緒に可能である。
【０１４０】
アクリル系粉体はまた、優れた外部耐久性を与える。通常のアクリル系材料は、例えば二価酸および／または無水物で硬化可能な、ウレタンアクリル（ヒドロキシル官能性樹脂）、アクリルハイブリッド（酸官能性樹脂）、およびグリシジル・メタクリレート・アクリル（ＧＭＡ）（エポキシ官能性樹脂）を含む。
【０１４１】
ＴＷＳＩに関する本発明は、１つまたは２つのいずれかのコートで、粉体塗装されてもよい。粉体または液体塗装の一方をされたパネル上に、第３のトップコートまたは保護シールドコートレイヤーが塗布されてもよい。ＴＷＳＩに適用する具体的な粉体塗装コートのタイプおよび数、ならびに可能なトップコートまたは保護シールド塗装レイヤーは、最終パネル製品の要件がなんであるかに依存するだろう。最初の２つのレイヤーにおいて必要な粉体塗装コートの数とタイプ（非テクスチャ対テクスチャ）は、環境（屋内または屋外）、第１のレイヤーのベースカラー、次に続く粉体塗装レイヤーの付加された色、所望のテクスチャおよび想定の使用における耐久性のような因子の数に依存するだろう。
【０１４２】
本発明のある実施形態では、粉体塗装の最上層は、好ましくはインク／染料の昇華を受け入れる。この処理は、染料が粉体塗装基板の表面の中に１−２ミル（約４０−８０μｍ）浸透し、歩行面の擦り減りに耐性ができる点で有利である。染料昇華熱転写粉体塗装に相性がよいのは、ポリエステル／ウレタン混合物である。競合する樹脂のＯＨの官能性、ヒドロキシル基における違いが、染料昇華熱転写に好適な光沢がコントロールされた熱硬化粉体塗装を生み出すのに使用されうる。押し出し成型機を通る１ショットにおける中間のヒドロキシル基、ＯＨ官能性、および非常に高いＯＨ官能性樹脂の使用が、光沢がコントロールされた粉体塗装をもたらす。中間ヒドロキシル官能性ポリエステル樹脂は、３０−５０の範囲のヒドロキシル価を有する。高官能性ヒドロキシル樹脂は、典型的に、２００−３００の範囲のヒドロキシル価を有する。上記２つのポリエステルが、硬化のためのイソシアネート硬化剤と競合するとき、光沢が低くコントロールされる結果を生じる不調和が作られる。中間ヒドロキシル価ポリエステルの平均分子量は、典型的には２２００−３２００である。高ヒドロキシルポリエステルの平均分子量は、典型的には１５００−２５００の範囲である。クロスリンカーとしてウレトジオン（自己ブロック）を用いる特別に設計された樹脂系では、ブロック剤、ｅ−カプロラクタム、の進展を省略することができる。中間ＯＨおよび高ＯＨ数の樹脂の異なる割合で行われる評価は、得られる光沢を変化させる。表５は、染料昇華熱転写のための典型的な粉体塗装法を示す。
【０１４３】
【表５】
2018022168.tif 000006
【０１４４】
２つのポリエステル樹脂、Ａｌｂｅｓｔｅｒ３１１５およびＡｌｂｅｓｔｅｒ３２２５は、ウレトジオン硬化剤を使用するために特別に設計されたものである。Ａｌｂｅｓｔｅｒ６５２０は光沢コントロール樹脂として設計され、Ａｌｂｅｓｔｅｒ６３２０は、高い耐久力、高いイソフタル酸含有、システムの耐候性を向上させる樹脂として、設計されている。特性を発展させるための低い光沢のために、好ましくは硬化が達成される。熱硬化の最低温度は、ウレタン触媒の選択／濃度と同様に、使用されるイソシアネート硬化剤によって決定される。粉体塗装法における中間ヒドロキシル価ポリエステル、Ａｌｂｅｓｔｅｒ３２２５、高ヒドロキシル価ポリエステル、Ａｌｂｅｓｔｅｒ３１１５およびＣｒｅｌａｎ  ＬＳ２１４７の使用によって、非常に低い光沢コーティングが得られる。Ａｌｂｅｓｔｅｒ３１１５およびＡｌｂｅｓｔｅｒ３２２５系の優れた化学的耐性により、高い化学的耐性と耐久性が必要になる外での応用に適したものとなる。染料昇華熱転写技術に関する低い光沢のポリエステル／ウレタン粉体塗装は以下のように働く。処理が、高解像度のフルカラーグラフィックデザインをもたらすために、第１のレイヤーのベースコートは、白の粉体塗装であり、第２のレイヤーのトップコートは、低い光沢の凹凸（テクスチャ）のある透明粉体塗装であるべきである。光沢の改良は、凹凸のある透明粉体塗装の最上層に低い光沢を得るために必要となる。図４１は、粉体塗装の光沢度合いを改良するためにどの程度の添加剤Ａｌｂｅｓｔｅｒ６５２０を使用できるかを示す。
【０１４５】
追加の粉体塗装または液体塗装トップコート、あるいは保護シールドの必要性は、最終製品に要求される必要な耐久性、耐候性、およびＵＶ保護に依存する。追加のトップコートまたは保護シールドの主な目的は、紫外線、それゆえ装飾またはグラフィックアートの色あせからパネルをさらに保護するためである。加えて、トップコートまたは保護シールドは、さらなる滑り抵抗性および落書き抵抗性保護を追加することができる。
【０１４６】
粉体塗装工程は、焼成／硬化工程の前に基板に粉体塗料が付着するために、静電環境を必要とする。鋼および鋳鉄のようなあるタイプの基板材料は、粉体塗装工程に必要な帯電を伝導できる。これらのタイプの基板材料は、導電性である。プラスティック、シート成形コンパウンド、プラスティック複合材料、ナイロン、ナイロン６、ナイロン６６、グラスファイバー、コンクリート等のような非導電性基板材料に塗装するのは、より挑戦的である。それゆえ、導電性および非導電性基板材料の両方は、粉体塗装を適用するそれぞれのルールがある。非導電性基板タイプは、粉体塗装工程の前に、基板に接着性の下塗剤を塗布することが好ましい。この接着性の下塗剤は、表面の電気伝導性を増加させる、粉体硬化段階の間適切に粉体を結合させる、熱硬化する粉体の任意の過度の化学反応から非導電性基板の表面を保護する、基板の粉体の転写効率を増加および増強させるというような多くの目的を果たす。
【０１４７】
この発明に関し、異なる透明凹凸トップコート粉体塗装法が開発され、そして現地試験された。これらの凹凸粉体塗装法は、多くの異なる物理的特性を示した。これらの凹凸粉体塗装は、耐久性、耐候性、ＵＶ保護、摩耗耐性、滑り抵抗性、化学的腐食抵抗性、および落書き抵抗性等を与えた。さらに、昇華工程のインク／染料は、この透明凹凸の中に浸透して、良好なグラフィックイメージの品質を与えた。ＵＶ阻害樹脂の超耐久性は、従来の外部コーティングに比べて、耐久性を向上させるよう発展してきた。超耐久性樹脂に必要なことに関する性能という用語の定義は、Ｑｕａｌｉｃｏａｔ標準に見られる（この標準では超耐久性樹脂はクラス２パウダーと呼ばれる）。超耐久性粉体は、好ましくは、フロリダにおいて１年後に元の光沢度合いの少なくとも９０％を維持し、フロリダの天候において３年後にその光沢の少なくとも５０％を維持する。樹脂製造に使用されるある原料は、耐久性を向上させるが、よい機械的結果を与えない。それゆえ、この状況を改善するために様々な方法が見られる。樹脂製造業は、代わりのクロスリンカーで硬化する超耐久性樹脂を発展させ続けている。
【０１４８】
本発明は、いくつかの異なる凹凸粉体塗装法を含む。これらのテクスチャの２つは、ＴＷＳＩの最上層に要求される基準について常に最高の結果を与えるために見出された。これらの２つのテクスチャ最上層粉体塗装塗料は、ＤＳ７０７およびＡＤＡ１１０４／０６と名付けられた。様々なテクスチャ粉体塗装の非摩耗性のグリップ面は、この製品に必要な滑り抵抗性を与えるよう機能する。さらに、このテクスチャはまた、粉体塗装の耐久性を増加させる。
【０１４９】
本発明は、粉体塗装塗料の異なる組み合わせで導電性基板を塗装することを含む。これは、粉体塗装塗料の１つまたは複数のコートの一方でありうる。最優先の要件は、粉体塗装の最上層が、グラフィックデザインのための昇華した染料を受け入れること、および検知可能な警告パネルに要求される必要な滑り抵抗性を提供することの両方をできることである。多くの異なる塗料の組み合わせが試され、試験された。図１１−２４は、粉体塗装塗料のタイプと全ての必要な基準を満たす組み合わせとの詳細を示す。図１１は、粉体塗装塗料５の１つのレイヤーで塗装された導電性基板１を示す。粉体塗装レイヤー５は、白凹凸粉体塗装塗料（ＡＤＡ１１０４／０６−Ｗ化学テクスチャ）である。図１２は、粉体塗装塗料３の１つのレイヤーで塗装された導電性基板１を示す。粉体塗装レイヤー３は、白凹凸粉体塗装塗料（ＡＤＡ１１０４／０４−Ｗゴムテクスチャ）である。図１３は、粉体塗装塗料４の１つのレイヤーで塗装された導電性基板１を示す。粉体塗装レイヤー４は、白凹凸粉体塗装塗料（ＡＤＡ１１０４／０５−Ｗゴムテクスチャ）である。図１４は、粉体塗装塗料１０の１つのレイヤーで塗装された導電性基板１を示す。粉体塗装レイヤー１０は、透明つや無し凹凸ポリウレタン粉体塗装塗料（ＤＳ７０７テクスチャ）である。図１５は、粉体塗装塗料９の１つのレイヤーで塗装された導電性基板１を示す。粉体塗装塗料９は、透明つや無し凹凸ポリウレタン超耐久性粉体塗装塗料（ＡＤＡ１１０４／０６化学テクスチャ）である。図１６は、粉体塗装塗料１１の１つのレイヤーで塗装された導電性基板１を示す。粉体塗装塗料１１は、透明粉体塗装塗料（テクスチャなし）である。図１７は、粉体塗装塗料の２つのレイヤーで塗装された導電性基板１を示す。第１のレイヤー６は、白ポリエステル粉体塗装塗料（テクスチャなし）であり、第２のレイヤー９は、透明つや無し凹凸ポリウレタン超耐久性粉体塗装塗料（ＡＤＡ１１０４／０６化学テクスチャ）である。図１７の粉体塗装の組み合わせは、検知可能な警告パネル上のグラフィックデザインイメージの品質だけでなく、滑り抵抗性、他の耐久性試験に基づいた適切な方法である。図１８は、粉体塗装塗料の２つのレイヤーで塗装された導電性基板１を示す。第１のレイヤー７は、白凹凸粉体塗装塗料（ＭＤＰＣ９０テクスチャ）であり、第２のレイヤー９は、透明つや無し凹凸ポリウレタン超耐久性粉体塗装塗料（ＡＤＡ１１０４／０６化学テクスチャ）である。図１９は、粉体塗装塗料の２つのレイヤーで塗装された導電性基板１を示す。第１のレイヤー８は、白凹凸粉体塗装塗料（ＭＤＰＣ６０Ａ化学テクスチャ）であり、第２のレイヤー１０は、透明つや無し凹凸ポリウレタン粉体塗装塗料（ＤＳ７０７テクスチャ）である。図２０は、粉体塗装塗料の２つのレイヤーで塗装された導電性基板１を示す。第１のレイヤー７は、白凹凸粉体塗装塗料（ＭＤＰＣ９０テクスチャ）であり、第２のレイヤー１０は、透明つや無し凹凸ポリウレタン粉体塗装塗料（ＤＳ７０７テクスチャ）である。図２１は、粉体塗装塗料の２つのレイヤーで塗装された導電性基板１を示す。第１のレイヤー８は、白凹凸粉体塗装塗料（ＭＤＰＣ６０Ａ化学テクスチャ）であり、第２のレイヤー９は、透明つや無し凹凸ポリウレタン超耐久性粉体塗装塗料（ＡＤＡ１１０４／０６化学テクスチャ）である。図２２は、粉体塗装塗料の２つのレイヤーで塗装された導電性基板１を示す。第１のレイヤー６は、白ポリエステル粉体塗装塗料（テクスチャなし）であり、第２のレイヤー１１は、透明粉体塗装塗料（テクスチャなし）である。図２３は、粉体塗装塗料の２つのレイヤーで塗装された導電性基板１を示す。第１のレイヤー６は、白ポリエステル粉体塗装塗料（テクスチャなし）であり、第２のレイヤー１０は、透明つや無し凹凸ポリウレタン粉体塗装塗料（ＤＳ７０７テクスチャ）である。図２４は、粉体塗装塗料の２つのレイヤーで塗装された導電性基板１を示す。第１のレイヤー６は、白ポリエステル粉体塗装塗料（テクスチャなし）であり、第２のレイヤー９は、透明つや無し凹凸ポリウレタン超耐久性粉体塗装塗料（ＡＤＡ１１０４／０６化学テクスチャ）である。
【０１５０】
粉体塗装産業（ＱＵＡＬＩＣＯＡＴ）は、粉体塗装テクスチャタイプの異なる物理的特性を記述するために、基準を発展させてきた。テクスチャの仕上げは、その外観に応じて３つのファミリーに分けられる。
【０１５１】
１．レザー（オレンジの皮）エフェクトは、一般的に、コーティング製品形成におけるいくつかの成分の間の不調和現象の効果によって生み出される。表面はオレンジの皮の外観を持つ。テクスチャタイプＤＳ７０７は、このカテゴリに分類される。
【０１５２】
２．サンドペーパーエフェクトは、一般的に、ゴム、テフロン（登録商標）ベースのワックス、高い油分を有するフィラー等のような特定の物質を、コーティング製品形成に加えることにより生み出される。これは、表面にサンドペーパーに似た外観を与える。テクスチャタイプＡＤＡ１１０４／０４、ＡＤＡ１１０４／０５、およびＡＤＡ１１０４／０６は、このカテゴリに分類される。
【０１５３】
３．しわエフェクトは、一般的に、ヒドロキシレート樹脂とメラミン樹脂との反応性から得られる技術を用いて得られる。
【０１５４】
一度基板が粉体塗装され、硬化されると、次のステップは、粉体塗装のレイヤー数に応じて、基板の第１のレイヤー（様々な色／テクスチャなし／テクスチャあり）に装飾／活字メディア／グラフィックアート／会社のロゴ／広告を配置するために染料／インク昇華技術を用いることである。当業者は、所望のグラフィックデザインを有する基板を装飾するために他の方法を使ってもよいと分かるだろう。染料／インク昇華装飾は、粉体塗装の最上層になされる。この特許された染料／インク昇華処理および関連する装置は、異なる６つの特許に詳述されている。これらの特許および特許出願は、米国特許006015469 (01/18/00), 米国特許006136126 (10/24/00), 米国特許006335749 (01/01/02), 米国特許006676792 (01/13/04), 米国特許007033973 (04/25/06), 米国特許007077926 (07/18/06), 米国特許007302981 (12/04/07)を含み、その全体は参照により含まれる。
【０１５５】
染料／インク昇華は、（液体に変わることなく）固相から気相へインクを直接変化させる。昇華装飾は、他の装飾方法と比較して多くの利点を有する。インク気体は、基板の粉体塗装の最上層に浸透し、明るく、カラフルな、鮮やかな、耐久性のある厚みのない装飾を生み出す。染料／インクは粉体塗装の最上層の中に昇華し、粉体塗装のこのレイヤーの特性を得る。それゆえ、装飾は、多くの化学物質への高い抵抗を含み、激しい摩耗、擦り減りおよび屋外環境／条件、にさえ耐える。
【０１５６】
好ましくは、塗装（カラー粉体塗装、カラー凹凸粉体塗装、透明凹凸粉体塗装）の適切な超耐久性（屋外環境）タイプ／レイヤーで、基板が粉体塗装され硬化された後、それから基板は、特許された染料／インク昇華工程の準備をされる。この特許された染料／インク昇華工程は、任意の３次元、複雑な形状、非平面のオブジェクトまたは基板のために設計される。
【０１５７】
好ましい実施形態では、基板上に導入されるデジタル装飾またはグラフィックイメージの体裁を整えるため、および洗練するために、グラフィックソフトウェアが利用される。グラフィックソフトウェアは、一般的に、ＴＩＦＦまたはＰＳＤのようなファイルフォーマットのグラフィックイメージを受け付ける。適切なパントーンカラーおよび文字フォントを選択することを含み、一度デジタルイメージが、ソフトウェアプログラムの中で適切にフォーマットおよび整列されると、それから画像（イメージ）が転写フィルムの上に印刷される。カスタマイズされたワイドプリンタ／プロッタは、有機感光色素（染料／インク）およびセルロース樹脂を用いて、透明な転写フィルム／布に装飾／グラフィックアートイメージを印刷するために使用される。この透明な転写フィルム／布は、フィルム上の配置補助を含みうる。これらの配置補助は、３次元、非平面または複雑な形状の基板の中心および／または直線上に装飾／グラフィックイメージを導入するために便利である。同じ装飾／グラフィックイメージを用いて、特に高い生産環境で毎回正確に、基板上の転写フィルムを整列させることが重要だろう。
【０１５８】
粉体塗装された基板は、特別に設計されたテーブル、棚または膜システムの上に載置される。このテーブル面、棚、または膜システムは、好ましくは、その中に組み込む配置補助を有してもよい。これらの配置補助は、注釈、サドル、金型または治具でマークされたテーブル面または棚システムを含んでもよい。配置補助は、基板が昇華工程の間適切に整列することを保証する。さらに、配置補助は、昇華工程の間基板を安定に保持し続ける。それから転写フィルム／布は、基板の上に配置され、基板の上に、および／または、周囲に被せられる。それから、転写フィルム／布は、ＩＲ技術で徐々に温められ、徐々に膨張し、それから真空（２００ミリバール程度）シールシステムを利用して、フィルムは３次元、非平面、複雑な形状の基板（真空および熱の組み合わせを利用するＤｅｃｏｒａｌ装置）の周りに吸い付けられる。きつく吸い付けられた転写フィルム／布を有する基板は、それから、ＩＲ（赤外線）技術オーブン、非ＩＲオーブン、または他の熱オーブンの中に配置される。または、基板は、転写フィルム／布で包まれ、膜の間またはその上に配置されてもよい。膜は、好ましくは、基板の形状に一致するように負圧をかけられたとき十分な圧力を提供する耐熱シリコンまたは他の耐熱エラストマー材料によって作られてもよい。真空（例えば２００ミリバール程度）シールシステムの利用で、膜は、真空装置（例えばＤｅｃｏｒａｌ製）を使用して基板の上および周囲に押しつけられる。染料／インク昇華の通常の硬化工程は、昇華を得るために（製品に応じて）３０秒から３０分の間、３００−４００Ｆ程度においておく。この染料／インク昇華転写システムは、染料／インクを固相から気相にし、液相にすることなしに再び固相に戻す。正しい温度と圧力で、色素染料／インクは、フィルム支持体から凹凸粉体塗装の合成レイヤーの中に移り、その中で色およびグラフィックイメージの位置の両方を固定する。最高の品質および結果に影響を与える因子は、正しい温度、時間、および機械的圧力である。最高の品質を得るために、コーティングレイヤーへの色素染料／インクの十分な浸透が基本条件であるので、Ｄｅｃｏｒａｌシステムは、装飾されたピースの即時の品質チェックをする顕微鏡コントロールシステムを適応させている。この試験を用いる別の理由は、それが、コーティングレイヤーの塗料分子構造に色素がどのぐらい溶け込むかをチェックする簡単な方法であるからである。
【０１５９】
それから、基板は硬化オーブンまたはＩＲ技術から取り除かれ、冷やされる。一度基板が冷やされると、転写フィルム／布は基板から取り除かれる。装飾またはグラフィックイメージは、この段階で、粉体塗装の最上層の中にある（基板の上ではなく、実際に粉体塗装の中にある）。これは、装飾またはグラフィックイメージに（屋外環境に要求される）粉体塗装の耐久性と同じ耐久性を与える。図２５は、非導電性基板２（シート成形コンパウンド）について染料昇華法を使用する装飾を示す。本図は、シート成形コンパウンド基板の中に直接、適当な圧力と温度とによる、染料の熱転写を示す。図２６は、次の３、４、５、９、１０、１１から選ばれた１つの粉体塗装レイヤーを有する導電性基板１について染料昇華法を使用する装飾を示す。本図は、１つの粉体塗装レイヤーの中への染料の熱転写を示す。図２７は、２つの粉体塗装レイヤーを有する導電性基板１について染料昇華法を使用する装飾を示す。第１の粉体塗装レイヤーは、次の６、７、８から選ばれる。第２の粉体塗装レイヤーは、次の９、１０、１１から選ばれる。本図は、最上層である第２の粉体塗装レイヤーの中への染料の熱転写を示す。
【０１６０】
この昇華工程は、昇華染料／インク、転写フィルム／布、染料／インクおよび昇華装置以外に、粉体塗装、凹凸粉体塗装を含む。この特許は、３次元、非平面、または複雑な形状の基板に、装飾またはグラフィックアートの一部として、バーコード、ＱＲコード、製造者名、製造日、または他の関連情報を配置するオプションを含む。
【０１６１】
現時点で、多くの異なるタイプの金属オブジェクトが、ソリッドカラーおよび多色の両方で塗装されてきた。さらに、これらの金属オブジェクトは、シルク印刷、染料／インク昇華、および他の方法を用いて装飾されてきた。典型的に、これらの金属オブジェクトは、平らで、偏在する一時停止標識のような屋内および／または屋外標識のために使用されてきた。例えば、米国特許8,017,297 B1は、実質的に平坦な（平らまたは単一の幾何学面に存在する平坦な基板、あるいは２つの次元のみを有する２次元基板）金属電気伝導性粉体塗装基板の表面上にイメージを昇華する方法を開示している。塗布ならびに、粉体塗装および染料／インク昇華工程の両方の硬化の後、この実質的に平坦な基板は、非平面物体に形作られる。この技術は、重大な欠点を持っている。第１の欠点は、複雑な３次元に形作られた非平面物体にイメージを貼り付けるのは難しいため、実質的に平坦な基板は最初に粉体塗装され、昇華されたイメージが貼り付けられ、それから塗装および装飾された平坦な基板は所望の形状に成形されるということである。
【０１６２】
特許8,017,297には、所望の非平面基板を得るために、どのようにして粉体塗装および昇華されたイメージの両方を、伸ばしかつ曲げる必要があるかの詳細についてはなんら説明されていない。後から３次元基板に成形された表面の塗装および昇華されたイメージは、ひび割れたり、または塗装が伸びた印（基板の伸ばされたまたは曲げられた領域のより薄い色の塗装）が入ってしまうかもしれない。それゆえ、後から非平面オブジェクトに成形される、塗装および染料昇華された平面基板の高品質のイメージは、この工程を用いて得るのは非常に難しい。この特許には、その前に処理される塗装および染料／インクの物理的応力（伸長および曲げ）の量が、損傷させ、イメージの品質を傷つけることは言及されていない。独特の伸長可能／伸縮可能な粉体塗装および昇華インクがなければ、この工程を用いれば重大なイメージ品質の損失またはイメージの劣化が生じうる。第２の欠点は、この方法を用いて一貫した品質の塗装基板製品を供給するのは難しいことである。成形後の範囲およびタイプに応じて、異なるタイプの粉体塗装および染料／インクが、曲げおよび伸長工程によって生じる応力に対処する必要がある。どれだけの曲げ／伸長／成形が達成できるか、および異なるタイプの曲げ／成形を達成するために必要な特定の粉体塗装および染料／インクは、この特許では注意を向けられていない。第３の欠点は、この方法は、紫外線ダメージおよび問題（高温および低温の両方、氷、塩、酸性雨等）に関する天候のような屋外環境の課題に必要な塗装および染料／インクに注意を向けていないことである。厳しい屋外環境に耐える必要がある、粉体塗装塗料と染料／インクには重大な違いがある。第４の欠点は、この特許は、非導電性基板についての塗装および染料／インク昇華工程については注意を向けていないことである。
【０１６３】
米国特許6,987,081 B2は、昇華染料によって種々の印刷されたデザインが与えられる金属シートを塗装する方法を開示している。この特許は、金属基板に必要な熱硬化粉体塗装および染料／インク昇華工程について議論している。さらに、この特許は、昇華染料を用いた転写印刷に使用できるテクスチャガラスフレークまたはシリカトップコート粉体塗装を請求している。このトップコート塗装レイヤーは、ＵＶ吸収剤のグループから選択される成分を含む。この特許は多くの欠点を有する。第１の欠点は、この特許は金属シートのみについての塗装工程を提供することである。第２の欠点は、３次元形状の基板に昇華された装飾／グラフィックアートを塗装および適用（塗布）する手段または方法を提供していないことである。第３の欠点は、この塗装および染料／インク昇華の工程は、非導電性基板を含まないことである。第４の欠点は、この特許は、地面と平らに接地されるよう設計された基板に必要な、耐久性のある塗装および／または昇華された染料／インクを提供しないということである。このタイプの基板は、紫外線、雪、氷、暑さ、寒さ、凍結、化学物質、落書き等を含む非常に厳しい屋外環境に耐えることが要求される。さらに、基板は、多数の歩行、自動車、建設車両、除雪車等に耐える耐久性を有していることが必要になる。
【０１６４】
装飾工程の最後のステップでは、一旦染料／インク昇華が完了し装飾またはグラフィックイメージが粉体塗装の最上層にできた後、視覚的なトップコートまたは保護シールドレイヤーを基板に適用してもよい。このトップコートまたは保護シールドは、液体または粉体塗装生成物のどちらかでありうる。この塗装の最後のレイヤーの目的は、厳しい屋外環境から装飾／グラフィックイメージを保護するさらなる保護を提供することである。この追加の保護塗装レイヤーは、粉体塗装レイヤーの耐久性のために、必要とされなくてもよい。ただし、ある屋外環境では、追加の保護が必要となり、この場合、このトップコートが適用されてもよい。この保護シールドコーティングは、ナノコーティング技術塗装生成物であってもよい。この保護シールドコーティング保護は、追加のＵＶ耐性、落書き抵抗性、滑り抵抗性、腐食耐性、摩耗耐性、防水または防汚れ保護を追加しうる。
【０１６５】
シート成形コンパウンド（ＳＭＣ）またはシート成形複合材料は、圧縮成形において主として使用される繊維強化ポリエステル材料を成形するために準備される。成型品は、様々なサイズに成形され、また、平坦なパネルまたは複雑な多次元形状を含みうる。ＳＭＣは、処理および強化複合材料の両方である。ＳＭＣは、ポリエステル樹脂の槽に刻まれたグラスファイバーの繊維を分散させることにより製造される。ＳＭＣは、通常シートとして製造される。この製造工程では、基質（マトリクス）の中に含まれるガラスの割合が１５％から６５％にされる。ＳＭＣの樹脂系は、最終製品に必要となる、化学耐性、硬さ、柔軟性または他の性質を含む特定の物理的性能特性を満たすために、ポリエステルまたはビニルエステル成分のいずれか一方であってよい。さらに、ガラスおよび樹脂ＳＭＣは、他の添加物を含む。ガラスの長さは、２”まで増加させてもよい。ＳＭＣは、連続繊維またはつや消しの可能性を提供する。ＳＭＣは、広い範囲の色になる。ＳＭＣは、優れた物理的耐性、熱的耐性、難燃性および化学的耐性を有する。
【０１６６】
他の熱硬化系と同様に、ＳＭＣは、ポリマー樹脂、不活性フィラー、繊維強化、触媒、顔料、安定剤、離型剤、増粘剤の混合物である。ＳＭＣの製造工程は、連続的なインライン工程である。液体および固体（ペースト）の主成分は、フィルム基板をコーティングするキャリア／バリアフィルムの表面上で、混合および連続的に測定されたバルクである。２つのミラーイメージ測定ステーションは同時に動作する。それから、ペーストコーティングされたフィルムの１つは、刻まれたファイバーで層状にされる。２つのキャリアウェブ（網状のもの）、ペーストおよびファイバーは、それから、圧縮部に共に運ばれる。そこでは、サンドイッチのような層状の要素が、１つの混合物シートに結合される。このシートは、それから、指定された粘度まで熟成が行われるコントロールされた環境で保存される。
【０１６７】
類似の物質と比較して、ＳＭＣは非常に高い大量生産能力、優れた部品再現性、高い強度重量比および操業度当たりの低い必要労働量の利益を得られる。
【０１６８】
本発明は、所望の装飾を直接ＳＭＣ基板の中に昇華させる熱転写による装飾のシステムを含む。現在、金属基板は、この粉体塗装塗料の中に装飾を適用する前に、１つまたは複数の粉体塗装レイヤーを必要とする。ポリエステル樹脂基剤の中に１５％から６０％の範囲のガラス成分を有するＳＭＣ基板は、粉体塗装無しで、昇華法を使って装飾することができる。さらに、ＳＭＣ基板は導電性基板でなくてもよい。熱、時間、および真空圧力の適切な組み合わせにより、昇華染料／インクで印刷された装飾は、ＳＭＣ基板の中に浸透することができる。好ましい実施形態では、ＳＭＣ基板上に高品質なグラフィックデザインの製造、およびそれを一貫した再現性で作ることは、ＳＭＣ基板（ガラス成分および樹脂フィラー）のタイプに適した、温度、時間、および真空圧力の調整を含む。染料／インクの昇華は、ＳＭＣ基板の中に直接、数ミルの厚さで浸透する。ＳＭＣ基板の表面に組み込まれた装飾は、基礎をなすＳＭＣ基板の全ての保護の性質（すなわちＵＶ耐性、化学的耐性、耐久性等）を獲得する。
【０１６９】
ＳＭＣ基板の中に直接昇華されたこの装飾は、美的に楽しませる装飾面を必要とする製品だけでなく、広告、販売促進の用途を含む多数の消費者製品として基板を使用する機会を提供する。
【０１７０】
本発明のＳＭＣ基板または物品は、好ましくは、≦１５％−６５％のガラス、または５％−６５％のガラス、１０％−６５％のガラス、または１５％−６５％のガラスを含む。好ましい実施形態では、基板または物品は、好ましくは、滑らかな樹脂の濃い表面を表す；薄いＳＭＣは、ＳＭＣ物質の形成において収縮がとても少ないまたは収縮がないことおよび装飾される表面の樹脂の濃縮を可能にするそのような表面を提供する。このようなＳＭＣ物質は電気製品の品位と呼ばれることがある。
【０１７１】
その代わり、ガラスが１５％以下のより樹脂が濃い表面は、２重のラミネート構造を利用することによって実現することができる。それより、（上に詳述した）昇華染料が適用されるレイヤーが、１５％以下のガラスからなるＳＭＣ物質で構成され、かつ、６５％までのより多い量のガラスを含む追加のまたは基礎をなす構造上の複数のレイヤーが含まれ得る。ＳＭＣ形成は、フィラー物質または他の添加物のような、ガラスおよび樹脂の他の物質を含んでもよい。このようなフィラー物質は、炭酸カルシウム、アルミニウム三水和物、ガラスミクロスフィア、または他の添加物を含んでもよい。他の添加物は例えば、ＳＭＣの成形性を改良し、それによりラミネートイメージの品質を改良する、安定剤、離型剤、触媒、および、他の独自の成分である。そのような成分で、構造的な目的のための物理的性質、化学的耐性、成形性および外観を変えることもできる。フィラー物質に加え、顔料もまたＳＭＣ物質に加えることができる。これらの顔料は、色およびイメージを増強するために、１つまたは複数の昇華染料と協働しうる。
【０１７２】
粉体塗装のような他の非ＳＭＣ表面上の昇華のように、装飾イメージを得るときにＳＭＣ物質の色素と昇華染料の選択とは一緒に決定されなければならない。
【０１７３】
紫外線阻害剤は、好適には、屋外で使用される最終製品の色の固定のために、ＳＭＣ物質に加えられる。これらの阻害剤は、そのような使用のためにそのものがＵＶ耐性を有している昇華染料の画像品質に影響を与えない。ＳＭＣの中のＵＶ阻害剤および昇華染料のＵＶ耐性の両方の使用は、ちょうどＵＶ耐性粉体塗装およびＵＶ耐性昇華染料のように、適切な色、保持特性、および画像品質を得るために必要である。
【０１７４】
さらに詳細に後述するように、ＳＭＣ成形物が昇華染料を用いて装飾される工程は、ＳＭＣ成形基板の表面に接して配置される昇華染料を含んだプレプリントフィルム／布の適用を必要とする。真空／圧力および指定の時間の指定の熱の印加によって、プレプリント（事前印刷された）イメージは、ＳＭＣの樹脂濃度が高いレイヤーの中に昇華する。非導電性材料であれば、ＳＭＣ基板の処理に必要な時間は、鋼または他の導電性製品のそれとは大きく変わりうる。時間の長さは、ＳＭＣ成形物の密度および大きさによって決定される。この工程の間、ＳＭＣの中の気泡が膨張してＳＭＣが破裂してしまうことを防ぐために、ＳＭＣは、適切な密度であることが好ましい。これは、昇華されたイメージにおける表面的な欠陥または基板の層割れを生じる。この状態は、温度および処理の継続時間によって少しはコントロールできるかもしれないが、一般的に言って、ＳＭＣ成形物の中に空気の罠を含むような品質のＳＭＣ成形部品は、この工程で染料昇華をするのには向いていない。
【０１７５】
好ましい実施形態では、ＳＭＣ基板は、本質的には金属粉体塗装基板について上述したように、装飾される。したがって、好ましい実施形態では、基板上に昇華されるデジタル装飾またはグラフィックイメージをフォーマットし、かつ洗練するためにグラフィックソフトウェアが利用される。グラフィックソフトウェアは、一般に、ＴＩＦＦまたはＰＳＤのようなファイルフォーマットのグラフィックイメージを受け付ける。適切なパントーンカラーおよび文字フォントを選択することを含み、一度デジタルイメージがソフトウェアプログラムの中で適切にフォーマットされかつ整列されると、それからイメージは転写フィルム上に印刷される。カスタマイズされたワイドプリンタ／プロッタは、有機感光色素（染料／インク）およびセルロース樹脂を用いて、透明な転写フィルム／布に装飾／グラフィックアートイメージを印刷するために使用される。この透明な転写フィルム／布は、フィルム上の配置補助を含みうる。これらの配置補助は、３次元、非平面または複雑な形状の基板の中心および／または直線上に装飾／グラフィックイメージを導入するために便利である。同じ装飾／グラフィックイメージを用いて、特に高い生産環境で毎回正確に、基板上の転写フィルムを整列させることが重要だろう。
【０１７６】
さらに好適な実施形態では、ＳＭＣ基板は、特別に設計されたテーブル、棚または膜システムの上に載置される。このテーブル面、棚、または膜システムは、好ましくは、その中に組み込む配置補助を有してもよい。これらの配置補助は、注釈、サドル、金型または治具でマークされたテーブル面または棚システムを含んでもよい。配置補助は、基板が昇華工程の間適切に整列することを保証する。さらに、配置補助は、昇華工程の間基板を安定に保持し続ける。それから転写フィルム／布は、基板の上に配置され、基板の上に、および／または、周囲に被せられる。それから、転写フィルム／布は、ＩＲ技術で徐々に温められ、徐々に膨張し、それから真空（２００ミリバール程度）シールシステムを利用して、フィルムは３次元、非平面、複雑な形状の基板（真空および熱の組み合わせを利用するＤｅｃｏｒａｌ装置）の周りに吸い付けられる。きつく吸い付けられた転写フィルム／布を有する基板は、それから、ＩＲ（赤外線）技術オーブン、非ＩＲオーブン、または他の熱オーブンの中に配置される。または、基板は、転写フィルム／布で包まれ、膜の間またはその上に配置されてもよい。膜は、好ましくは、基板の形状に一致するように負圧をかけられたとき十分な圧力を提供する耐熱シリコンまたは他の耐熱エラストマー材料によって作られてもよい。真空（例えば２００ミリバール程度）シールシステムの利用で、膜は、真空装置（例えばＤｅｃｏｒａｌ製）を使用して基板の上および周囲に押しつけられる。染料／インク昇華の通常の硬化工程は、昇華を得るために（製品に応じて）３０秒から３０分の間、３００−４００Ｆ程度においておく。この染料／インク昇華転写システムは、染料／インクを固相から気相にし、液相にすることなしに再び固相に戻す。正しい温度と圧力で、色素染料／インクは、フィルム支持体から凹凸粉体塗装の合成レイヤーの中に移り、その中で色およびグラフィックイメージの位置の両方を固定する。最高の品質のグラフィックデザインを提供するために、温度、時間、および機械的圧力が調節される。最高の品質を得るために、コーティングレイヤーへの色素染料／インクの十分な浸透が基本条件であるので、Ｄｅｃｏｒａｌシステムは、装飾されたピースの即時の品質チェックをする顕微鏡コントロールシステムを適応させている。この試験を用いる別の理由は、それが、コーティングレイヤーの塗料分子構造に色素がどのぐらい溶け込むかをチェックする簡単な方法であるからである。
【０１７７】
それから、基板は硬化オーブンまたはＩＲ技術から取り除かれ、冷やされる。一度基板が冷やされると、転写フィルム／布は基板から取り除かれる。装飾またはグラフィックイメージは、この段階で、粉体塗装の最上層の中にある（基板の上ではなく、実際に粉体塗装の中にある）。これは、装飾またはグラフィックイメージに（屋外環境に要求される）粉体塗装の耐久性と同じ耐久性を与える。図２５は、非導電性基板２（シート成形コンパウンド）について染料昇華法を使用する装飾を示す。本図は、シート成形コンパウンド基板の中に直接、適当な圧力と温度とによる、染料の熱転写を示す。
【０１７８】
（Ｃ．ＴＷＳＩを利用するシステムおよび方法）
多くのタイプの媒体が、様々に設定されたサービスおよび製品の広告／販売促進のために使用されている。使用される広告媒体のタイプは、それが位置する環境によって変わりうる。本発明、グラフィックデザインおよび広告システムを有するＴＷＳＩパネルは、家庭外広告（ＯＯＨ）と呼ばれる広告スペースに分類されるかもしれない。この広告メディアは、印刷物、インターネットおよびＴＶとは対照的である。ＯＯＨ広告は、小売店のような特定の商業区域だけでなく、屋外の公共の場所に、移動に、人々が出かけているとき、人々に広告することに焦点を合わせている。ＯＯＨ広告は、基本的に、消費者が家の外にいる間、消費者に届く任意のタイプの広告である。２０１１年における世界のＯＯＨ広告の支出は、およそ３１０億ドル、すなわち世界の広告の支出のおよそ７％であった。２００１１年の米国でのＯＯＨ広告の支出は、およそ６０億ドルであった。
【０１７９】
ＯＯＨの形式は、４つの大きなカテゴリに分けられる。これらのカテゴリは、以下である。
【０１８０】
・広告看板−遠い距離から見ることを意図した規格化された大きな形式の広告表示。例えば、掲示板、デジタル広告看板、ポスター、ジュニアポスター、および壁画を含む。
【０１８１】
・街路備品−その多くは公共のサービスを提供し、目の高さで見るための歩行者および買い物客に近い位置にある、または自動車交通に影響を与える縁石側に位置にある広告表示。例えば、バス停、新聞雑誌売り場、新聞ラック、キオスク、自転車、自転車ラック、公衆トイレ、小売店の広告、およびショッピングモールを含む。
【０１８２】
・交通−移動する自動車に添付された、または交通の駅、ターミナル、空港の共用エリアに配置された広告表示。例えば、移動可能な広告看板、バスの外装、タクシー、バスの内装、トラックの側面および車両の表示、ならびに機内の広告を含む。
【０１８３】
・他の媒体−このカテゴリは、あなたが想像できるほとんど任意の物をカバーする。新しい製品は絶えず開発され市場に出される。例えば、アリーナおよびスタジアムの広告、映画の広告、投影広告、ガソリンポンプの上部、製氷機の外装等を含む。
【０１８４】
地方管轄権は、典型的に、ＯＯＨ広告のタイプおよび量を規制している。例えば、米国において、バーモント、ハワイ、メイン、およびアラスカ州は広告看板を禁止している。シーニック・アメリカは、広告看板の建設を禁止している市および地域共同体は、全国の合計で少なくとも１５００になると見積もっている。一部での人口構成の変化のせいで、ＯＯＨはかなり成長してきており、ますます都会環境への移動が起こっている。これは、人々が家の外でより多くの時間を過ごすだけでなく、働きに行くために自動車の中で過ごす時間がより多くなるという状況を作り出している。産業調査に基づくと、人々は、起きている時間のおよそ７０％を彼らの家の外で過ごしている。スマートフォンとコンピュータの拡散は、人々が「移動中に」連絡を取りインターネットにアクセスすることを可能にした。今日のＯＯＨ産業は、広告主が彼らのメッセージをさらに出せるよう、新しい技術、新しい形式、およびよりクリエイティブな考えを提案している。この産業は、広告主および移動する消費者と歩調を合わせ続けるために、全てのビジネスカテゴリに渡って、革新的なアイディアを採用している。今日では、多くの広告主が、販売時点で彼らの製品を販売促進しようと試みている。
【０１８５】
本発明のＴＷＳＩは、広告、販売促進、およびブランドの情報を伝達することに役立つ。例えば、会社のオフィスの入口では、駐車場に行くための正面入口ドアの外側に位置するＴＷＳＩ上に会社の名前またはシンボルを使用することが、会社の建物を特定するために大いに役立ち、広報活動および広告の観点から有益である。小売店では、小売店の正面ドアのすぐ外で、本発明のＴＷＳＩがブランド発信および販売促進の機会を提供するのに役立つことが考えられる。図２８は、基板の表面に組み込まれた会社のロゴまたはグラフィックデザイン２０１を有する注意パターン２４”ｘ４８”のＴＷＳＩ２００上の切頭ドーム２０３を示す。公道では、検知可能な警告パネルは、例えば、市民の情報または商用広告／販売促進情報を歩行者に提供するのに役立つクイックレスポンス（ＱＲ）コードを含むことが好ましいかもしれない。
【０１８６】
ＱＲコードは、１９９４年に日本の自動車産業で最初に設計された２次元バーコードまたはマトリクスタイプのバーコードの商標である。これは高速で要素をスキャンすることを可能にする。これは２次元バーコードの最も一般的なタイプの１つになっている。バーコードは、物品に関する情報を伝送する、物品に付された光学機械読み取り可能なラベルである。ＱＲコードシステムは、標準的なＵＰＣバーコードに比べて、速い読み取り性およびより大きい記憶容量のおかげで、自動車産業の外でも一般的になった。細い光線によって機械的にスキャンされるよう設計された古い１次元バーコードとは違って、ＱＲコードは、半導体イメージセンサーによって２次元デジタル画像として検出され、それからプログラムされたプロセッサによってデジタル的に解析される。ＱＲコードは、白い背景に四角のパターンに配置された黒いモジュール（四角の点）で構成される。図２９は、クイックレスポンスコード（ＱＲコード）の例を示す。
【０１８７】
ＱＲコードは、消費者向け広告では一般的になってきている。スマートフォンユーザは、ＱＲコードスキャナを有するアプリをインストールすることができる。ＱＲコードスキャナは、表示されたコードを読み取り、特定の情報を提供するそのコードに関連する会社、店、または製品のウェブサイトへスマートフォンのブラウザを案内するＵＲＬに、コードを変換する。ショッピング産業では、ＱＲコードを使用することによって製品にアプローチしたとき、消費者に動機を与えるものを知ることで、広告主およびマーケティング担当者は、消費者に買わせるためにスキャンの行動パターンを使用することができ、広告およびマーケティング計画において最高の影響を生じさせることができる。結果として、ＱＲコードは、ブランドのウェブサイトへの迅速かつ楽なアクセスを提供するので、広告戦略の中心となっている。図３０は、基板の表面に組み込まれた会社のロゴまたはグラフィックデザイン２０９およびＱＲコード２１５を有する注意パターン２４”ｘ４８”のＴＷＳＩ２０７上の切頭ドーム２０３を示す。
【０１８８】
本発明は、広告システムとして、１つ以上のＴＷＳＩおよび／または関連する付随（衛星）のパネルを使用することを含む。図３１は、基板の表面に会社のロゴまたはグラフィックデザイン２１９を有する注意パターン２４”ｘ４８”のＴＷＳＩ２１７上の切頭ドーム２０３を示す。広告システムとして、このグラフィックデザインは、複数の検知可能な警告パネルにまたがることができる。図３２は、第１のＴＷＳＩから第２のＴＷＳＩに流れる会社のロゴ２１９を有する、並んで配置された２つの注意パターン２４”ｘ４８”のＴＷＳＩ２２５上の切頭ドーム２０３を示す。中央の線２３１は、２つ並んだ検知可能な警告パネルの間の区切りである。図３３は、第１のＴＷＳＩから第２のＴＷＳＩに流れる販売促進の歓迎メッセージ２３５を有する、２つ並んだ注意パターン２４”ｘ４８”のＴＷＳＩ２３３上の切頭ドーム２０３を示す。中央の線２３１は、２つ並んだ検知可能な警告パネルの間の区切りである。図３４−４０は、ＴＷＳＩを利用する異なるタイプの広告システムの立体図を示す。各図において、身体障害者用傾斜スロープ３０３、傾斜した縁石３１１、身体障害者用傾斜サイドスロープ３０５、縁石ライン３０７、歩道３０、および自動車交通の流れ３１３の方向のような共通の特徴がある。図３４は、第１のＴＷＳＩから第２のＴＷＳＩに流れる販売促進の歓迎メッセージ３０１を有する、縁石に配置された２つの注意パターンのＴＷＳＩ３００上を示す。図３５は、互いに隣り合って位置するまたは同じ視覚領域に位置する、各ＴＷＳＩ上に互いに異なるグラフィックデザイン３１９・３２１を有する、２つの注意パターンのＴＷＳＩ３１５・３１７の一般的な例を示す。図３６は、グラフィックデザインを有しない誘導パターンのＴＷＳＩ３２３だけでなく、３１０に示すようにパネルの分割線を有する、第１のＴＷＳＩから第２のＴＷＳＩに流れるグラフィックデザイン（販売促進の歓迎メッセージ）３０１を有する、縁石に配置された２つの注意パターンのＴＷＳＩ３００を示す。図３７は、グラフィックデザインを有しない誘導パターン３２３とグラフィックデザインを有する誘導パターンのＴＷＳＩ３２５だけでなく、第１のＴＷＳＩから第２のＴＷＳＩに流れるグラフィックデザイン（販売促進の歓迎メッセージ）３０１を有する、縁石に配置された２つの注意パターンのＴＷＳＩ３００を示す。図３８は、複数のパネルの間に分割線３１０を有し、第１のＴＷＳＩから第２のＴＷＳＩに流れるグラフィックデザイン（販売促進の歓迎メッセージ）３０１を有する、縁石に配置された２つの注意パターンのＴＷＳＩ３００と、グラフィックデザインを有する誘導パターンのＴＷＳＩ３２５と、グラフィックデザインを有しない誘導パターン３２３と、ＴＷＳＩに視覚的に近い平らなパネル３２７・３２９を含む、広告システムの一例を示す。図３８はまた、建物または小売店への入口３３１も示す。図３９は、グラフィックデザイン３１９・３２１を有する縁石に配置された２つの注意パターンのＴＷＳＩ３１５・３１７と、ＴＷＳＩの視覚的に近くに配置された３つの平らな基板パネル３３３とを含む広告システムの一例を示す。図４０は、第１のＴＷＳＩから第２のＴＷＳＩに流れるグラフィックデザイン（販売促進の歓迎メッセージ）３０１を有する、縁石に配置された２つの注意パターンのＴＷＳＩ３００と、グラフィックデザインを有する誘導パターンのＴＷＳＩ３２５と、グラフィックデザインを有しない誘導パターンのＴＷＳＩ３２３と、ＴＷＳＩの視覚的に近く（近傍）に配置され、建物または小売店への入口３３１の隣に配置された４つの平らな基板パネル３２７・３２９・３３３・３３３とを含む、広告システムの一例を示す。
【０１８９】
したがって、ある好ましい実施形態では、本発明は、選択的に１つ以上の付随のパネルと共同で、１つ以上のＴＷＳＩを利用するシステムおよび方法を提供する。ＴＷＳＩおよび／またはパネルは、好ましくはグラフィックデザインを含む。ある実施形態では、グラフィックデザインは、少なくとも２、３、４、５、６、７、８、９、１０色を表示または含み、好ましくは、２から１０、３から１０、４から１０、５から１０、２から２０、３から２０、４から２０、５から２０色を表示または含む。ある実施形態では、複数の色は異なるプライマリカラーである。ある実施形態では、ある実施形態では、複数の色は、同じ色の濃淡が異なるものである。ある実施形態では、グラフィックデザインは、３００×３００ドット・パー・インチ（ＤＰＩ）の解像度を有し、好ましくは、少なくともおよそ７２０×７２０ＤＰＩ、最大で約１４４０×７２０ＤＰＩまたは１４４０×１４４０ＤＰＩ、またはそれに等しい解像度を有する。ある実施形態では、グラフィックデザインは、製品、ビジネス、またはサービスについての情報を伝達する。ある好ましい実施形態では、ビジネス、製品またはサービスに関する広告であり、かつ／または、ビジネス、製品、サービス、政治運動、公共情報キャンペーン等に関連する促進の情報を含む。上記促進の情報は、それゆえ、特別な特徴（新製品のような）のある、またはセール中の、特定の製品のための販売促進であってもよく、または、ビジネス、サービス、人物または組織を宣伝するものでもよい。本発明のシステムおよび方法は、ＴＷＳＩおよび／または付随パネルに加えて、１つ以上の媒体での連携した広告または情報キャンペーンと共同で、本発明のＴＷＳＩおよび／または付随パネルを使用することを含む。ある好ましい実施形態では、ＴＷＳＩおよび／または付随パネルは、異なる広告媒体で製品、ビジネスまたはサービスの情報を提供することを含む連携した広告キャンペーンと共同で、ディスプレイ（展示）される。異なる広告媒体は、雑誌および新聞のような印刷媒体、インターネット（ワールドワイドウェブ）、ラジオ広告、テレビコマーシャルのような電子媒体、広告看板、ポスター、キオスク、貼り紙のような店内広告媒体および屋外広告媒体、屋根付きバス停、新聞雑誌売り場、新聞ラック、自転車ラックのような街路備品、バス発着所、列車駅および空港の中でのディスプレイ、移動可能な広告看板、バスの外装、タクシー、バスの内装のような交通媒体、ならびに、上記のような代替の媒体からなるグループから選択される。
【０１９０】
さらに好ましい実施形態では、本発明は、上記したようなＴＷＳＩおよび／または付随パネルのディスプレイに好適な歩道上のスペースの権利を得ること、そしてそれから、製品、ビジネス、組織、またはサービスについての情報を広告または提供する目的のために顧客に上記スペース上の広告を販売、賃借、賃貸、または提供することを含む、ビジネス、製品、組織、またはサービスのために広告を提供する方法およびシステムを提供する。ある実施形態では、上記スペースの権利は、そのスペースを含む歩道を所有する民間団体から得られる。ある実施形態では、スペースの権利は、公道用地または歩道が位置する場所の地役権（通行権）のどちらか一方を有する公共団体（州または地方行政体のような）から得られる。ある好ましい実施形態では、システムおよび方法は、さらに、製品、ビジネス、組織、またはサービスについての広告または情報を提供する１つ以上の所望のグラフィックデザインを含むＴＷＳＩおよび／または付随パネルを顧客に提供することを含む。ある実施形態では、システムおよび方法は、情報または広告を表示することを希望するビジネス（会社）または組織に代わって、ＴＷＳＩおよび／または付随パネルを設置および表示（展示）することを含む。ある実施形態では、上記設置および表示は、さらに、広告または情報が表示されるべき場所を決定することを含む。ある実施形態では、ＴＷＳＩおよび／またはパネル上の広告または情報の表示は、他の媒体との共同（例えば、広告または情報のパッケージまたはキャンペーンの一部として）で提供される。他の媒体は、例えば、雑誌および新聞のような印刷媒体、インターネット（ワールドワイドウェブ）、ラジオ広告、テレビコマーシャルのような電子媒体、広告看板、ポスター、キオスク、貼り紙のような店内広告媒体および屋外広告媒体、屋根付きバス停、新聞雑誌売り場、新聞ラック、自転車ラックのような街路備品、バス発着所、列車駅および空港の中でのディスプレイ、移動可能な広告看板、バスの外装、タクシー、バスの内装のような交通媒体、ならびに、上記のような代替の媒体である。
【０１９１】
（実施例）
テクスチャ（凹凸構造）を有する粉体塗装用塗料上で、多くのテストを実施した。テストの方法は、２つの目的のためにデザインした。それは、パフォーマンスの信頼性（すなわち、所与の使用法について、塗装の適正を判断すること）および品質制御（すなわち、塗装の適用例および塗装される原料物質の均一な品質を維持すること）である。現実世界の屋外の状態をシミュレートするようにデザインされた実験室テストが数多く存在する。実験室テストは、制御された条件下で塗装を評価するように設定されている。注意深く選択された実験室でのテストにおいて、所与の物質が良好に機能する場合、方式を決める者は、一般的に、物質が実際の使用でも良好に機能し、また、フィールドテストでの処理にもよく適合すると信じる。
【０１９２】
国内で受け入れられたガイドラインを確立するために、検査および物質のための米国組織（ＡＳＴＭ）の標準に従って、テストの工程を作り上げる。以下のＡＳＴＭテストを利用して、本発明の紛体塗装用塗料をテストする。
【０１９３】
１．滑り抵抗テスト（ＡＳＴＭ Ｃ１０２８）−セラミックタイルおよびその類似粒の表面の静止摩擦係数を決定するための標準的なテスト方法。水平引っ張り力計測法および傾斜組み立て品は、パネルの水平摩擦係数（ＳＣＯＦ）を決定するためにデザインされている。目標は、０．８０〜１．０の乾燥ＳＣＯＦおよび０．６０未満の濡れＳＣＯＦである。
【０１９４】
２．塩水噴霧腐食試験（ＡＳＴＭ Ｂ１１７）−密封されたウェザーキャビネット（weather cabinet）内にある、華氏９２〜９７５度の５％塩水を使用。基板を生成するためのテストパネル中に、バツ（Ｘ）を刻む。２４時間中検査。刻まれた領域から１／４”ずれた後、テストおよび総時間を終了。５００時間の露出の後、刻まれた線からのずれ（クリープ）は、どの方向にも１／４”を超えないことが望ましい。
【０１９５】
３．衝撃テスト（ＡＳＴＭ Ｄ２７９４）−パネル上の塗装は、１／２”の「Ｇａｒｄｅｎｅｒ」衝撃テスト用ボール（２６インチポンド）が行って戻ってくることによる衝撃に耐えることが望ましい。傷や付着の弱まりがないこと。衝撃エリアの仕上げ剤は、圧力検知テープによって除去不可能であることが望ましい。３Ｍ ２５０マスキングテープまたは「Ｐｅｒｍａｃｅｌ」の＃９９付着テスト用テープを推薦する。
【０１９６】
４．付着テスト（ＡＳＴＭ Ｄ３３５９）−塗装を通じて、基板に対し、１インチと１／４”だけ離れた平行な線を刻む。第１の組とは垂直に、１／４”だけ離れた平行な線の他の組を刻む。３Ｍ ２５０マスキングテープなどの圧力検知テープ、または「ｐｅｒｍａｃｅｌ」の＃９９付着テスト用テープを貼付した後、ゆっくりと剥がす。その結果、刻んだ線の間で、剥離が生じないべきである。
【０１９７】
５．硬度テスト（ＡＳＴＭ Ｄ３３６３）−「Ｆａｂｅｒ Ｃａｓｔｅｌｌ」の木製鉛筆（硬度１、２、３、４）を使用する。塗装は、２Ｈ鉛筆によって跡を付けられないことが望ましい。
（実施例１）
ＴＷＳＩの仕様における要求の１つは、それが、所定の滑り抵抗の標準に合致していることである。数多くのテクスチャあり粉体塗装用塗料およびパネル基板上の塗料の組み合わせについて、滑り抵抗がテストされた。表６は、レイヤー＃１およびレイヤー＃２において使用されるテクスチャなしおよびテクスチャあり粉体塗装用塗料の両者の異なる組み合わせについての、濡れ／乾燥平均滑り抵抗テストＡＳＴＭＣ１０２８の結果（切頭ドームなし）を示す。ＡＳＴＭＣ１０２８は、水平引っ張り力計測法（滑り摩擦テスト）によって、セラミックタイルおよびその類似物の面の静止摩擦係数（ＣＯＦ）を決定する標準的なテスト方法である。米国において、各州は、ＴＷＳＩ製品の滑り抵抗についての要請を有する。これは州によっていくらか異なるが、よい規則は、平均濡れ／乾燥ＣＯＦが０．６５よりも大きいことである。数が大きくなるほど、滑り抵抗は改善する。
【０１９８】
【表６】
2018022168.tif 000007
【０１９９】
表７は、上位５つの粉体塗装用塗料の組み合わせについてのＡＳＴＭ  Ｃ１０２８濡れ／乾燥平均滑り抵抗テストの結果（切頭ドームなし）（表６）に基づいたランキングを示す。
【０２００】
【表７】
2018022168.tif 000008
【０２０１】
ＡＳＴＭＣ１０２８滑り抵抗テストに加え、異なる粉体塗装レイヤー上において、５つの他の粉体塗装用塗料をテストした。表８は、これらの５つの異なるＡＳＴＭ塗料のテストについて、ＡＳＴＭ粉体塗装用塗料をテストした結果を示す。
【０２０２】
【表８】
2018022168.tif 000009
【０２０３】
実施例１で実施したテストの結果、図１７における粉体塗装の組み合わせが、滑り抵抗（および他の耐久性テストや、検知可能な警告パネル上におけるグラフィックデザイン画像の質）に基づいた好ましい方法である、という結論に到達した。図１７は、２層の粉体塗装用塗料で塗装された導電性基板１を示す。第１レイヤー６は、白いポリエステルの粉体塗装用塗料（テクスチャなし）であり、第２レイヤー９は、単色の／透明な、つやのない、テクスチャありのある、ポリウレタンの、超耐久性粉体塗装用塗料である（ＡＤＡ１１０４／０６ケミカルテクスチャ）。
（実施例２）
テクスチャあり粉体塗装用塗料の物理的な特性を測定するために、ＴＷＳＩ製品について開発された、２つの分析方法を使用した。第１の方法では、高出力な顕微鏡を用いて、表面のテクスチャありの物理的な性質を測定した。これらの測定は、「Bodelin」によって製造された５０倍出力の顕微鏡（型式−「ProScope HD2」）によってなされた。ソフトウェアは「ProScope HR /LX-ProScope HR」であった。ＬＥＤ側面灯を追加で備えたＬＥＤ灯で光源を構成した。測定された物理的な特性には、小さなテクスチャありの球の大きさ、大きなテクスチャありの塊の大きさ、および、これらの球／塊の間の距離が含まれる。
【０２０４】
表９は、テクスチャあり粉体塗装用塗料ＡＤＡ１１０４／０４（クラス２）の測定結果を示す。この表は、小さなテクスチャの球の大きさ、大きなテクスチャの塊の大きさ、および、テクスチャあり添加物の球／塊の間の距離を示す。テクスチャあり添加物は、テクスチャあり粉体塗装用塗料を生成するために使用される。ゴムの球体粒子で形成された凹凸の初期の粒子の大きさは、０．２１２１ｍｍから０．３１１１ｍｍまでの範囲である。
【０２０５】
【表９】
2018022168.tif 000010
【０２０６】
表１０は、テクスチャあり粉体塗装用塗料ＡＤＡ１１０４／０５（クラス２）の測定結果を示す。この表は、小さなテクスチャありの球の大きさ、大きなテクスチャありの塊の大きさ、および、添付物を付加された不活性ゴムの球／塊の間の距離を示す。この添付物は、テクスチャあり粉体塗装用塗料を生成するために使用されるものである。
【０２０７】
【表１０】
2018022168.tif 000011
【０２０８】
表１１は、テクスチャあり粉体塗装用塗料ＡＤＡ１１０４／０６（クラス２）の測定結果を示す。この表は、小さなテクスチャありの球の大きさ、大きなテクスチャありの塊の大きさ、および、化学的に添付物を付加された不活性ゴムの球／塊の間の距離を示す。この添付物は、テクスチャあり粉体塗装用塗料を生成するために使用されるものである。
【０２０９】
【表１１】
2018022168.tif 000012
【０２１０】
実施例２で実施したテストの結果、導電性ＴＷＳＩ基板上のレイヤー＃２のテクスチャありには、粉体塗料ＡＤＡ１１０４／０６が、最良の選択である、という結論に到達した。
【０２１１】
この結論は、滑り抵抗のテスト、テクスチャの物理的な特性、および、テクスチャの単色の／透明な性質の一貫した明瞭さに基づいている。テクスチャＡＤＡ１１０４／０４およびＡＤＡ１１０４／０５は、良好な滑り抵抗を示したが、テクスチャありを付加された塗料は一度硬化されると黄色になった。これは、活気のある高品質なグラフィック画像を提供しなかった。
（実施例３）
表１２は、異なる粉体塗装用塗料による塗装の種類およびその組み合わせについて、表面プロファイルを測定した結果を示す。これらの測定を実施するために、「ＤｅＦｅｌｓｋｏ」によって製造された「ＰｏｓｉＴｅｃｔｏｒ ＳＰＧ Ｓｕｒｆａｃｅ Ｐｒｏｆｉｌｅ Ｇａｇｅ」を使用した。ＳＰＧは、表面プロファイルの高低差を測定し、記録する。粉体塗装用塗料の種類および組み合わせの各々について、２つのテストを実行した。
【０２１２】
【表１２】
2018022168.tif 000013
【０２１３】
【表１３】
2018022168.tif 000014
【０２１４】
【表１４】
2018022168.tif 000015
【０２１５】
【表１５】
2018022168.tif 000016
【０２１６】
実施例３において実施したテストの後で到達した結論は、粉体塗料ＡＤＡ１１０４／０６が導電性ＴＷＳＩ基板上の層＃２のテクスチャの最良の選択肢であることを再度支持した。この結論は、滑り抵抗のテスト、テクスチャの物理的な特性、および、テクスチャの単色性／透明性の一貫した明瞭さに基づいている。
【０２１７】
数多くの他の粉体塗装用塗料の組み合わせを試験した。テクスチャの方式のいくつかは、要求される基準に合致させることができなかった。例えば、開発しテストしたテクスチャの方式のうち２つは、有機ゴムの添加剤を含んでいた。これらのテクスチャで遭遇した問題は、単色性／透明性を矯正するために、テクスチャを確実に得ることができないことであった。最終的な製品が、黄色の色調になりがちであった。この黄色みは、鮮明かつ単色のグラフィック画像を得ることを不確定にした。他のテクスチャを有する塗料は、一貫した品質の画像へ昇華させることも、一貫した品質の画像を提供することも不可能であった。実際、これらのテクスチャありの方式のいくつかは、滑り抵抗のテストにおいて、極めてよいパフォーマンスを示した。それらは、本発明に含まれるテクスチャを上回るパフォーマンスさえ示した。一貫性を持って機能しなかった、テクスチャおよび上面塗装を有する粉体塗装用塗料を、図１２および１３に示す。 
【０２１８】
一度、基板がステップ１の洗浄工程および（必要であれば）ステップ３のプライマー層工程（Ｅ−コートまたは液体プライマー塗装）の両者を実行されれば、基板の粉体塗装用塗料層（層＃１および層＃２）のオプションは、導電性基板および非導電性基板の両者について同じである。
【０２１９】
層＃１の粉体塗装用塗料の工程は、凹凸加工用添加剤を含んでいてもよいし、含んでいなくてもよい。粉体塗装用塗料層＃１の第１のオプションは、テクスチャなしである。基板が洗浄（洗浄の方法または工程は、基板物質の種類によって決定される）された後、第１の粉体塗装用塗料層＃１ＮＴ（テクスチャなし）が、導電性基板に塗布される。粉体塗装層＃１ＮＴは、熱硬化性ポリマーである。図１６、１７、２２、２３、および２４を参照。方式中、熱硬化性を有する粉体塗装用塗料が、架橋剤と組み合わされている。粉体塗装された物体は、塗装された後、熱で硬化されたとき、粉体に含まれる他の化学的集合と反応することによって重合し、塗料のパフォーマンス性が改善する。最も一般的に使用されるポリマーは、ポリエステル、ポリウレタン、（ハイブリッドとして知られる）ポリエステル−エポキシ、ストレートエポキシ（溶融接着されたエポキシ）、およびアクリルである。
【０２２０】
粉体塗装層＃１ＮＴは、特定の色に限定されないが、多くの場合、白色（これは、染料／インクの昇華工程に最適な背景を提供するため、ベース層に最適な色である）であってよい。この粉体塗装層＃１ＮＴは、「Ｄｅｃｏｒａｌ」またはそれに類似するタイプの製品、ポリエステル粉体塗装用塗料製品であってよい。粉体の第１層の厚さは、１．０〜４．０ミリメートルの範囲に含まれることが好ましい。この粉体塗装層＃１ＮＴは、華氏３４０度で、１５分間、硬化されることが好ましい。このとき、粉体塗装層＃１ＮＴは、第２層の付着を助けるために、この第１層が完全には硬化しないように硬化される。
【０２２１】
粉体塗装用塗料層＃１の２つ目のオプションは、凹凸加工を施された塗料の仕上げ剤である。基板が洗浄（洗浄の方法および工程は、基板物質の種類によって決定される）された後、第１の粉体塗装用塗料層＃１ＷＴ（テクスチャあり）が、導電性基板に塗布される。この粉体塗装層＃１ＷＴは、凹凸加工された熱硬化性ポリマーである。図１１〜１５、１８〜２１を参照。凹凸加工された熱硬化性粉体塗料は、その方式において、架橋剤と組み合わされる。粉体塗装された物体は、塗装された後、熱で硬化されたとき、粉体内の他の化学的集合と反応することによって重合し、塗装のパフォーマンス性が改善する。使用される最も一般的なポリマーは、ポリエステル、ポリウレタン、（ハイブリッドとして知られる）ポリエステル−エポキシ、ストレートエポキシ（溶融接着されたエポキシ）、およびアクリルである。
【０２２２】
粉体塗装層＃１ＷＴは、特定の色に限定されないが、多くの場合、白色（これは、染料／インクの昇華工程に最適な背景を提供するため、ベース層に最適な色である。）であってよい。この粉体塗装層＃１ＷＴは、「Ｄｅｃｏｒａｌ」またはそれに類似するタイプの製品、凹凸加工用添加剤を備えたポリエステル粉体塗装用塗料であってよい。この凹凸加工用添加剤は、所望の凹凸および関連する耐久性、耐引っ掻き性、滑り抵抗および耐摩耗性を加えるための、粉体塗料に含まれる１つの凹凸加工用添加剤（例えば、ゴム、ガラスフレーク、ガラスファイバー、バリウム硫酸塩、酸化アルミニウム、他の非重合または重合添加剤）であってもよいし、あるいは複数の凹凸加工用添加剤（凹凸加工用添加剤の組み合わせ）であってもよい。ゴムが粉体塗装用塗料に追加される場合、それは、粉体の重量比で、１０％〜２５％追加される。このゴムは、リサイクルされた再生ゴムである。ゴム粒子の大きさは、４０〜２００ミクロンであってよい。ゴムのテクスチャの目的は、基板上の粉体塗装用塗料のグリップ性能を向上させることである。ガラスフレーク、ガラスファイバー、または他の適切な充填剤（例えば、バリウム硫酸塩）、所望の凹凸を生成するために使用される（Ｂａｒｙｔｅｓ）が、粉体の重量比で５％〜１０％追加されてよい。ガラス球体の大きさは、典型的な大きさ（１８〜８０ミクロン）である。ガラスフレークまたはガラスファイバーの目的は、粉体塗装用塗料の耐摩耗性を向上させることにある。ゴム、ガラスフレーク、およびガラスファイバーは、ポリエステル粉体中に乾式混合（ドライブレンド）される。所望のテクスチャに依存して、テクスチャ剤が、粉体塗装の方式に追加されてもよい。粉体の第１層の厚さは、１．０〜４．０ミリメートルの範囲に含まれることが好ましい。この粉体塗装層＃１ＢＷＴは、華氏３４０度で、１５分間、硬化されることが好ましい。このとき、粉体塗装層＃１ＮＴは、第２層の付着を助けるために、この第１層が完全には硬化しないように硬化される。
【０２２３】
第１の粉体塗装用塗料層（層＃１ＮＴまたは層＃１ＷＴ）が塗布され、部分的に硬化された後、第２の粉体塗装用塗料層が基板上に吹き付け塗装される。この第２層は、凹凸加工用添加剤とともに、または凹凸加工用添加剤なしで、塗布されてもよい。
【０２２４】
粉体塗装の第２層＃２ＮＴ（テクスチャなし）は、ポリウレタン熱硬化性粉体である。図２２を参照。熱硬化性粉体塗料は、さらに、その方式中で、架橋剤と組み合わされる。粉体塗装された物体が、塗装された後、熱で硬化されたとき、粉体内の他の化学的集合と反応することによって重合し、塗装のパフォーマンス性が改善する。
【０２２５】
この第２層＃２ＮＴは、単色の／透明なポリウレタン粉体塗装用塗料の製品であることが好ましい。この「Ｄｅｃｏｒａｌ」の単色の／透明なポリウレタン粉体塗料（ＤＳ４０７）は、以下の特性を有する。超耐久性、傷耐性、落書きに対する耐性、紫外線耐性、および化学的耐性。
【０２２６】
凹凸加工された粉体塗料の第２層は、染料／インクの昇華による装飾／グラフィックメディアを受容することができるように特別に方式化される。この「Ｄｅｃｏｒａｌ」の塗料の方式に含まれるＵＶ防護（良好な光耐性を有する樹脂）は、染料／インクの昇華による装飾／グラフィックアートが薄くなることや退色することを抑制する。粉体塗料の第２層＃２ＮＴの厚さは、１．５〜６．０ミリメートルの範囲であることを提案されている。この第２層＃２ＮＴは、基板上において、華氏３００度から４００度までの温度で、２０分間、完全に硬化されることが好ましい。その２０分間は、好ましくは、導電性基板が華氏３９２度に到達したときに計測される。低温（６０Ｃ〜１２０Ｃ）で粉体塗装用塗料を硬化することを許容する、新たな粉体塗料技術が開発されている。これは、現在の通常の粉体塗装硬化温度（３２５Ｆ〜４００Ｆ）と比較すると著しい。粉体塗装の第２層＃２ＷＴ（テクスチャあり）は、ポリウレタンの、凹凸加工された、熱硬化性を有する粉体である。図１７〜２１、２３〜２４を参照。
【０２２７】
この粉体塗料に追加されたテクスチャは、塗料層の耐引っ掻き性、滑り抵抗、および耐摩耗性を改善させる。熱硬化性粉体で塗装された物体は、その方式中で、架橋剤とも組み合わされる。粉体で塗装された物体は、塗装された後、熱で硬化されたとき、粉体内の他の化学的集合と反応することによって重合し、塗装のパフォーマンス性が改善する。
【０２２８】
この第２層＃２ＷＴは、単色の／透明なポリウレタン粉体塗装用塗料の製品であることが好ましい。この「Ｄｅｃｏｒａｌ」の、単色の／透明な、テクスチャありポリウレタン粉体塗料（ＤＳ７０７またはＡＤＡ １１０４／０６、クラス２）は、以下の特性を有する。超耐久性、傷耐性、落書きに対する耐性、紫外線耐性、および化学的耐性。図１７、１８、２１、および２４は、クラス２のテクスチャあり粉体塗装用塗料ＡＤＡ １１０４／０６を有する、粉体塗装用塗料の組み合わせを示す。図１９、２０、および２３は、テクスチャあり粉体塗装用塗料ＤＳ７０７を有する粉体塗装用塗料の組み合わせを示す。
【０２２９】
「Ｄｅｃｏｒａｌ」の単色の／透明な粉体塗料の第２層＃２ＷＴは、高分子または非高分子の凹凸加工用添加剤を含むことが好ましい。この凹凸加工用添加剤は、塗装された基板の滑り抵抗、耐摩耗性、および耐久性を改善させる。この塗装層＃２ＷＴは、化学的添加剤またはゴム粒子を含んだ、「Ｄｅｃｏｒａｌ」のポリウレタン粉体塗料で形成される。化学的添加剤またはゴム粒子は、要求される滑り抵抗（特定の産業上の要求を超える滑り抵抗）を提供するのに必要な表面の粗さ／テクスチャを生成する。テクスチャあり粉体塗料の第２層は、インク／染料の昇華による装飾／グラフィックメディアを除去することができるように、特別に方式化される。この「Ｄｅｃｏｒａｌ」塗料の方式に含まれるＵＶ防護（良好な光耐性を有する樹脂）は、染料／インクの昇華による装飾／グラフィックアートが薄くなることや退色することを抑制する。粉体塗料の第２層＃２Ｂの厚さは、１．５〜６．０ミリメートルの範囲であることが好ましい。この第２層＃２Ｂは、基板上において、華氏３００度から４００度までの温度で、２０分間、完全に硬化されることが好ましい。その２０分間は、好ましくは、導電性基板が華氏３９２度に到達したときに計測される。基板上の熱硬化性粉体を熱（熱オーブンおよび／またはＩＲシステム）で硬化する。硬化の温度は、３〜７分間、華氏３００〜４００度である。低温（６０Ｃ〜１２０Ｃ）で粉体塗装用塗料を硬化することを許容する、新たな粉体塗料技術が開発されている。これは、現在の通常の粉体塗装硬化温度（３２５Ｆ〜４００Ｆ）と比較すると著しい。
【０２３０】
上述した出版物および特許が全て、参照によって、ここに結合される。当業者にとっては、本発明の範囲および本質から離脱することなしに、説明した方法およびシステムの様々な修正および変更が明白であろう。本発明は特定の好ましい実施例とともに説明されたが、請求された本発明は、そのような特定の実施例通りに限定されるべきではない。実際、本発明を実施するための上述したモードに対して、本発明の当業者にとって明らかである様々な修正を行うことが、下記請求項の範囲に含まれることを意図している。
【図面の簡単な説明】
【０２３１】
【図１】図１Ａは、触覚警告面指示器（Tactile Warning Surface Indicators；ＴＷＳＩ）の“注意喚起パターン”を示す。この“注意喚起パターン”は、主な移動の方向に平行に、切頭ドームまたは円錐台を示している。図１Ｂは、ＴＷＳＩの“注意喚起パターン”を示す。この“注意喚起パターン”は、主な移動の方向に対して４５°傾いた方向に、切頭ドームまたは円錐台を示している。
【図２】図２Ａは、ＴＷＳＩの“誘導パターン”を示す。この“誘導パターン”は、平坦な上面を有する引き伸ばされた長円形の棒のパターンを有する。図２Ｂは、ＴＷＳＩの“誘導パターン”を示す。この“誘導パターン”は、平坦な上面を有する引き伸ばされた矩形の棒のパターンを有する。図２Ｃは、ＴＷＳＩの“誘導パターン”を示す。この“誘導パターン”は、シヌソイド型の畝（リブ）のパターンを有する。図２Ｄは、ＴＷＳＩの“誘導パターン”を示す。この“誘導パターン”は、平坦な上面を有する引き伸ばされた長円形の畝のパターンを有する。
【図３】図３Ａは、「ＭｅｔａＤｏｍｅ」によって製造された、隆起（リッジ）を有する切頭ドーム部の側面を示す。図３Ｂは、「ＭｅｔａＤｏｍｅ」によって製造された、隆起を有する切頭ドームの上面を示す。
【図４】図４Ａは、ＡＤＡに準拠する２４”×４８”の面に搭載／貼付／事後設置される検知可能警告パネルの上面を示す。この検知可能警告パネルは、直線状に並んだドーム部の注意喚起パターンを有する。図４Ｂは、ＡＤＡに準拠する２４”×４８”面に搭載／貼付／事後設置される検知可能警告パネルの端面を示す。この検知可能警告パネルは、直線状に並んだドーム部の注意喚起パターンを有する。図４Ｃは、ＡＤＡに準拠する２４”×４８”の面に搭載／貼付／事後設置される検知可能警告パネルの側面を示す。この検知可能警告パネルは、直線状に並んだドーム部の注意喚起パターンを有する。
【図５】図５Ａは、ＡＤＡに準拠する２４”×４８”の現場打ちされる検知可能警告パネルの上面を示す。この検知可能警告パネルは、直線状に並んだドーム部の注意喚起パターンを有する。図５Ｂは、ＡＤＡに準拠する２４”×４８”の現場打ちされる検知可能警告パネルの端面を示す。この検知可能警告パネルは、直線状に並んだドーム部の注意喚起パターンを有する。図５Ｃは、ＡＤＡに準拠する２４”×４８”の現場打ちされる検知可能警告パネルの側面を示す。この検知可能警告パネルは、直線状に並んだドーム部の注意喚起パターンを有する。
【図６】図６Ａは、ＡＤＡに準拠する２４”×４８”の改修可能な検知可能警告パネルの上面を示す。この検知可能警告パネルは、直線状に並んだドーム部の注意喚起パターンを有する。図６Ｂは、ＡＤＡに準拠する２４”×４８”の改修可能な検知可能警告パネルの端面を示す。この検知可能警告パネルは、直線状に並んだドーム部の注意喚起パターンを有する。図６Ｃは、ＡＤＡに準拠する２４”×４８”の改修可能な検知可能警告パネルの端面を示す。この検知可能な警告パネルは、直線状に並んだドーム部の注意喚起パターンを有する。図６Ｄは、ＡＤＡに準拠する２４”×４８”の改修可能な検知可能警告パネルの上部の側面を示す。この検知可能な警告パネルは、直線状に並んだドーム部の注意喚起パターンを有する。図６Ｅは、ＡＤＡに準拠する２４”×４８”の改修可能な検知可能警告パネルの底部の側面を示す。この検知可能な警告パネルは、直線状に並んだドーム部の注意喚起パターンを有する。
【図７】改修可能なパネルの外皮切断図上に、切頭ドーム部の３次元図を示す。
【図８】図８Ａは、改修可能な検知可能警告パネルの３次元上面図を示す。この検知可能警告パネルは、該パネルの上部に現れた、直線状のドーム部の注意喚起パターンを有する。図８Ｂは、改修可能な検知可能警告パネルの３次元上面図を示す。この検知可能警告パネルは、該パネルの底部に現れた、直線状のドーム部の注意喚起パターンを有する。
【図９】図９Ａは、改修可能な検知可能警告パネルの３次元底面図を示す。この検知可能警告パネルは、該パネルの上部に現れた、直線状のドーム部の注意喚起パターンを有する。図９Ｂは、改修可能な検知可能警告パネルの３次元底面図を示す。この検知可能警告パネルは、該パネルの底部に現れた、直線状のドーム部の注意喚起パターンを有する。
【図１０】図１０Ａは、プラスティック複合材料面に搭載される検知可能警告パネルの上面を示す。この検知可能警告パネルは、直線状のドーム部の注意喚起パターンを有する。図１０Ｂは、プラスティック複合材料面に搭載される検知可能警告パネルの側面を示す。この検知可能警告パネルは、直線状のドーム部の注意喚起パターンを有する。図１０Ｃは、プラスティック複合材料面に搭載される検知可能警告パネルの側面の拡大詳細を示す。この検知可能警告パネルは、直線状のドーム部の注意喚起パターンを有する。図１０Ｄは、プラスティック複合材料の検知可能警告パネルの拡大詳細を示す。
【図１１】１層の粉体塗装用塗料５で塗装された導電性基板１を示す。粉体塗装用塗料層５は、白くて凹凸構造のある粉体塗装用塗料である（ＡＤＡ１１０４／０６−Ｗケミカルテクスチャ）。
【図１２】１層の粉体塗装用塗料３で塗装された導電性基板１２を示す。粉体塗装用塗料層３は、白くて凹凸構造のある粉体塗装用塗料である（ＡＤＡ１１０４／０４−Ｗラバーテクスチャ）。
【図１３】１層の粉体塗装用塗料４で塗装された導電性基板１を示す。粉体塗装用塗料層４は、白くて凹凸構造のある粉体塗装用塗料である（ＡＤＡ１１０４／０５−Ｗラバーテクスチャ）。
【図１４】１層の粉体塗装用塗料１０で塗装された導電性基板１を示す。粉体塗装用塗料層１０は、澄んだ色の／透明な、つやのない、凹凸構造のある、ポリウレタンの、粉体塗装用塗料である（ＤＳ７０７テクスチャ）。
【図１５】１層の粉体塗装用塗料９で塗装された導電性基板１を示す。粉体塗装用塗料層９は、澄んだ色の／透明な、つやのない、凹凸構造のある、高耐久性ポリウレタンの、粉体塗装用塗料である（ＡＤＡ１１０４／０６ケミカルテクスチャ）。
【図１６】１層の粉体塗装用塗料１１で塗装された導電性基板１を示す。粉体塗装用塗料層１１は、澄んだ色の／透明な、粉体塗装用塗料である（凹凸構造なし）。
【図１７】２層の粉体塗装用塗料で塗装された導電性基板１を示す。第１層６は、白いポリエステル粉体塗装用塗料（凹凸構造なし）であり、第２層９は、澄んだ色の／透明な、つやのない、凹凸構造のある、ポリウレタンの、超耐久性粉体塗装用塗料である（ＡＤＡ１１０４／０６ケミカルテクスチャ）。
【図１８】２層の粉体塗装用塗料で塗装された導電性基板１を示す。第１層７は、白くて凹凸構造のある粉体塗装用塗料（ＭＤＰＣ９０テクスチャ）であり、第２層９は、澄んだ色の／透明な、つやのない、凹凸構造のある、ポリウレタンの、超耐久性粉体塗装用塗料である（ＡＤＡ１１０４／０６ケミカルテクスチャ）。
【図１９】２層の粉体塗装用塗料で塗装された導電性基板１を示す。第１層８は、白くて凹凸構造のある粉体塗装用塗料（ＭＤＰＣ６０Ａケミカルテクスチャ）であり、第２層１０は、澄んだ色の／透明な、つやのない、凹凸構造のある、ポリウレタンの、粉体塗装用塗料である（ＤＳ７０７テクスチャ）。
【図２０】２層の粉体塗装用塗料で塗装された導電性基板１を示す。第１層７は、白くて凹凸構造のある粉体塗装用塗料（ＭＤＰＣ９０テクスチャ）であり、第２層１０は、澄んだ色の／透明な、つやのない、凹凸構造のある、ポリウレタンの、粉体塗装用塗料である（ＤＳ７０７テクスチャ）。
【図２１】２層の粉体塗装用塗料で塗装された導電性基板１を示す。第１層８は、白くて凹凸構造のある粉体塗装用塗料（ＭＤＰＣ６０Ａケミカルテクスチャ）であり、第２層９は、澄んだ色の／透明な、つやのない、凹凸構造のある、ポリウレタンの、超耐久性粉体塗装用塗料である（ＡＤＡ１１０４／０６ケミカルテクスチャ）。
【図２２】２層の粉体塗装用塗料で塗装された導電性基板１を示す。第１層６は、白いポリエステル粉体塗装用塗料（凹凸構造なし）であり、第２層１１は、澄んだ色の／透明な粉体塗装用塗料である（凹凸構造なし）。
【図２３】２層の粉体塗装用塗料で塗装された導電性基板１を示す。第１層６は、白いポリエステル粉体塗装用塗料（凹凸構造なし）であり、第２層１０は、澄んだ色の／透明な、つやのない、凹凸構造のある、ポリウレタンの、粉体塗装用塗料である（ＤＳ７０７テクスチャ）。
【図２４】２層の粉体塗装用塗料で塗装された導電性基板１を示す。第１層６は、白いポリエステル粉体塗装用塗料（凹凸構造なし）であり、第２層９は、澄んだ色の／透明な、つやのない、凹凸構造のある、ポリウレタンの、超耐久性粉体塗装用塗料である（ＡＤＡ１１０４／０６ケミカルテクスチャ）。
【図２５】昇華法を用いて非導電性基板２を装飾する処理を示す（シート成型不極号材料）。
【図２６】昇華法を用いて、以下（３、４、５、９、１０、および１１）から選択される１層の粉体塗装用塗料で導電性基板１を装飾する処理を示す。図は、粉体塗装用塗料の上記１層への染料の熱遷移を示す。
【図２７】昇華法を用いて、２層の粉体塗装用塗料で導電性基板１を装飾する処理を示す。粉体塗装用塗料の第１層は以下（６、７、８）から選択される。粉体塗装用塗料の第２層は以下（９、１０、および１１）から選択される。図は、粉体塗装用塗料の上記２上面層への染料の熱遷移を示す。
【図２８】基板上に会社のロゴまたはグラフィックデザインを有する注意喚起パターンＴＷＳＩを示す。
【図２９】クイックレスポンスコード（ＱＲコード）の例を示す。
【図３０】会社のロゴまたはグラフィックデザインと、クイックレスポンスコードと、を基板上に有する注意喚起パターンのＴＷＳＩを示す。
【図３１】会社のロゴまたはグラフィックデザインを基板上に有する注意喚起パターンのＴＷＳＩを示す。
【図３２】互いに隣接する２つの注意喚起パターンのＴＷＳＩを示す。これらの２つの注意喚起パターンのＴＷＳＩは、第１のＴＷＳＩから第２のＴＷＳＩまでつながる会社のロゴを有する。
【図３３】互いに隣接する２つの注意喚起パターンのＴＷＳＩを示す。これらの２つの注意喚起パターンのＴＷＳＩは、第１のＴＷＳＩから第２のＴＷＳＩまでつながった、販売促進のためのウェルカムメッセージを有する。
【図３４】縁に配置された２つの注意喚起パターンのＴＷＳＩを示す。これらの２つの注意喚起パターンのＴＷＳＩは、第１のＴＷＳＩから第２のＴＷＳＩまでつながった、販売促進のためのウェルカムメッセージを有する。
【図３５】２つの注意喚起パターンのＴＷＳＩの包括的な例を示す。これらの２つの注意喚起パターンのＴＷＳＩは、互いに隣接しているかまたは同じ仮想領域内に存在するＴＷＳＩの各々の上に、異なるグラフィックデザインを有する。
【図３６】第１のＴＷＳＩから第２のＴＷＳＩまでつながったグラフィックデザイン（販売促進のためのウェルカムメッセージ）を有する、縁に配置された２つの注意喚起パターンのＴＷＳＩを示す。グラフィックデザインを有さない誘導パターンのＴＷＳＩも示す。
【図３７】第１のＴＷＳＩから第２のＴＷＳＩまでつながったグラフィックデザイン（販売促進のためのウェルカムメッセージ）を有する、縁に配置された２つの注意喚起パターンのＴＷＳＩを示す。グラフィックデザインを有する誘導パターンのＴＷＳＩも示す。
【図３８】２つの注意喚起パターンのＴＷＳＩと、１つの誘導パターンのＴＷＳＩと、平坦なパネルと、を含んだ広告システムの一例を示す。２つの注意喚起パターンは、縁に配置されており、第１のＴＷＳＩから第２のＴＷＳＩにつながるグラフィックデザイン（販売促進のためのウェルカムメッセージ）を有する。誘導パターンのＴＷＳＩは、グラフィックデザインを有する。平坦なパネルは、ＴＷＳＩの視認可能な近傍に存在する。
【図３９】２つの注意喚起パターンのＴＷＳＩと、３つの平坦な基板パネルとを含んだ広告システムの一例を示す。２つの注意喚起パターンのＴＷＳＩは、縁に配置されており、グラフィックデザインを有する。３つの平坦な基板パネルは、ＴＷＳＩの視認可能な近傍に配置されている。
【図４０】２つの注意喚起パターンのＴＷＳＩと、１つの誘導パターンのＴＷＳＩと、４つの平坦な基板パネルとを含んだ広告システムの一例を示す。２つの注意喚起パターンは、縁に配置されており、第１のＴＷＳＩから第２のＴＷＳＩにつながるグラフィックデザイン（販売促進のためのウェルカムメッセージ）を有する。誘導パターンのＴＷＳＩは、グラフィックデザインを有する。４つの平坦な基板パネルは、ＴＷＳＩの視認可能な近傍に配置されている。
【図４１】「Ａｌｂｅｓｔｅｒ６５２０」の光沢の変化関係を示す。
【図１】
2018022168.tif 000017
【図２】
2018022168.tif 000018
【図３】
2018022168.tif 000019
【図４】
2018022168.tif 000020
【図５】
2018022168.tif 000021
【図６】
2018022168.tif 000022
【図７】
2018022168.tif 000023
【図８】
2018022168.tif 000024
【図９】
2018022168.tif 000025
【図１０】
2018022168.tif 000026
【図１１】
2018022168.tif 000027
【図１２】
2018022168.tif 000028
【図１３】
2018022168.tif 000029
【図１４】
2018022168.tif 000030
【図１５】
2018022168.tif 000031
【図１６】
2018022168.tif 000032
【図１７】
2018022168.tif 000033
【図１８】
2018022168.tif 000034
【図１９】
2018022168.tif 000035
【図２０】
2018022168.tif 000036
【図２１】
2018022168.tif 000037
【図２２】
2018022168.tif 000038
【図２３】
2018022168.tif 000039
【図２４】
2018022168.tif 000040
【図２５】
2018022168.tif 000041
【図２６】
2018022168.tif 000042
【図２７】
2018022168.tif 000043
【図２８】
2018022168.tif 000044
【図２９】
2018022168.tif 000045
【図３０】
2018022168.tif 000046
【図３１】
2018022168.tif 000047
【図３２】
2018022168.tif 000048
【図３３】
2018022168.tif 000049
【図３４】
2018022168.tif 000050
【図３５】
2018022168.tif 000051
【図３６】
2018022168.tif 000052
【図３７】
2018022168.tif 000053
【図３８】
2018022168.tif 000054
【図３９】
2018022168.tif 000055
【図４０】
2018022168.tif 000056
【図４１】
2018022168.tif 000057
【手続補正書】
【提出日】平成29年11月9日(2017.11.9)
【手続補正１】
【補正対象書類名】特許請求の範囲
【補正対象項目名】全文
【補正方法】変更
【補正の内容】
【特許請求の範囲】
【請求項１】
歩道上に表示をする検知可能な警告または誘導パネルとして使用するための、非導電性ポリエステルベースの物品であって、
実質的に平坦な上面および底面を有する成形基板と、
上記歩道に取り外し可能に取り付けるための複数の留め具と、
上記成形基板の上記上面中へ直接的に昇華された、少なくとも３００×３００ＤＰＩの解像度を有し、かつ、少なくとも３色を含むグラフィックデザインと、を備え、
上記上面は、空間的に盛り上がった複数の特徴部であって、パネルについての地方の法規に従うパターン形状に配置された特徴部を備えており、
上記成形基板は、非導電性を有する熱硬化性ポリエステルベースのポリマーで形成されていることを特徴とする物品。
【請求項２】
上記非導電性を有する熱硬化性ポリエステルベースのポリマーは、シート成形複合材料であることを特徴とする請求項１に記載の物品。
【請求項３】
上記成形基板は、圧縮成形基板であることを特徴とする請求項１または２に記載の物品。
【請求項４】
上記非導電性を有するポリエステルベースのポリマーは、さらに、重量比で１５〜６０パーセントのガラス成分を有することを特徴とする請求項１から３のいずれか一項に記載の物品。
【請求項５】
上記グラフィックデザインは、製品、ビジネス、またはサービスについての情報を伝えることを特徴とする請求項１から４のいずれか一項に記載の物品。
【請求項６】
上記グラフィックデザインは、クイックレスポンスコード、マトリクスコード、２次元バーコード、光学機器で読み取り可能なラベル、または他の読み取り可能なコードを含むことを特徴とする請求項１から５のいずれか一項に記載の物品。
【請求項７】
上記空間的に盛り上がった複数の特徴部は、盛り上がった複数の切頭ドームまたは円錐台を有する注意パターンを含むことを特徴とする請求項１から６のいずれか一項に記載の物品。
【請求項８】
上記盛り上がった複数の切頭ドームまたは円錐台は円形であることを特徴とする請求項７に記載の物品。
【請求項９】
上記盛り上がった複数の切頭ドームまたは円錐台は、配列状に配置されていることを特徴とする請求項７または８に記載の物品。
【請求項１０】
上記空間的に盛り上がった複数の特徴部は、複数の盛り上がったバーを有する誘導パターンを含むことを特徴とする請求項１から６のいずれか一項に記載の物品。
【請求項１１】
上記複数の盛り上がったバーは、平坦な上部を有する、細長い形状の、互いに平行なバーであるか、または、シヌソイド型のリブであることを特徴とする請求項１０に記載の物品。
【請求項１２】
上記複数の盛り上がったバーは、配列状に配置されていることを特徴とする請求項１０または１１に記載の物品。
【請求項１３】
上記グラフィックデザインは、ロゴ、スローガン、レタリング、絵画、名前、製品のイラスト、エンブレム、製品またはサービスに関する販売促進情報、道案内、およびシンボルを含むグループから選択されることを特徴とする請求項１から１２のいずれか一項に記載の物品。
【請求項１４】
上記成形基板は、少なくとも上記上面に、粉体塗装レイヤーをさらに備えることを特徴とする請求項１から１３のいずれか一項に記載の物品。
【請求項１５】
請求項１から１４のいずれか一項に記載の物品の広告としての使用。